(57)【要約】【課題】テストに使用した記録媒体における記録情報の消去作業の作業性を向上すること。【解決手段】遊技媒体を計数して、該計数した計数遊技媒体数を加算記憶する記憶手段と、計数記録媒体に計数遊技媒体数を記録して排出するとともに、受付けた計数遊技媒体数を記録されている持玉数を記憶手段に加算記憶する計数記録媒体処理手段とを備え、管理装置からのモード移行要求の受信に応じて通常モード、テストモード、消去モードに移行し、テストモード中は計数遊技媒体数にテストフラグを記録して排出し、該テストフラグが記録された計数記録媒体を通常モード中において受付けたときには該計数記録媒体に記録されている計数遊技媒体数の加算を禁止し、テストフラグが記録された計数記録媒体を消去モード中において受付け中若しくは受付けたときには、該記録されているテストフラグと計数遊技媒体数を消去する。【選択図】図３７
2010246747.tif 000002
【特許請求の範囲】
【請求項１】
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記払出処理手段により払出された遊技媒体数を、前記記憶手段に記憶されている計数遊技媒体数から減算更新する減算更新手段と、
前記計数遊技媒体数を記録可能な計数記録媒体に、前記記憶手段に記憶されている計数遊技媒体数を記録する記録処理と、該計数記録媒体を排出する排出処理と、前記計数記録媒体を受付けて、該受付けた計数記録媒体に記録されている前記計数遊技媒体数を前記記憶手段に記憶されている計数遊技媒体数に加算記憶する加算処理と、を行う計数記録媒体処理手段と、
を備え、
営業中処理を行う際に移行される通常モードと、営業中処理と同様の動作確認を行う際に移行されるテストモードと、該テストモードにおいて使用した計数記録媒体に前記記録処理により記録された記録情報を消去する際に移行される消去モードとを有し、前記各モードへの移行要求が入力される移行要求入力手段を備え、
前記計数記録媒体処理手段は、
前記テストモード中における前記記録処理において、前記計数遊技媒体数を該テストモード中のテストデータとして記録し、
前記消去モード中において受付け中若しくは受付けた計数記録媒体に前記テストデータが記録されていることを条件に、該テストデータを消去する、
ことを特徴とする遊技用装置。
【請求項２】
前記計数記録媒体処理手段は、前記通常モード中において前記テストデータが記録された計数記録媒体を受付け中若しくは受付けたことを条件に、該テストデータを消去することを特徴とする請求項１に記載の遊技用装置。
【請求項３】
前記消去モードに移行したときに、前記記憶手段に記憶された前記テストモード中に計数された計数遊技媒体数を消去する計数消去処理手段を備えることを特徴とする請求項１または２に記載の遊技用装置。
【請求項４】
前記テストモード中において前記計数記録媒体処理手段は、テストデータが記録されていない前記計数記録媒体を受付けたときには該計数記録媒体を排出するとともに、テストデータが記録されておらず且つ計数遊技媒体数が記録されていない前記計数記録媒体を受付けたときには該計数遊技媒体数を排出することなく受付けを継続することを特徴とする請求項１〜３のいずれかに記載の遊技用装置。
【請求項５】
前記移行要求入力手段に前記テストモードへの移行要求の入力があったときに、前記記憶手段に前記通常モード中に計数された計数遊技媒体数が存在するか否かを判定する判定手段と、前記判定手段において前記記憶手段に計数遊技媒体数が存在しないと判定されたことを条件に前記テストモードへ移行させる制御を行うモード移行制御手段とを備えることを特徴とする請求項１〜４のいずれかに記載の遊技用装置。
【請求項６】
前記遊技用装置を管理する管理装置に対し、前記テストモード中における動作であるか或いは前記通常モード中における動作であるかを識別可能なモード種別情報を含む当該動作に関する動作情報を送信する動作情報送信手段を備えることを特徴とする請求項１〜５のいずれかに記載の遊技用装置。
【発明の詳細な説明】
【技術分野】
【０００１】
本発明は、遊技機に１対１に対応して設けられ、取り込んだ遊技媒体を計数し、該計数された遊技媒体数の範囲内の遊技媒体を遊技者に払出すとともに、計数された遊技媒体数が記録された計数記録媒体を排出する遊技用装置に関する。
【背景技術】
【０００２】
従来、遊技媒体を計数した計数値が記録されたカードを計数装置において発行し、該発行されたカードに記録されている計数値等のデータを、景品カウンタに設けられたカード処理機に挿入して消去するものがある（例えば、特許文献１参照）。
【０００３】
また、遊技場に設置される機器の動作確認（テスト）において、通常の営業であるかテストであるかを区別することを目的として、通常時に使用されるプリペイドカードとは個別に、動作確認（テスト）用のカードを使用して動作確認（テスト）を実施するものがある（例えば、特許文献２参照）。
【先行技術文献】
【特許文献】
【０００４】
【特許文献１】特開平５−４２２５０号公報（第７頁、第１２図）
【特許文献２】特開平１１−１０２４２２号公報（第５〜６頁、第３図）
【発明の概要】
【発明が解決しようとする課題】
【０００５】
しかしながら、特許文献２にあっては、通常と動作確認（テスト）との区別を確実に実施できるものの、個別に動作確認（テスト）用のカードを用意しなければならず不便であることから、これら動作確認（テスト）用のカードに代えて通常のカードを使用して動作確認（テスト）を実施することが考えられるが、この場合にあっては、これら動作確認（テスト）において遊技用装置にて計数された遊技媒体数等の通常のカードに記録されたデータが不正または誤って使用されてしまう畏れがあるばかりか、これら不正等に使用されないように消去するためには、これら動作確認（テスト）に使用した通常のカードを景品カウンタに設けられたカード処理機に持参して１枚づつ挿入する必要があり、動作確認（テスト）における消去作業の作業性が悪いという問題があった。
【０００６】
本発明は、このような問題点に着目してなされたもので、動作確認（テスト）に使用した通常のカード（記録媒体）が不正等に使用されることを防止するとともに、これら不正使用の防止するための、動作確認（テスト）に使用した通常のカード（記録媒体）に記録されている記録情報の消去作業の作業性を向上することのできる遊技用装置を提供することを目的とする。
【課題を解決するための手段】
【０００７】
前記課題を解決するために、本発明の請求項１に記載の遊技用装置は、
遊技機（パチンコ機２）に１対１に対応して設けられた遊技用装置（カードユニット３）であって、
取り込んだ遊技媒体（パチンコ玉）を計数するための計数手段（制御部３５０，制御ユニット３２８；計数情報処理、ＳＳ４）と、
該計数手段が計数した計数遊技媒体数（持玉数（計数済玉数））を加算記憶する記憶手段（ＲＡＭ３２８ｂ；カードテーブル）と、
該記憶手段に記憶されている計数遊技媒体数を表示する表示手段（表示部３１２）と、
前記記憶手段に記憶されている計数遊技媒体数の範囲内の遊技媒体を払出すための払出処理を行う払出処理手段（制御ユニット３２８；払出処理、Ｓｈ５、Ｓｈ８、Ｓｈ１０）と、
前記払出処理手段により払出された遊技媒体数を、前記記憶手段に記憶されている計数遊技媒体数から減算更新する減算更新手段（制御ユニット３２８；払出処理、Ｓｈ５、Ｓｈ８、Ｓｈ１０）と、
前記計数遊技媒体数を記録可能な計数記録媒体（ビジターカード）に、前記記憶手段に記憶されている計数遊技媒体数（持玉数）を記録する記録処理（返却処理（Ｓｂ２３）においてビジターカードを排出する前に持玉数を更新記録する処理）と、該計数記録媒体を排出する排出処理（返却処理（Ｓｂ２３）においてビジターカードを排出する処理）と、前記計数記録媒体を受付けて、該受付けた計数記録媒体に記録されている前記計数遊技媒体数を前記記憶手段に記憶されている計数遊技媒体数（カードテーブルの持玉数）に加算記憶する加算処理（カード受付け処理）と、を行う計数記録媒体処理手段（制御ユニット３２８、カードリーダライタ３２７）と、
を備え、
営業中処理を行う際に移行される通常モードと、営業中処理と同様の動作確認を行う際に移行されるテストモードと、該テストモードにおいて使用した計数記録媒体に前記記録処理により記録された記録情報を消去する際に移行される消去モードとを有し、前記各モードへの移行要求（モード移行要求）が入力（受信）される移行要求入力手段（通信部３３４）を備え、
前記計数記録媒体処理手段は、
前記テストモード中における前記記録処理において、前記計数遊技媒体数を該テストモード中のテストデータとして記録し、
前記消去モード中において受付け中若しくは受付けた計数記録媒体に前記テストデータ（テストフラグデータが「１」である記録データ）が記録されていることを条件（消去モード処理、Ｓｙ３、Ｓｙ１０）に、該テストデータを消去する（Ｓｙ７）、
ことを特徴としている。
この特徴によれば、テストモードで使用された計数記録媒体が、通常モード中において不正等に使用されてしまうことを防止できるとともに、通常モードにて使用可能な計数記録媒体を、テストモードで使用することにより該計数記録媒体に記録されたテストデータを、該計数記録媒体を景品カウンタ等に一々持参することなく、遊技用装置を消去モードとすることにより該遊技用装置において消去できるようになるので、これらテストモード（動作確認）にて使用した計数記録媒体に記録されている記録情報の消去作業の作業性を向上することができる。
【０００８】
本発明の請求項２に記載の遊技用装置は、請求項１に記載の遊技用装置であって、
前記計数記録媒体処理手段（制御ユニット３２８、カードリーダライタ３２７）は、前記通常モード中において前記テストデータが記録された計数記録媒体（ビジターカード）を受付け中若しくは受付けたことを条件に、該テストデータを消去する（通常モード移行時処理、Ｓｊ５）ことを特徴としている。
この特徴によれば、例えば、営業開始前にテストモードとして動作確認に使用した計数記録媒体の消去を、消去モードに移行することなく、テストモードから直接通常モードに移行して実施できるようになるので、これら動作確認を伴う開店作業の作業性を向上できるとともに、これらの消去を営業開始後の営業中において任意に実施できるようになるので、これら消去作業の自由度を著しく向上できる。
【０００９】
本発明の請求項３に記載の遊技用装置は、請求項１または２に記載の遊技用装置であって、
前記消去モードに移行したときに、前記記憶手段に記憶された前記テストモード中に計数された計数遊技媒体数（持玉数（計数済玉数））を消去する計数消去処理手段（制御ユニット３２８、Ｓｙ２）を備えることを特徴としている。
この特徴によれば、計数記録媒体に未記録の計数遊技媒体数についても消去できるので、これら未記録の計数遊技媒体数が通常モード中において不正等に使用されることを防止できる。
【００１０】
本発明の請求項４に記載の遊技用装置は、請求項１〜３のいずれかに記載の遊技用装置であって、
前記テストモード中において前記計数記録媒体処理手段（制御ユニット３２８、カードリーダライタ３２７）は、テストデータが記録されていない（テストフラグが「０」）前記計数記録媒体（ビジターカード）を受付けたときには該計数記録媒体を排出するとともに、テストデータが記録されておらず（テストフラグが「０」）且つ計数遊技媒体数が記録されていない（持玉数が「０」）前記計数記録媒体を受付けたときには該計数遊技媒体数を排出することなく受付けを継続することを特徴としている。
この特徴によれば、通常モード中に計数された計数遊技媒体数がテストモード中において使用されてしまうことによる不利益の発生を防止できる一方、計数遊技媒体数が記録されていないことで不利益が発生することのない計数遊技媒体数については、いずれも受付けが継続されることでテストモードに使用することができる。
【００１１】
本発明の請求項５に記載の遊技用装置は、請求項１〜４のいずれかに記載の遊技用装置であって、
前記移行要求入力手段（通信部３３４）に前記テストモードへの移行要求の入力（モード移行要求の受信）があったときに、前記記憶手段（ＲＡＭ３２８ｂ；カードテーブル）に前記通常モード中に計数された計数遊技媒体数（持玉数）が存在するか否かを判定する判定手段（制御ユニット３２８、Ｓｍ１１）と、前記判定手段において前記記憶手段に計数遊技媒体数が存在しないと判定されたことを条件（Ｓｍ１１でＮｏ）に前記テストモードへ移行させる制御を行うモード移行制御手段（制御ユニット３２８、モード移行制御処理）とを備えることを特徴としている。
この特徴によれば、通常モード中に計数されて計数遊技媒体数に未記録である計数遊技媒体数がテストモード中において使用されたり、テストモードへの移行時に消去されてしまうことによる不利益の発生を防止できる。
【００１２】
本発明の請求項６に記載の遊技用装置は、請求項１〜５のいずれかに記載の遊技用装置であって、
前記遊技用装置（カードユニット３）を管理する管理装置（管理コンピュータ１５０）に対し、前記テストモード中における動作であるか或いは前記通常モード中における動作であるかを識別可能なモード種別情報（モードフラグ）を含む当該動作に関する動作情報（送信データ）を送信する動作情報送信手段（制御ユニット３２８、図１０のモードフラグを含む各種送信データを送信する処理、通信部３３４）を備えることを特徴としている。
この特徴によれば、管理装置において、受信した動作情報に含まれるモード種別情報により、当該動作がテストモード中における動作であるか或いは通常モード中における動作であるかを識別できるので、これらテストモード中における動作に関する情報と、通常モード中における動作に関する情報とを正確に区別して管理することができる。
【図面の簡単な説明】
【００１３】
【図１】本発明の実施例における遊技用システムの全体像を示すシステム構成図である。
【図２】本発明の実施例の遊技用システムに用いたパチンコ機２、カードユニット３を示す正面図である。
【図３】本発明の実施例において用いたカードユニット３の構成を示すブロック図である。
【図４】本発明の実施例のカードユニット３に用いたカードリーダライタ３２７の構成を示す上面視断面図である。
【図５】本発明の実施例において用いたカードユニット３の突出部３０５を示す図である。
【図６】本発明の実施例において用いた計数・端数払出ユニット３４０を示す外観斜視図である。
【図７】本発明の実施例のカードユニット３の側面図である。
【図８】本発明の実施例に用いた計数・端数払出ユニット３４０の内部構造を示す破断上面図である。
【図９】（ａ）は、本発明の実施例において用いたカードユニット３のカードテーブルを示す図であり、（ｂ）は、本発明の実施例において用いたカードユニット３の遊技情報テーブルを示す図であり、（ｃ）は、本発明の実施例において用いた会員遊技情報示す図であり、（ｄ）は、本発明の実施例において用いた貯留玉数データを示す図である。
【図１０】本発明の実施例において用いたカードユニット３から送信される送信データ列を示す図である。
【図１１】本発明の実施例において用いたカードユニット３における各種モードとその内容を示す説明図である。
【図１２】本発明の実施例において用いたカードユニット３、管理コンピュータ１５０、システムコントローラ１００との間において送受される情報を示す説明図である。
【図１３】本発明の実施例において用いたシステムコントローラ１００の構成を示すブロック図である。
【図１４】（ａ）は、本発明の実施例において用いたシステムコントローラ１００における会員カードテーブルを示す図であり、（ｂ）は、ビジターカードテーブルを示す図である。
【図１５】本発明の実施例において用いた管理コンピュータ１５０の構成を示すブロック図である。
【図１６】（ａ）は、本発明の実施例において用いた管理コンピュータ１５０における会員貯蓄管理テーブルを示す図であり、（ｂ）は、ビジター貯蓄管理テーブルを示す図である。
【図１７】（ａ）は、本発明の実施例において用いたユニット管理テーブルを示す図であり、（ｂ）は、本発明の実施例において用いた貯留・払出履歴テーブルを示す図である。
【図１８】本発明の実施例において用いた振分け履歴テーブルを示す図である。
【図１９】（ａ）は、本発明の実施例において用いた管理コンピュータ１５０における会員情報テーブルを示す図であり、（ｂ）は、会員別遊技履歴テーブルを示す図である。
【図２０】（ａ）は、本発明の実施例において用いた管理コンピュータ１５０における振分け設定画面を示す図であり、（ｂ）は、本発明の実施例において用いた管理コンピュータ１５０における貯留玉排出設定画面を示す図である。
【図２１】本発明の実施例において用いたカードユニット３において実施される処理内容を示すフロー図である。
【図２２】本発明の実施例において用いたカードユニット３において実施される計数情報処理の処理内容を示すフロー図である。
【図２３】本発明の実施例において用いたカードユニット３において実施される払出処理の処理内容を示すフロー図である。
【図２４】本発明の実施例において用いたカードユニット３において実施される振分け処理の処理内容を示すフロー図である。
【図２５】本発明の実施例において用いたカードユニット３において実施される振分け処理の処理内容を示すフロー図である。
【図２６】本発明の実施例において用いたカードユニット３において実施される振分け処理の処理内容を示すフロー図である。
【図２７】本発明の実施例において用いたカードユニット３において実施される振分け処理の処理内容を示すフロー図である。
【図２８】（ａ）、（ｂ）は、本発明の実施例におけるカードユニット３または振分け装置５と管理コンピュータ１５０との情報の授受を示す図である。
【図２９】本発明の実施例におけるカードユニット３と管理コンピュータ１５０との情報の授受を示す図である。
【図３０】本発明の実施例におけるホールコンピュータ１４０と管理コンピュータ１５０との情報の授受を示す図である。
【図３１】（ａ）、（ｂ）は、本発明の実施例におけるカードユニット３の表示部３１２の表示内容を示す図である。
【図３２】（ａ）〜（ｇ）は、本発明の実施例におけるカードユニット３の表示部３１２の表示内容を示す図である。
【図３３】（ａ）〜（ｄ）は、本発明の実施例に用いた計数・端数払出ユニット３４０内部における流路とパチンコ玉の流下状況とを説明する図である。
【図３４】（ａ）は、本発明の実施例におけるカードユニット３において実施される営業終了時処理の内容を示すフロー図であり、（ｂ）は、営業終了時処理を構成する計数無効化処理の処理内容を示す図である。
【図３５】本発明の実施例におけるカードユニット３において実施されるモード移行制御処理の処理内容を示すフロー図である。
【図３６】本発明の実施例におけるカードユニット３において実施される通常モード移行時処理の処理内容を示すフロー図である。
【図３７】本発明の実施例におけるカードユニット３において消去モード中に実施される消去モード処理の処理内容を示すフロー図である。
【図３８】本発明の実施例におけるカードユニット３において実施される通信状態検知処理の処理内容を示すフロー図である。
【図３９】本発明の実施例におけるカードユニット３において実施される移行タイマアップ処理の処理内容を示すフロー図である。
【発明を実施するための形態】
【００１４】
本発明に係る遊技用システムを実施するための形態を実施例に基づいて以下に説明する。
【実施例】
【００１５】
本発明の遊技用システムの実施例を図面に基づいて説明すると、先ず図1は、本発明の実施例の遊技用システムの全体像を示すシステム構成図であり、遊技場内に複数配置される各遊技島（図示略）に並設される遊技機であるカードリーダ式パチンコ機（以下パチンコ機と略称する）２と、パチンコ機２の所定側の側方位置に該パチンコ機２に対して１対１に対応設置され、会員登録をしていない一般の遊技者に対して発行される遊技用記録媒体であるプリペイド機能を備えるビジターカードや、該遊技機に会員登録した会員遊技者に対して発行される遊技用記録媒体である会員カードを受付けて、遊技機における遊技に使用される遊技媒体であるパチンコ玉を貸し出すための処理や、対応するパチンコ機２における遊技にて獲得されたパチンコ玉を計数するとともに、該計数済みのパチンコ玉数の範囲内のパチンコ玉の払出し（返却）を行うカードユニット３と、カードユニット３にて使用されるビジターカードや会員カード並びにカードユニット３の管理等を行うシステムコントローラ１００と、各カードユニット３において計数された計数済玉数の管理や、会員カードを所持する会員遊技者が再度の遊技に使用可能に所有する貯蓄玉数やビジターカードに記録された持玉数の管理を行う管理コンピュータ１５０と、遊技場内に設置された各パチンコ機２の台データ等の遊技情報を管理する本発明の遊技情報管理装置となるホールコンピュータ１４０と、遊技場内の景品カウンタの近傍位置等の遊技場内の所定位置に設けられ、会員カードの貯蓄玉数やビジターカードの持玉数を、他の他のビジターカード或いは会員カードに振分ける振分け装置５と、遊技場内の景品カウンタに設けられて景品交換を行うための景品交換用ＰＯＳ端末１７０と、から主に構成されている。
【００１６】
そして、これら本実施例の遊技用システムを構成する各装置は、図１に示すように、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されているこれら各装置には、当該装置を個々に識別可能な装置ＩＤが付与されているとともに、各装置が装置（ユニット）ＩＤとローカルＩＰアドレスとが対応付けられたＩＰアドレステーブルや後述するユニット管理テーブル（図１７（ａ）参照）等を有することで、該装置（ユニット）ＩＤから特定される各ローカルＩＰアドレスを送信データに付与して送受信することにより、互いにデータの送受を実施できるようになっている。
【００１７】
尚、本実施例のシステムコントローラ１００は、上述したように、各会員カード並びに各ビジターカードに残存するプリペイド残額（遊技用価値）を管理しているとともに、通信回線１１を介して、これら会員カードやビジターカードを管理する遊技場外のカード管理会社に設置された管理サーバ１２と双方向のデータ通信を実施できるように接続されていて、これら管理サーバ１２に対してシステムコントローラ１００から、各種の管理情報が送信されることにより、カード管理会社は、該管理サーバ１２にて各遊技場の会員カード並びにビジターカードによる売り上げ等を把握できるようになっている。
【００１８】
また、本実施例のホールコンピュータ１４０には、図１に示すように、遊技場内を監視するための監視カメラシステムが接続されており、該監視カメラシステムにて撮像された遊技場内の監視画像が、各パチンコ機２の台データ等とともに記憶、管理されるようになっている。尚、これらホールコンピュータ１４０にて管理される各パチンコ機２の台データ等の遊技情報は、後述するように、各パチンコ機２に対応するカードユニット３から送信される送信データにより最新の情報に更新されるようになっている。
【００１９】
また、カードユニット３とパチンコ機２とは、図３に示すように、払出単位として予め定められた複数個（本実施例では２５個）のパチンコ玉の貸出に伴う各種の信号、具体的には、パチンコ機２から出力される台端末貸出完了信号（ＥＸＳ）や台ＲＥＡＤＹ信号（ＰＲＤＹ）、制御ユニット３２８より出力されるカードユニットＲＥＡＤＹ信号（ＢＲＤＹ）や台端末貸出要求完了確認信号（ＢＲＱ）を送受可能に接続されているとともに、該パチンコ機２から出力される後述する大当り信号、確変中信号、時短中信号、賞球信号、始動信号が入力可能に接続されている。
【００２０】
はじめに、本実施例に用いた遊技機であるパチンコ機２について、以下に簡単に説明すると、該パチンコ機２は、図２に示すように、額縁状に形成されたガラス扉枠２２を有し、該ガラス扉枠２２の下部表面には打球供給皿２３がある。打球供給皿２３の上面所定箇所には、操作部１４が設けられているとともに、打球供給皿（上皿）２３の下部には、打球供給皿２３から溢れたパチンコ玉を貯留する下皿２４と打球を発射する打球操作ハンドル（以下操作ノブ）２５とが設けられている。
【００２１】
ガラス扉枠２２の後方には、遊技盤２６が着脱可能に取付けられている。また、遊技盤２６の前面には遊技領域２７が設けられている。この遊技領域２７の向かって右側の下方領域に「特別図柄」と呼ばれる複数種類の識別情報が可変表示される特図可変表示部２８と、その中央付近には、「演出図柄」と呼ばれる複数種類の識別情報が可変表示されるとともに演出映像が表示される演出可変表示部２９と、「普通図柄」と呼ばれる複数種類の識別情報が可変表示される可変表示装置３０とが設けられている。また遊技盤２６には、複数の入賞口４４や通過ゲート３１、始動入賞口３４、可変入賞球装置３６が設けられているとともに、遊技領域２７の下部には、入賞しなかった打込玉を回収するアウト口４６が形成されている。
【００２２】
これら各入賞口に打玉が入賞した場合には、各入賞口に応じた賞球が図示しない玉切り払い出し装置により払い出されるとともに、該玉切り払い出し装置により払い出された賞球数に応じた賞球信号（１０玉に１パルス）が外部に出力されることで、賞球数が外部に通知される。
【００２３】
打球操作ノブ２５の操作によって揺動されるハンマー（図示略）によって発射された打玉は、打球レールを通って遊技領域２７に入り、その後、遊技領域２７を流下していく。この際、発射勢いが弱すぎて前記遊技領域２７に達しなかったパチンコ玉は、環流経路（図示略）を通じて下皿２４に環流されるようになっている。
【００２４】
また、遊技領域２７に打ち込まれた打込玉が通過ゲート３１を通過すると、可変表示装置３０に停止表示されている普通図柄が可変開始する。
【００２５】
可変表示装置３０の可変表示動作後の表示結果が予め定められた特定の表示結果（たとえば○）となった場合に、始動入賞口３４に設けられた可動片３５が所定時間開成して遊技者にとって有利な状態となる。
【００２６】
また、始動入賞口３４にパチンコ玉が入賞すると、特図可変表示部２８において全特別図柄が可変表示（変動表示）を開始するとともに、演出可変表示部２９において演出表示が開始される。そして、その後、特図可変表示部２８における特別図柄が停止し、その停止表示結果が予め定められた特定の表示態様となった場合には、演出可変表示部２９における左、中、右の演出図柄の可変表示も停止し、その演出図柄の表示態様も予め定められた特定の表示態様（たとえば７７７）とされることで、特定遊技状態（大当り状態）が発生するとともに、大当り中信号が出力状態とされることで、該大当りの発生が外部に通知される。
【００２７】
また、特図可変表示部２８における特別図柄が停止したときに、所定パルス幅の始動信号が出力され、特図可変表示部２８における特別図柄の可変表示（変動表示）が実施されたことが外部に通知される。
【００２８】
このように大当り状態が発生した場合には、可変入賞球装置３６に設けられた開閉板４０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。
【００２９】
そして該第１の状態となっている可変入賞球装置３６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３０】
特図可変表示部２８の表示結果並びに演出可変表示部２９の演出図柄の表示結果が予め定められた大当り図柄の組合せで停止表示されたときには前述したように大当りが発生するが、これら大当り図柄に停止表示される以前の状態において、リーチ状態が発生する場合がある。
【００３１】
特図可変表示部２８並びに演出可変表示部２９で可変表示された特別図柄並びに演出図柄が所定の確率変動図柄の種類に一致した図柄の組合せで停止表示されたときには、前記繰返し継続制御による「大当り」の終了後に、再度大当りとなる確率が通常の確率状態よりも高い確率状態となる確率変動状態となるようになっており、これら確率変動図柄での大当りを通常の大当りと区別して「確変大当り」と呼称し、これら確変大当り終了後における確率変動状態中において、確変中信号が出力状態とされることで、該確率変動状態の発生が外部に通知される。
【００３２】
また、特図可変表示部２８並びに演出可変表示部２９で可変表示された特別図柄並びに演出図柄が所定の確率変動図柄以外の図柄の組合せで停止表示されたときには、前記繰返し継続制御による「大当り」の終了後に、特図可変表示部２８並びに演出可変表示部２９で可変表示が所定回数に達するか或いは次の大当りが発生するまでの間、特図可変表示部２８における特別図柄および演出可変表示部２９における演出図柄の可変表示時間（変動時間）が通常遊技状態よりも短縮される時短状態となるようになっており、これら時短状態中において、時短中信号が出力状態とされることで、該時短状態の発生が外部に通知される。
【００３３】
本実施例のパチンコ機２には、これら各信号を外部出力するための図示しない情報出力基板が搭載されており、該情報出力基板とカードユニット３とが、図示しない信号ケーブルを介して接続されており、情報出力基板からは、大当り中信号、確変中信号、時短中信号、始動信号、賞球信号からなる外部出力信号が、信号ケーブルを介してカードユニット３に出力される。
【００３４】
ここで、大当り中信号は大当り状態の期間中において出力状態とされる信号であり、確変中信号は確変状態の期間中においてのみ出力状態とされる信号であり、時短中信号は時短状態の期間中においてのみ出力状態とされる信号であり、始動信号は、特図可変表示部２８の表示結果が全て導出表示されて可変表示が終了した際に出力される所定幅のパルス信号であり、賞球信号は、所定玉数（本実施例では１０玉）が払い出される毎に出力される所定幅のパルス信号である。
【００３５】
本実施例のパチンコ機２には、該パチンコ機２における遊技を制御する遊技制御基板から、入賞に基づいて出力される賞球信号に基づいて所定数の賞球を計数して払出す制御を行うとともに、通常のＣＲ機と同じく、カードユニット３より入出力される信号に基づいて、払出単位である２５球のパチンコ玉を計数して貸出す制御を行う図示しない賞球制御基板を備えており、該払出単位である２５球の倍数にてパチンコ玉の貸出を実施できるようになっている。
【００３６】
次に、本実施例にて使用されるビジターカードと会員カードとについて、簡潔に説明すると、本実施例に使用されるビジターカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップが搭載されたＩＣカードを使用しており、これらビジターカード並びに会員カードには、個々のカードを識別可能なカードＩＤ、具体的には、ビジターカードにはＶＣで始まるカードＩＤが、会員カードには、ＫＣで始まる会員カードＩＤが予め書き換え不能に記憶されていて、その種別がカードＩＤから識別可能とされているとともに、プリペイド残額を特定可能なプリペイド残額データや、振分けの有無を特定可能な振分けフラグ（「１」が振分け有りを示し、「０」が振分け無しを示す）や、テストモードにおいて使用されたことを示すテストフラグ（「１」がフラグ有り、「０」がフラグ無しを示す）等の各種データが記憶されている。
【００３７】
尚、会員カードは、遊技場に会員登録を実施した会員遊技者に対して発行されるものであり、該会員に対して付与される会員ＩＤが書き換え不能に記憶されている。また、該会員カードを使用して会員遊技者は、後述するように、一度獲得して計数したパチンコ玉を、その翌日以降においても再度遊技に使用できる貯玉を行うことができるようになっているが、これら会員カードには、該貯玉のデータである貯玉数は直接記録されておらず、これら貯玉数は、後述するように、管理コンピュータ１５０において、会員カードＩＤと会員ＩＤとに対応付けて記憶されることで、該会員カードＩＤや会員ＩＤから特定されるようになっている。
【００３８】
また、ビジターカードは、遊技場内に設置された図示しないカード発行・入金機にて、購入、発行されるとともに、カードユニット３においても発行される。尚、ビジターカードには、該ビジターカードを所有する遊技者が計数した計数済玉数に基づく持玉数と日付とが記憶されており、該持玉数をその当日においてのみ、遊技場内の各カードユニット３において使用できるようになっている。
【００３９】
尚、本実施例では、上述したように、ビジターカードのみに持玉数を書き込み記録するようにしているが、本発明はこれに限定されるものではなく、これら持玉数や貯玉数のデータを、ビジターカードと同じく、会員カードに記録するようにしても良い。
【００４０】
次に、本実施例のカードユニット３について、図２〜図１０、図３３に基づいて以下に説明すると、本実施例のカードユニット３の前面には、図２に示すように、フルカラーＬＥＤにより構成されて複数の色に点灯することでカードユニット３の状態等を報知可能とされた多機能ランプ３０１等の各種表示部、紙幣を挿入するための紙幣挿入口３０２、装置前面より装置前方側に突出形成された突出部３０５、計数済玉数を払出すための計数払出操作を受付けるための払出ボタン３１１、会員カードやビジターカードを挿入するためのカード挿入口３０９が設けられている。
【００４１】
カードユニット３の前面に設けられたカード挿入口３０９は、該カード挿入口３０９に対応する位置に内蔵されるカードリーダライタ３２７（図７参照）のカードスロット３９２に連設されており、このカード挿入口３０９を介してビジターカードや会員カードをカードスロット３９２に挿入可能とされている。
【００４２】
カードユニット３の前面には、前方に突出する態様にて突出部３０５が設けられている。該突出部３０５において、遊技者と対向する面には、図２並びに図５に示すように、各種情報を表示可能な表示部３１２と、メインメニュー画面を表示させるためのメニューボタン３１６と、台データを表示させるための台データボタン３１８と、会員カードを受付けた場合において、該会員カードに記録された会員カードＩＤ並びに会員ＩＤにより特定される貯玉数を用いた再プレイ遊技を実施するための再プレイボタン３１９と、再プレイボタン３１９の操作が有効であることを報知するための再プレイ表示部３２０と、遊技場の係員が所持するリモコン（図示略）からの赤外線信号を受信して電気信号に変換して出力するＩＲ受光ユニット３１５とが設けられており、該表示部３１２の表面には、表示部３１２に表示された各表示項目を指触により入力可能とするための透明タッチパネル３１４が設けられている。
【００４３】
また、該突出部３０５内部には、表示部３１２を成す後述する液晶表示器３１３や各ボタンに対応するスイッチが設けられており、これらが、図７に示すように、該突出部３０５に対応する装置内位置に設けられた表示制御基板３２９に接続されることで、液晶表示器３１３の表示制御や、透明タッチパネル３１４による入力位置検出等が、該表示制御基板３２９によって実施される。
【００４４】
カードユニット３内の上部位置には、紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００４５】
また、カードユニット３の略中央部位置には、該カードユニット３を構成する各部と接続しやすいように該カードユニット３の動作を制御する制御ユニット３２８が設けられており、後述するように、該制御ユニット３２８によって該カードユニット３の各種の動作が制御されている。
【００４６】
また、カードユニット３の最下方位置には、図７に示すように、カードユニット３の前方側から後方（内方）側に傾斜する回収流路を内在する回収流路ボックス３４８が設けられているとともに、該回収流路ボックス３４８の前面側となるカードユニット３の前面下方端部位置には、パチンコ機２の下皿２４の下方位置に配置されることで、該下皿２４から排出されるパチンコ玉を計数するとともに、払出単位数未満の端数のパチンコ玉の払出しを行う箱状の計数・端数払出ユニット３４０から排出されるパチンコ玉をカードユニット３内に流入させるための連結樋３４４が装着される連結樋装着口３４８’が設けられており、該連結樋３４４を流下して連結樋装着口３４８’から回収流路ボックス３４８に流入してきたパチンコ玉が、回収流路ボックス３４８をカードユニット３の前方側から後方（内方）側に流下していき、カードユニット３の後方下端から遊技島内の図示しない回収樋に排出される。
【００４７】
尚、本実施例のカードユニット３は、図７に示すように、カードユニット３本体が、その上下位置に形成されたユニットホルダ３１’に係合し、該カードユニット３本体を前面方向に引き出し可能に保持するユニットホルダ３１を介して遊技島に設置されており、カードユニット３の前面下方所定位置には、図示しないシリンダ錠が設けられていて、係員等が所持する解錠キーにより施錠を解除することでカードユニット３が引き出しできるようになっている。また、該ユニットホルダ３１には、各種接続ケーブルを中継するためのコネクタが設けられており、制御ユニット３２８に接続される通信ケーブル等が、該ユニットホルダ３１を介して中継接続されていて、これら通信ケーブル等が前記カードユニット３本体の引き出し時に絡まって、カードユニット３本体が引き出せなくなってしまうことがないように工夫されている。
【００４８】
図３は、本実施例のカードユニット３の構成を示すブロック図である。カードユニット３は、上述したように、主には、紙幣識別ユニット３２１と、カードリーダライタ３２７と、表示制御基板３２９と、計数・端数払出ユニット３４０と、カードユニット３の各部の制御を制御プログラムにより実施して該カードユニット３の各種の機能を提供する制御ユニット３２８とから構成されており、紙幣識別ユニット３２１、カードリーダライタ３２７、計数・端数払出ユニット３４０及び表示制御基板３２９は制御ユニット３２８と接続されて各種データの送受が可能とされている。
【００４９】
カードリーダライタ３２７は、カード挿入口３０９から挿入される会員カード並びにビジターカードに記録されている（会員）カードＩＤや、会員ＩＤ（会員カードのみ）、プリペイド残額データ等の記録情報の読み出し並びに書き込みを行う。
【００５０】
本実施例に用いたカードリーダライタ３２７の構成を、図４を用いてより詳細に説明すると、該カードリーダライタ３２７の内部には、前記カード挿入口３０９からの会員カードやビジターカードの挿入並びに会員カードやビジターカードが挿入中であることを検知する挿入センサ３９７や、カード挿入口３０９からの新たな会員カードやビジターカードの挿入を阻止するためのシャッタの出没を行うシャッタ用ソレノイド３９９や、カード挿入口３０９から延設され、会員カードやビジターカードがスライド可能とされたガイドレール３９８と、該ガイドレール３９８を挟むように配設されてカードスロット３９２に挿入された会員カードやビジターカードを、カードスロット３９２の内方側に取り込むとともに、会員カードやビジターカードをカード挿入口３０９から排出する取込・排出ローラ３８７’並びに該取込・排出ローラ３８７’を駆動する駆動モータ３８６’と、取込・排出ローラ３８７’によりカードスロット３９２の内方側に取り込まれた会員カードやビジターカードのガイドレール３９８上の移動を、駆動モータ３８６、３９３にて駆動回転されることにより実施する搬送ローラ３８７、３８８と、前記搬送ローラ３８７、３８８の一方側に張架された搬送ベルト３９１と、から成る搬送機構や、該搬送される会員カードやビジターカードを所定位置に停止させるストップピンの出没を行うソレノイド３８９や、所定位置に停止された会員カードやビジターカードへの給電やデータ通信を行う通信ヘッド３９０や、該通信ヘッド３９０に接続されて会員カードやビジターカードとのデータ送受の制御を行う通信基板３２７ａと、が設けられており、挿入されている会員カードやビジターカードからのデータの読み出し及び会員カードやビジターカードへの書き込みが非接触状態にて可能とされている。
【００５１】
本実施例のカードリーダライタ３２７に設けられた搬送機構を構成する搬送ローラ３８７は、カード挿入口３０９から、１枚の会員カードやビジターカードの長さ寸法とほぼ等しい距離だけ、離間されて設けられており、カード挿入口３０９と搬送ローラ３８７との間に、１枚の会員カード或いはビジターカードを滞留（保持）させたまま、通信ヘッド３９０に対応する所定位置に他の会員カード或いはビジターカードを停止させてデータの読み取り及び書き込みを実施できるようになっており、後述するように、振分け処理を実施する場合において、振分けにて発行するビジターカードと受付け中の会員カードをほぼ同時に連続してカード挿入口３０９から排出できるとともに、振分けにおいて振分け先のカードを受付けた場合には、振分け先のカードを排出することなく保持したまま、振分け元のビジターカードへの書き込みを完了できるようになっている。
【００５２】
本実施例のカードリーダライタ３２７に設けられている搬送ベルト３９１のカードユニット３の内方側終端部位置には、ビジターカードを最大１０枚まで貯留できるカード貯留部３７０が設けられており、新規のビジターカードを発行可能とされている。
【００５３】
この本実施例のカード貯留部３７０の内部には、図４に示すように、駆動モータ３７３にて駆動回転される１対の搬送ローラ３７１と、該搬送ローラ３７１に張架された搬送ベルト３７２と、から成るビジターカードの移動（収納、排出）を実施する搬送機構が設けられるとともに、カード貯留部３７０内に貯留されているビジターカードを、支持板３７７を介して搬送ベルト３７２側に押圧する押圧ばね３７６が設けられている。
【００５４】
そして、搬送機構における搬送ベルト３７２の略中央部には、ソレノイド３７４によって揺動する揺動ローラ３７５が設けられている。ビジターカードをカード貯留部３７０の内部に取り込むときに、揺動ローラ３７５がソレノイド３７４によって揺動して搬送ベルト３７２と当接することで、搬送ベルト３７２の中央部が突出し、既に貯留されているビジターカード若しくは支持板３７７を押圧することにより、搬送ベルト３７２とビジターカード若しくは支持板３７７との間に、新たにビジターカードを受け入れるための間隙が形成される。そのため挿入されたビジターカードをスムーズにカード貯留部３７０内に貯留することができるようになっており、これらビジターカードの取り込み後に揺動ローラ３７５が搬送ベルト３７２と当接しない位置まで戻ることにより、搬送ベルト３７２の中央部の突出が解消されて、搬送ベルト３７２がビジターカードの全面に当接する状態にてビジターカードが貯留され、該ビジターカードを排出するときには、搬送ベルト３７２に当接しているビジターカードが、搬送ベルト３７２を取り込みとは逆方向に移動することによって、搬送ベルト３９１へ排出される。
【００５５】
また、カード貯留部３７０内には、該カード貯留部３７０内に貯留されるビジターカードの枚数が１枚以下になったことを検出する光学センサによるカード補給検知センサ３７８が設けられているとともに、カード貯留部３７０内に貯留されるビジターカードの枚数が１０枚（満タン）になったことを検出する光学センサによるカード満タン検知センサ３７９が設けられている。カード補給検知センサ３７８がビジターカードの枚数が１枚以下になったことを、ビジターカードからの光反射がないことによって検出すると、該検出信号が制御ユニット３２８に出力されることで、制御ユニット３２８によりカード補給を要求する所定の点灯態様にて多機能ランプ３０１が点灯されることにより、ビジターカードが足りなくなったことが店員に報知されるとともに、カード満タン検知センサ３７９がビジターカードの枚数が１０枚（満タン）になったことを、ビジターカードからの光反射が有ることによって検出した場合には、該検出信号が制御ユニット３２８に出力されることで、制御ユニット３２８が、カード貯留部３７０内にビジターカードが満タンになったことを認識できるようになっており、この場合には、ビジターカードの回収を実施することなく該ビジターカードはカード挿入口３０９から排出される。
【００５６】
このカード貯留部３７０にビジターカードを補充する場合には、係員がリモコンを操作することによりカード補充モード（図１１参照）に移行させた状態において、残額が０のビジターカードをカード挿入口３０９に順次挿入することで、これら挿入されたビジターカードが、カード貯留部３７０に順次貯留されるようになる。
【００５７】
次に、本実施例の制御ユニット３２８について説明すると、制御ユニット３２８は、図３に示すように、制御プログラムを実行可能な中央演算処理回路（ＣＰＵ）３２８ａや、カードリーダライタ３２７に受付け中のビジターカードや会員カードの（会員）カードＩＤ並びにプリペイド残額や、持玉数、貯玉数、来店ポイント数、対応するパチンコ機２の台データ、遊技中の会員の遊技情報、計数・端数払出ユニット３４０に貯留されているパチンコ玉数である貯留玉数データ等の各種のデータを記憶可能なＲＡＭ３２８ｂや、中央演算処理回路（ＣＰＵ）３２８ａが実行する制御プログラムや、当該カードユニット３の装置ＩＤを含む設定情報や後述する振分け設定画面において設定された貯玉直接振分けの許諾の有無を特定可能な振分け設定情報や、離席中の（会員）カードＩＤ等の各種のデータを書き換え記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００５８】
本実施例の制御ユニット３２８は、前述したようにパチンコ玉の貸出に伴う各種の信号の授受を、パチンコ機２に設けられている図示しない賞球制御基板との間において実施可能に接続されているとともに、前述のように、信号ケーブルを介して、パチンコ機２の情報出力基板と接続されることで、大当り中信号等の各種の外部出力信号が入力可能とされている。
【００５９】
また、制御ユニット３２８は、対応するパチンコ機２の下方位置に設けられているアウト玉計数器１６に接続されて該アウト玉計数器１６による各計数信号が入力可能とされており、これらアウト玉計数器１６からの計数信号の入力に応じて、後述する遊技情報テーブル（図９（ｂ）参照）の総打込玉数の値に該計数信号に応じた所定数を加算更新する。
【００６０】
また、制御ユニット３２８は、計数・端数払出ユニット３４０と接続されており、後述するように、該計数・端数払出ユニット３４０から出力されてくる計数情報の受信に応じて、表示部３１２の下部位置に表示している計数済玉数（図５参照）の値（カードテーブルの持玉数）を更新することで、計数・端数払出ユニット３４０にて計数された玉数の総数（その時点前に既にその当日に計数された玉数が存在する場合には、その合計となる持玉数）が計数済玉数として表示される。
【００６１】
また、制御ユニット３２８は、装置前面の突出部３０５の下方位置に設けられた払出ボタン３１１に対応する払出ボタンスイッチ３１１’に接続されており、払出ボタン３１１の操作に応じた信号が、該払出ボタンスイッチ３１１’から入力されることにより、払出ボタン３１１の操作の有無を把握し、払出ボタン３１１の操作があったときには後述する払出処理を実施することで、払出単位数のパチンコ玉の払出しを対応するパチンコ機２から実施させるとともに、払出単位数未満の端数のパチンコ玉の払出しを計数・端数払出ユニット３４０から実施させる。
【００６２】
本実施例のＲＡＭ３２８ｂに記憶されているカードテーブルには、図９（ａ）に示すように、カードリーダライタ３２７に挿入されたビジターカードや会員カードから読み出した（会員）カードＩＤや会員ＩＤ（会員カードのみ）、（会員）カードＩＤ並びにプリペイド残額データに基づくプリペイド残額、カードＩＤ若しくは（会員）カードＩＤと会員ＩＤから特定される持玉数若しくは計数された持玉数、（会員）カードＩＤと会員ＩＤから特定される貯玉数（会員のみ）、会員ＩＤから特定される来店ポイント数（会員のみ）が記憶されるようになっている。
【００６３】
また、ＲＡＭ３２８ｂに記憶されている本実施例の遊技情報テーブルには、図９（ｂ）に示すように、本日を含む３日間の遊技情報、つまり、本日データ、前日データ、前々日データが記憶されている。尚、前日データ、前々日データは、ＥＥＰＲＯＭ３２８ｃにも記憶されているが、これら前日データ、前々日データを表示する際に、ＥＥＰＲＯＭ３２８ｃから読み出すよりも高速に処理できるようにするために、本実施例では、予めＥＥＰＲＯＭ３２８ｃより読み出した前日データ、前々日データをＲＡＭ３２８ｂに記憶されている遊技情報テーブルに記憶しておくようにしている。
【００６４】
この本実施例の遊技情報テーブルには、対応するパチンコ機２から出力される前述した大当り中信号、確変中信号、時短中信号の図示しない入力端子１〜３への入力状態に基づく現在の遊技状態（本日のみ）と、最新の遊技状態データ（左のビットから順に入力端子１〜入力端子３の入力状態、０：ＬＯＷ／未接続、１：ＨＩＧＨ、本日のみ）並びに前回の遊技状態データ（最新の遊技状態データに更新される前の遊技状態データ、本日のみ）、営業開始時点からの総打込玉数、総賞球数、差玉数（総打込玉数−総賞球数）、総始動回数、大当り状態の発生が識別される毎にリセットされて大当りの発生後からの始動回数である当り後始動回数、営業開始時点からの大当りの発生回数である大当り回数、営業開始時点からの確変状態の発生回数である確変回数と、営業開始時点からの時短状態の発生回数である時短回数と、通常遊技状態において発生した大当りから次に通常遊技状態となるまでに発生した大当りの回数である連荘回数からなる遊技情報が格納されており、これら遊技情報は、入力端子に入力される大当り中信号、確変中信号、時短中信号、始動信号、賞球信号、アウト玉計数信号に基づいて最新の情報に更新される。
【００６５】
尚、これら遊技情報テーブルにおいて集計、管理されている本日の台データは、図１０に示すように、その先頭に台データを含む送信データであることを示す特定のデータヘッダと、当該カードユニット３の装置ＩＤと、モードの種別（後述する通常モード、テストモード、消去モード）を特定可能なモードフラグとが付与された所定フォーマットの送信データ列として、ホールコンピュータ１４０からの送信要求の受信に応じて（遊技状態の変更時には、その時点で）送信される。尚、図１０のＥＣＣは、エラー訂正用コードである。
【００６６】
また、ＲＡＭ３２８ｂに記憶されている本実施例の会員遊技情報テーブルには、図９（ｃ）に示すように、カードリーダライタ３２７に会員カードが挿入された時点からの遊技情報、つまり、該挿入された会員カードを所持する会員の遊技に関する遊技情報が格納されている。
【００６７】
具体的には、会員が遊技を開始した開始時間（会員カードの受付け時刻）、会員が遊技を終了した終了時間（会員カードの返却時刻）、会員の遊技時間、会員が遊技を開始してからの始動回数、会員が遊技を開始してから発生した大当り回数、会員が遊技を開始してから発生した大当り回数、会員が遊技を開始してから発生した確変回数、会員が遊技を開始してから獲得した獲得玉数（遊技開始時の計数済玉数からの差数）、会員が遊技に使用した支出金額と、会員が遊技を開始してから再プレイに使用した再プレイ玉数と、会員が遊技を開始してから使用した持玉数とが更新記憶されており、対応するパチンコ機２で遊技中の会員遊技者が遊技を開始してからの遊技情報（台データ）を把握できるようになっている。
【００６８】
また、ＲＡＭ３２８ｂの所定領域には、図９（ｄ）に示すように、貯留玉数データが記憶されており、計数・端数払出ユニット３４０内部の後述する貯留部に、該計数・端数払出ユニット３４０において計数がなされることによって流入したパチンコ玉数が該貯留玉数データに加算更新される一方、計数・端数払出ユニット３４０から払出しされた端数のパチンコ玉数が該貯留玉数データから減算更新されることにより、現時点において貯留部に貯留されているパチンコ玉数が貯留玉数データにより特定できるようになっている。
【００６９】
また、制御ユニット３２８には、前述したように、対応するパチンコ機２の操作部１４に設けられた残額表示器や、貸出ボタンの操作を検知する貸出ボタンスイッチや、受付け中の会員カードやビジターカードを返却させる際に操作される返却ボタンの操作を検知する返却ボタンスイッチが接続されており、貸出ボタンの操作や返却ボタンの操作を検知できるとともに、これら残額表示器の表示制御を実施する。
【００７０】
制御ユニット３２８は、リモコンからの送信に応じたＩＲ受光ユニット３１５からの出力や突出部３０５に設けられている各種ボタンの操作やタッチパネルの操作に応じて表示制御基板３２９から入力される各種情報や、紙幣識別ユニット３２１による貨幣識別情報、並びにカードリーダライタ３２７からのカード挿入情報やビジターカードの貯留状態情報等を受けて、制御ユニット３２８に接続されている前記多機能ランプ内に設けられたフルカラーＬＥＤ３０１ａ等の各ＬＥＤの点灯制御、カードリーダライタ３２７、表示制御基板３２９の制御、残額表示器の表示制御等、全体の動作制御、並びに図２１に示すように、カード挿入口３０９に挿入された会員カードやビジターカードの利用の可／不可を判別するカード受付け処理や、受付け中の会員カード或いはビジターカードから読み出したプリペイド残額データに基づくプリペイド残額を使用した玉貸を行う貸出処理や、返却ボタンの操作により受付け中の会員カードやビジターカードの返却する返却処理や、貨幣の受付けに応じて、受付け中の会員カードやビジターカードに残存するプリペイド残額への入金、或いは新たなビジターカードにプリペイド残額を書き込んで発行する発行・入金処理や、貯玉数を用いた再プレイ処理、払出ボタン３１１の操作の受付けによって計数済玉数（挿入されたビジターカード並びに会員カードにより特定されるものを含む）から払出し（返却し）て該払出した玉数を計数済玉数から減算更新する払出処理、リモコンにおける離席操作に基づく信号の受信により離席モードに移行するための離席処理、振分け操作の受付けによって計数済玉数や貯玉数を他の遊技者の計数済玉数や貯玉数として振分けする振分け処理等の各種処理を実行する。
【００７１】
また、制御ユニット３２８は、通信部３３４並びにＨＵＢ７を介して、ローカルエリアネットワーク（ＬＡＮ）に接続されている前述のシステムコントローラ１００、ホールコンピュータ１４０並びに管理コンピュータ１５０等とデータ通信可能に接続されており、これらの各コンピュータと各種データの送受が該通信部３３４を通じて可能とされている。
【００７２】
また、制御ユニット３２８に接続された表示制御基板３２９は、表示部３１２を成す液晶表示器３１３や、透明タッチパネル３１４や、各種スイッチ類（メニューボタン３１６に対応するメニュースイッチ３１６ａ、台データボタン３１８に対応する台データスイッチ３１８ａ、再プレイボタン３１９に対応する再プレイスイッチ３１９ａ）や、ＩＲ受光ユニット３１５、前述した再プレイ表示部３２０内に設けられたＬＥＤ３２０ａ等の電子部品が接続されており、これら透明タッチパネル３１４の操作情報や、各種スイッチ類の操作情報、ＩＲ受光ユニット３１５から出力された出力信号に基づく情報が、表示制御基板３２９を介して制御ユニット３２８に出力される。
【００７３】
本実施例の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類やタッチパネル等の入力に伴う判断や処理を処理プログラムに基づいて実施する表示制御マイコン等が実装されており、制御ユニット３２８から出力される表示データ（ページデータ）等に基づいて、各種の表示画面を、表示部３１２を成す液晶表示器３１３に表示可能とされている。
【００７４】
ここで、本実施例のカードユニット３における各種動作モードについて図１１に基づき説明すると、カードユニット３は、大きくは、営業中における各種処理を実施する際に移行される通常モードと、これら営業中における各種処理の動作確認（テスト）を行う際に移行されるテストモードと、これらテストモードにおいて使用されたビジターカードに記録された記録データを消去する際に移行される消去モードの３つのモードを有しており、これら各モードへの移行は、図１２に示すように、管理コンピュータ１５０からの各種モード移行要求の受信に応じて図３５に示すモード移行制御処理が実施されることにより、受信したモード移行要求が該当する各モードに移行するようになっている。
【００７５】
また、これらのモードに加えて、遊技者が遊技を中断して離席する際に移行される離席モードや、係員がビジターカードをカードリーダライタ３２７のカード貯留部３７０に補充する際に移行されるカード補充モードや、後述する計数・端数払出ユニット３４０内の貯留部３３８にパチンコ玉を補充する際に移行される加算留保モードを有しており、これらの各種モードは、通常モードとテストモードの双方において移行可能とされている。
【００７６】
つまり、離席モード、カード補充モード、加算留保モードは、基本モードとなる通常モード中でもテストモード中でも移行される下位モードであり、これらのモードへの移行並びに終了は、後述するように、係員が所持する図示しないリモコンの操作によって実施される。
【００７７】
具体的に、通常モードにおいては、図１１に示すように、多機能ランプ３０１の点灯状態は、無点灯状態とされ、動作については全ての動作が実施可能とされ、会員カードまたはビジターカードに記録されるデータとしては、通常のデータ（追加データなし）が記録され、管理コンピュータ１５０やホールコンピュータ１４０等に送信される送信データのモードフラグとしては、通常モードを示す通常フラグ（００）を含む送信データが送信される。
【００７８】
また、テストモードにおいては、図１１に示すように、多機能ランプ３０１の点灯状態は、赤色の連続点灯状態とされ、動作については全ての動作が実施可能とされ、会員カードまたはビジターカードに記録されるデータとしては、テストフラグが追加記録され、管理コンピュータ１５０やホールコンピュータ１４０等に送信される送信データのモードフラグとしては、テストモードを示すテストフラグ（１０）を含む送信データが送信される。
【００７９】
また、消去モードにおいては、図１１に示すように、多機能ランプ３０１の点灯状態は、赤色の点滅点灯状態とされ、図３７に示す消去モード処理に関する動作のみが実施可能とされ、テストフラグが記録されているビジターカードについては、記録されているデータのうち消去対象のデータが全て消去され、管理コンピュータ１５０やホールコンピュータ１４０等に送信される送信データのモードフラグとしては、消去モードを示す消去フラグ（１１）を含む送信データが送信される。
【００８０】
また、離席モードにおいては、機能ランプ３０１の点灯状態は、離席中を示す黄色の点灯状態とされるとともに、表示部３１２に「離席中」の表示が実施され、動作としては、一時返却した会員カードまたはビジターカードの受付け並びに照合のみが可能とされ、管理コンピュータ１５０やホールコンピュータ１４０等に送信される送信データのモードフラグとしては、該離席モードに移行した時点が通常モードであれば通常モードを示す通常フラグ（００）を含む送信データが送信され、該離席モードに移行した時点がテストモードであればテストモードを示すテストフラグ（１０）を含む送信データが送信される。
【００８１】
また、カード補充モードにおいては、機能ランプ３０１の点灯状態は変化せずに、表示部３１２に「補充可」の表示が実施され、動作としては、補充するビジターカードの受付けとカード貯留部３７０への収納動作等のカードの補充に係わる動作のみが可能とされ、管理コンピュータ１５０やホールコンピュータ１４０等に送信される送信データのモードフラグとしては、該カード補充モードに移行した時点が通常モードであれば通常モードを示す通常フラグ（００）を含む送信データが送信され、該カード補充モードに移行した時点がテストモードであればテストモードを示すテストフラグ（１０）を含む送信データが送信される。
【００８２】
また、加算留保モードにおいては、機能ランプ３０１の点灯状態は変化せずに、表示部３１２に「投入可」の表示が実施され、動作としては、補充するパチンコ玉の投入と該投入されたパチンコ玉の貯留部３３８への収納操作等のパチンコ玉の補充に係わる動作のみが可能とされ、管理コンピュータ１５０やホールコンピュータ１４０等に送信される送信データのモードフラグとしては、該加算留保モードに移行した時点が通常モードであれば通常モードを示す通常フラグ（００）を含む送信データが送信され、該加算留保モードに移行した時点がテストモードであればテストモードを示すテストフラグ（１０）を含む送信データが送信される。
【００８３】
また、制御ユニット３２８は、後述するように、管理コンピュータ１５０から定期的（本実施例では約１０秒毎）に送信されてくるオンライン確認要求の受信の有無により、管理コンピュータ１５０との通信状態がオンライン状態であるかオフライン（通信不能）状態であるかを検知できるようになっているとともに、これらオンライン確認要求の受信に応じて装置ＩＤを含むオンライン確認応答を管理コンピュータ１５０に返信することで、管理コンピュータ１５０においても各カードユニット３のオンライン・オフライン状態を検知できるようになっている。尚、これらオンライン確認要求としては、他のデータ送信要求にて代用される場合がある。
【００８４】
これらオフラインの検知として制御ユニット３２８は、オンライン確認要求の受信が所定時間を経過しても無い場合には、管理コンピュータ１５０に対してオンライン確認要求を送信し、該オンライン確認要求を送信に応じたオンライン確認応答の返信がないときに、オフライン状態が発生したと判定する。
【００８５】
同様に、管理コンピュータ１５０においても、オンライン確認応答が返信されないカードユニット３に対して再度オンライン確認要求を送信し、該再度のオンライン確認要求に対してもオンライン確認応答が返信されてこないときに、オフライン状態が発生したと判定するようになっている。
【００８６】
また、制御ユニット３２８は、計数・端数払出ユニット３４０と計数情報や端数払出要求等の各種のデータを、少ない通信線数にてデータの送受が可能なシリアル通信により送受可能に接続されている。
【００８７】
ここで、本実施例の計数・端数払出ユニット３４０について、詳細に説明すると、本実施例の計数・端数払出ユニット３４０は、図２並びに図６に示すように、パチンコ機２の下皿２４と、遊技島の繕板１との間に配置された横長の箱状とされており、カードユニット３の最も下方位置に設けられている回収流路ボックス３４８に連結樋３４４を介して連結されている。
【００８８】
つまり、カードユニット３の本体の前面下方に設けられた回収流路ボックス３４８に繋がる連結樋装着口３４８’に、図６に示すように、直角に屈曲された連結樋３４４の端部を装着することで、計数・端数払出ユニット３４０が下皿２４の直下に位置するようになっている。
【００８９】
そして、計数・端数払出ユニット３４０の上面には、下皿２４から排出されるパチンコ玉が投入されるホッパ形状とされた投入部３４５が形成されているとともに、その前面のカードユニット３本体側（向かって左側）には、払出し（返却）された端数のパチンコ玉が取り出し可能に貯留される返却貯留部３４２が設けられている。
【００９０】
また、本実施例の計数・端数払出ユニット３４０の打球操作ハンドル２５側には、段部が設けられているとともに、該段部に、弾性部材を上面に有して該弾性部材の高さ位置を調節可能な手置き部材３４３が配置されており、遊技者は、該打球操作ハンドル２５を操作する際に、手の手首近傍の部位を、該手置き部材３４３上に置くことができるようになっていて、長時間の遊技において、打球操作ハンドル２５の操作により手が疲れることを防止できるようになっているが、本発明はこれに限定されるものではなく、これら段部や手置き部材３４３を有しないようにしても良い。
【００９１】
計数・端数払出ユニット３４０は、主に、ユニットの上部を構成する上部ユニット３４０ａと、ユニットの下部を構成する下部ユニット３４０ｂとから成っていて、下部ユニット３４０ｂに対して上部ユニット３４０ａが着脱自在とされている。
【００９２】
上部ユニット３４０ａの上部は、下皿２４から排出されたパチンコ玉を一時貯留可能な凹状とされた投入部３４５とされている。
【００９３】
そして、投入部３４５の底面の最も低い位置には、下部ユニット３４０ｂ内に形成された計数流路３４７に繋がる流入口３４６が設けられている。計数流路３４７は、後述するように、連結樋３４４の方向に向くて、該連結樋３４４側が下方となるように傾斜して形成されているとともに、流入口３４６は、該計数流路３４７の傾斜方向に対して直角方向となる、計数・端数払出ユニット３４０の後方側に向けて開口するように設けられている。
【００９４】
よって、投入部３４５に投入されたパチンコ玉は、該流入口３４６から計数流路３４７に流入して該計数流路３４７上を連結樋３４４の方向に向けて流下し、該計数流路３４７の下流部に設けられている後述する計数センサ３５６にて計数されるようになっている（図８参照）。
【００９５】
つまり、これら流入口３４６並びに計数流路３４７によって本発明の計数通路が形成され、流入口３４６の向きが、計数流路３４７における通路の向きに直角となるように設けられていることで、計数通路が１つの屈曲部を有することになり、これら流入口３４６から棒状の金属部材が挿入されて計数センサ３５６に到達してしまうことを防止できるようになっている。
【００９６】
尚、計数流路３４７の上部には、計数・端数払出ユニット３４０の前側に傾斜するように形成された傾斜カバー部３４５’が設けられており、該傾斜カバー部３４５’上のパチンコ玉は、投入部３４５の前方側に流下するようになっている。つまり、投入部３４５に投入されたパチンコ玉は、該投入部３４５の前側位置に一旦集められた後、該投入部３４５の前側の底部が、流入口３４６が穿設されている投入部３４５の手置き部材３４３側（向かって右側）に向かって傾斜していることで、流入口３４６に向かって流下して、該流入口３４６から計数・端数払出ユニット３４０の後方に向けて流入するようになっている。
【００９７】
このように、下皿２４から投入されたパチンコ玉を投入部３４５の前方側に一旦集めるようにすることにより、投入部３４５内のパチンコ玉を、下皿２４に邪魔されることなく容易に取り出すことができるようになるので好ましい。しかし、本発明はこれに限定されるものではなく、投入されたパチンコ玉を投入部３４５の前方側に集めないようにしても良い。
【００９８】
尚、流入口３４６には、該流入口３４６からのパチンコ玉の流入を遮断するための流入口シャッタ３５２が設けられていて、該流入口シャッタ３５２が解放されることにより、投入部３４５内のパチンコ玉が流入口３４６から計数流路３４７へ流入するようになっている。
【００９９】
また、上部ユニット３４０ａの連結樋３４４側（向かって左側）の側面には、計数を行う際に遊技者により操作される計数操作部３５５が設けられており、該計数操作部３５５における操作により、該計数操作部３５５に内在されている計数スイッチ３５５’が作動することに応じて、流入口シャッタ３５２が解放されるようになっている。
【０１００】
一方、下部ユニット３４０ｂの前面には、図２、図６に示すように、連結樋３４４側端部位置に、有底箱状の返却貯留部３４２が設けられている。返却貯留部３４２の前方部分は、下部ユニット３４０ｂの前面から突出するように設けられているとともに、上部ユニット３４０ａ前面の、該返却貯留部３４２の上部位置となる部分には、取り出し凹部３４２’が設けられており、該返却貯留部３４２に払出しされた端数のパチンコ玉を該返却貯留部３４２から容易に取り出すことができるようになっている。
【０１０１】
次に、本実施例の下部ユニット３４０ｂの構造について図８に基づいて説明する。図８は、上部ユニット３４０ａを取外した際の計数・端数払出ユニット３４０を上方から見た平面図、つまり、下部ユニット３４０ｂを上方から見た平面図を示すものであり、下部ユニット３４０ｂは、図８に示すように、主に、計数流路３４７、計数モジュール３３０、流入路３３９、貯留部３３８、排出流路３３７、返却通路３３５、並びに返却貯留部３４２とから構成されている。
【０１０２】
計数流路３４７は、傾斜カバー部３４５’の直下位置となる計数・端数払出ユニット３４０の後方部に、下部ユニット３４０ｂを横断する形成された２条の流路であり、流入口３４６から流入したパチンコ玉が、連結樋３４４側に向けて整列して流下する。
【０１０３】
計数モジュール３３０は、計数流路３４７の下流側に設けられており、該計数流路３４７を流下してきたパチンコ玉を検知して計数するための計数センサ３５６を有している。
【０１０４】
この計数流路３４７の前方側には、払出単位数未満の端数のパチンコ玉の払出しに使用するパチンコ玉を貯留するための貯留部３３８が、該貯留部３３８の前方側の高さが後方側の高さよりも若干低くなるように傾斜して形成されているとともに、該貯留部３３８と計数モジュール３３０の下流部とが、貯留部３３８側に傾斜する流入路３３９にて接続されていることにより、計数センサ３５６にて計数済みとなったパチンコ玉を、該流入路３３９を通じて貯留部３３８内に流入させて貯留できるようになっている。
【０１０５】
尚、貯留部３３８の前側方位置には、該貯留部３３８内に貯留されているパチンコ玉の流出口３３８’が設けられているとともに、貯留部３３８内には、該流出口３３８’に向けて蛇行するように形成された図示しないガイド溝が設けられており、貯留部３３８内に流入したパチンコ玉は、流入した順に該ガイド溝上に整列した状態にて貯留されるようになっていて、先に貯留されたパチンコ玉から順に、流出口３３８’から流出するようになっている。
【０１０６】
また、計数モジュール３３０内にも２条の流路が形成されており、この２条の流路の内、前側の１条の流路については、計数モジュール３３０の下流端位置に流路変更シャッタ３５１が設けられていて、該流路変更シャッタ３５１が出没することによって、パチンコ玉の流下方向を、連結樋３４４側或いは流入路３３９側に切り替えることが可能とされている。
【０１０７】
尚、流入路３３９への分流部近傍位置には、図８に示すように、該流入路３３９を流下して貯留部３３８に貯留されるパチンコ玉を検出して計数するための貯留玉センサ３５７が設けられている。
【０１０８】
また、流出口３３８’は、貯留部３３８内に貯留されているパチンコ玉が該流出口３３８’に向けて自然流下するように、その高さ位置が、貯留部３３８において最も低い位置とされていて、該流出口３３８’は、図８に示すように、排出流路３３７に接続されている。
【０１０９】
この排出流路３３７内の流出口３３８’の近傍位置には、図８に示すように、払出モータ３５３の回転軸に装着され、外周に１つのパチンコ玉を収容可能な凹部が形成された払出スプロケット３５３’が配置されていて、該払出スプロケット３５３’によって流出口３３８’からのパチンコ玉の自然流出が規制されているとともに、払出モータ３５３を作動させて払出スプロケット３５３’を回転させることにより、流出口３３８’に流出したパチンコ玉が、１つずつ、払出スプロケット３５３’に形成された凹部に取り込まれるとともに、払出スプロケット３５３’が回転することによって排出流路３３７内に排出され、該排出流路３３７を流下して連結樋３４４に合流して、カードユニット３内に回収されるようになっている。
【０１１０】
この排出流路３３７の途中には、返却貯留部３４２に繋がる返却通路３３５への分流口３３６と、装着されている流路切替板を進退させることにより該排出流路３３７を流下してきたパチンコ玉の流路を、連結樋側または返却通路側に切り替え可能とされた流路切替ソレノイド３５８が設けられているとともに、排出流路３３７の該分流口３３６の上流位置には、払出スプロケット３５３’により該排出流路３３７に持ち上げられて供給されたパチンコ玉を検出して計数するための払出センサ３５４が設けられており、該払出センサ３５４により、返却通路３３５を通じて遊技者に払出し（返却）するパチンコ玉数を計数できるとともに、貯留部３３７から連結樋３４４を通じてカードユニット３内に回収（排出）させたパチンコ玉を計数できるようになっている。
【０１１１】
尚、手置き部材３４３が設けられている前述した段部の下方の位置する下部ユニット３４０ｂの内部には、計数・端数払出ユニット３４０の制御を行う制御部３５０となる制御マイコン等が搭載された制御基板３４１が内蔵されている。
【０１１２】
この制御基板３４１には、図３に示すように、計数・端数払出ユニット３４０に内蔵されている前述した流路変更シャッタ３５１、流入口シャッタ３５２、払出モータ３５３、払出センサ３５４、計数スイッチ３５５’、計数センサ３５６、貯留玉センサ３５７並びに流路切替ソレノイド３５８が接続されていて、該制御基板３４１にて計数・端数払出ユニット３４０の各機能が形成されるように制御される。
【０１１３】
また、制御基板３４１は、カードユニット３の本体と連結樋３４４を介して電気的に接続されている。
【０１１４】
具体的には、連結樋３４４の内部には、計数・端数払出ユニット３４０から連結樋装着口３４８’に向けて傾斜するように形成された連結流路が設けられているとともに、該連結流路の上部を連結樋カバー３４４’が覆うように装着されており、該連結樋カバー３４４’内に、連結ケーブルが架設されている。
【０１１５】
そして、カードユニット３本体内部の回収流路ボックス３４８の前方側上部位置には、制御ユニット３２８や図示しない電源回路に接続ケーブルを介して接続された所定数の金属製の接続端子ピン３４９’を有する接続端子部３４９が設けられている。
【０１１６】
そして、これら接続端子ピン３４９’は、連結樋３４４に装着される連結樋装着口３４８’の上部位置に臨むように設けられている。
【０１１７】
一方、連結樋カバー３４４’の連結樋装着口３４８’への装着端部には、連結樋カバー３４４’内の連結ケーブルに接続された端子挿入部材が設けられている。
【０１１８】
よって、連結樋３４４を連結樋装着口３４８’へ装着すると、接続端子ピン３４９’が端子挿入部材に挿入して、これら接続端子ピン３４９’と端子挿入部材とが導通することによって、カードユニット３本体内部の制御ユニット３２８と制御基板３４１とが通信可能に接続されるとともに、これら制御基板３４１にカードユニット３本体から動作電力が供給される。
【０１１９】
ここで、計数・端数払出ユニット３４０におけるパチンコ玉の流れについて、図３３を用いて説明すると、貯留部３３８内にパチンコ玉が貯留されていない状態において、パチンコ玉を計数した場合には、図３３（ａ）に示すように、流路変更シャッタ３５１により、流入路３３９側に流路が変更されることにより、計数センサ３５６により計数された計数済みのパチンコ玉が流入路３３９を通じて貯留部３３８内に流入して貯留されていく。
【０１２０】
尚、この際、流入路３３９並びに貯留部３３８内に流入するパチンコ玉は、貯留玉センサ３５７により検出されていき、１球のパチンコ玉が検出される毎に制御基板３４１（制御部３５０）に対して検出信号が出力されていくことにより、制御基板３４１（制御部３５０）において貯留部３３８内並び流入路３３９内に流入したパチンコ玉数である補充玉数が計数されるようになっていて、これら計数された補充玉数を含む補充玉数情報が、制御ユニット３２８に送信されることで、貯留玉数データに該補充玉数が加算更新される。尚、これら補充玉数情報には、制御ユニット３２８にてカードユニット３の装置ＩＤが付与されて管理コンピュータ１５０に送信されることにより、該補充玉数情報に基づいて、貯留・払出履歴テーブルにおいて、該装置ＩＤに対応する貯留・払出履歴として、「貯留」の種別と該補充玉数とを含む貯留・払出履歴が登録される。
【０１２１】
具体的には、貯留玉センサ３５７による新たなパチンコ玉の検出に応じた検出信号の入力の開始から、貯留部３３８内並び流入路３３９内がパチンコ玉により満たされることにより、貯留玉センサ３５７によってパチンコ玉が所定時間以上連続して検出されるか、或いは、所定時間以上連続してパチンコ玉の検出がなされなくなるまでに入力された検出信号の数をカウントし、該カウント数を補充玉数情報として制御ユニット３２８に送信することにより、制御ユニット３２８は、補充玉数情報に含まれるカウント数を貯留玉数データに加算更新する。
【０１２２】
このようにして貯留部３３８内並び流入路３３９内がパチンコ玉により満たされた後は、図３３（ｂ）に示すように、流路変更シャッタ３５１による流入路３３９側への流路変更が解除されることで、計数センサ３５６により計数された計数済みのパチンコ玉は全て、連結樋３４４を流下してカードユニット３内部の回収流路ボックス３４８を介して遊技島内に回収される。
【０１２３】
そして、このように貯留部３３８にパチンコ玉が貯留されている状態において、払出単位未満の端数のパチンコ玉数、例えば、端数として２０玉の払出し（返却）がなされる場合、つまり、後述するように、制御ユニット３２８から払出し（返却）する端数である２０玉を含む端数払出要求を受信した場合には、図３３（ｃ）に示すように、流路を流路切替ソレノイド３５８により返却通路３３５へ切り替えるとともに、該受信した端数払出要求に含まれる払出玉数（端数）である２０の検出信号が払出センサ３５４から入力されてくるまで払出モータ３５３を作動させることにより、該払出玉数（端数）である２０個のパチンコ玉を排出流路３３７に供給することで、これら排出流路３３７に供給された２０個のパチンコ玉が、分流口３３６から返却通路３３５に流入して、返却貯留部３４２に返却されて貯留されるようになる。
【０１２４】
尚、これら端数に相当する数の検出信号が払出センサ３５４から入力されてきた際には、端数払出要求の応答として、端数払出完了通知が制御ユニット３２８に対して送信されることにより、制御ユニット３２８は、端数払出要求に含めて送信した端数である２０を貯留玉数データから減算更新するとともに、後述するように、管理コンピュータ１５０に対して払出完了通知を送信する。
【０１２５】
また、管理コンピュータ１５０からの排出指示の受信に応じて制御ユニット３２８から送信される排出する排出玉数、例えば、５５玉を含む排出要求を受信した場合には、図３３（ｄ）に示すように、流路の返却通路３３５への切り替えを実施せずに、該受信した排出要求に含まれる排出玉数である５５の検出信号が払出センサ３５４から入力されてくるまで払出モータ３５３を作動させることにより、該排出玉数である５５個のパチンコ玉を排出流路３３７に供給することで、これら排出流路３３７に供給された５５個のパチンコ玉が、連結樋３４４並びにカードユニット３本体内部の回収流路ボックス３４８を通じて遊技島内に回収されるようになる。
【０１２６】
尚、これら排出玉数に相当する数の検出信号が払出センサ３５４から入力されてきた際には、排出要求の応答として、排出完了通知が制御ユニット３２８に対して送信されることにより、制御ユニット３２８においては、排出要求に含めて送信した排出玉数である５５が貯留玉数データから減算更新される。
【０１２７】
また、排出要求に含まれる排出玉数が全数である場合には、払出センサ３５４からのパチンコ玉の検出信号の入力が無くなるまで払出モータ３５３を作動させることにより、貯留部３３８並びに流入路３３９に貯留されている全てのパチンコ玉が連結樋３４４に排出され、貯留部３３８並びに流入路３３９は空状態となる。
【０１２８】
次に、本実施例の振分け装置５について、簡単に説明すると、振分け装置５は、図１に示すように、縦長箱状の外観を有しており、その前面には、稼働状況を報知するための稼働報知ランプと、表面に透明タッチパネルを有する液晶ディスプレイからなる表示装置と、振分け元のビジターカード或いは会員カードが挿入される第１カード挿入口と、該第１カード挿入口５０４に対応して設けられ、該第１カード挿入口５０４からのカードの排出等を点滅等により報知する第１挿入口ＬＥＤと、振分け先のビジターカード或いは会員カードが挿入されるとともに、新たな振分け先のビジターカードが発行される第２カード挿入口と、該第２カード挿入口に対応して設けられ、該第２カード挿入口からのカードの排出等を点滅等により報知する第２挿入口ＬＥＤとが設けられている。
【０１２９】
表示装置には、振分け装置５の操作案内が表示されて、該操作案内に沿ってカードの挿入や、メニューの選択を実施することで、簡単に振分けを実施できるようになっている。
【０１３０】
装置内部には、前述したカードユニット３に内蔵されているカードリーダライタ３２７（図４参照）とほぼ同じ構成とされた第１カードリーダライタが、第１カード挿入口５０４に臨むように設けられているとともに、カードリーダライタ３２７（図４参照）と同じ構成とされた第２カードリーダライタが、第２カード挿入口５０４に臨むように設けられている。
【０１３１】
尚、第２カードリーダライタは、前述のカードリーダライタ３２７と同様に、発行するビジターカードを貯留するカード貯留部を有していて、新たに振分け先のビジターカードを発行できるようになっているのに対し、第１カードリーダライタは、これらカード貯留部を省いた構成とされていて、ビジターカードの発行機能を有しないものとされている。
【０１３２】
また、振分け装置５の装置内部には、振分け装置５に設けられた各部に接続されて、該振分け装置５が有する各種機能を実現するための制御を行う制御部が設けられており、該制御部は、振分け装置５が有する各種機能を実現するための制御内容が記述された制御プログラムを記憶する図示しないＲＯＭや、該制御プログラムを実行するマイクロコンピュータ（ＣＰＵ）や、該マイクロコンピュータ（ＣＰＵ）が処理に使用可能なＲＡＭ等を有している。尚、ＲＯＭには、カードユニット３と同じく、管理コンピュータ１５０から送信される振分け設定情報が記憶されており、該振分け設定情報によって貯玉数からの直接振分けの許諾が設定されているか否かを特定できるようになっている。
【０１３３】
また、制御部は、前述したローカルエリアネットワーク（ＬＡＮ）に通信部を通じて接続されており、該ローカルエリアネットワーク（ＬＡＮ）上の管理コンピュータ１５０等とのデータ通信が可能とされていて、これら管理コンピュータ１５０と連携することにより、カードユニット３における後述する振分けと同じ振分けを実施することができるようになっている。
【０１３４】
次に、本実施例のシステムコントローラ１００について、図１３に基づき説明する。まず、本実施例に用いたシステムコントローラ１００は、図１３に示すように、コンピュータ内部にてデータの送受を行うデータバス１０１に、該システムコントローラ１００が実施する各種処理を行うＣＰＵ１０２、ワークメモリ等として使用されるＲＡＭ１０３、時刻情報やカレンダ情報を出力するＲＴＣ１０４、ハードディスク等からなる記憶装置１０５、キーボードやマウス等の入力装置１０６、各種の画面を表示出力する表示装置１０７、各種情報をプリント出力するプリンタ１０８、ローカルエリアネットワーク（ＬＡＮ）に接続されたカードユニット３（制御ユニット３２８）や振分け装置５やカード発行・入金機等の各装置とのデータ通信を行う通信部１０９、カード会社に設置された管理サーバ１２とのデータ通信を行うデジタルサービスユニット（ＤＳＵ）１１０が接続された通常のコンピュータである。
【０１３５】
記憶装置１０５には、システムコントローラ１００において実施される各種処理を行うための処理内容が記述された処理プログラムに加えて、会員カードに残存するプリペイド残額を管理するための会員カードテーブル（図１４（ａ）参照）と、ビジターカードに残存するプリペイド残額を管理するためのビジターカードテーブル（図１４（ｂ）参照）とが記憶されている。
【０１３６】
会員カードテーブルには、図１４（ａ）に示すように、各会員カードを個々に識別可能な会員カードＩＤに対応付けて、当該会員カードの発行を受けた会員遊技者の会員ＩＤと、プリペイド残額と、当該会員カードが使用不可であるか否かを示す使用不可フラグとが記憶されており、会員カードに記憶されている会員カードＩＤ若しくは会員ＩＤから、プリペイド残額や当該会員カードの使用可否を特定できるようになっている。
【０１３７】
また、ビジターカードテーブルには、図１４（ｂ）に示すように、各ビジターカードを個々に識別可能なカードＩＤに対応付けて、当該ビジターカードの状況（利用中であるか保管中であるか）と、当該プリペイドカードが発行された最新の日時である最新発行日時と、プリペイド残額と、当該カードが使用不可であるか否かを示す使用不可フラグとが記憶されており、ビジターカードに記憶されているカードＩＤから、プリペイド残額や当該ビジターカードの使用可否、並びに最新発行日時を特定できるようになっている。
【０１３８】
尚、記憶装置１０５には、図１３に示すように、カードユニット３のテストモード中におけるカード利用に関する情報の管理に使用される会員カードテーブルとビジターカードテーブルとが格納されているテストモード用記憶領域と、カードユニット３の通常モード中におけるカード利用に関する情報の管理に使用される会員カードテーブルとビジターカードテーブルとが格納されている通常モード用記憶領域とが個別に設けられており、カードユニット３から送信される各種の要求や通知等の送信データ（図１０参照）に含まれるモードフラグがテストモードに該当するフラグである場合には、テストモード用記憶領域の会員カードテーブル或いはビジターカードテーブルが更新される一方、送信データ（図１０参照）に含まれるモードフラグが通常モードに該当するフラグである場合には、通常モード用記憶領域の会員カードテーブル或いはビジターカードテーブルが更新されることにより、テストモード中における情報と通常モード中における情報とが個別に記憶、管理されるようになっている。
【０１３９】
本実施例のシステムコントローラ１００（ＣＰＵ１０２）は、カードユニット３における会員カードまたはビジターカードの受付けに応じて各カードユニット３から送信される、該カードユニット３の装置ＩＤ並びに該受付けた会員カードまたはビジターカードから読み出した（会員）カードＩＤ並びにプリペイド残額を含むカード受付け通知の受信に応じて、該会員カードまたはビジターカードの使用の可否を判定してカードユニット３に返信するカード受付け処理を実施する。
【０１４０】
また、本実施例のシステムコントローラ１００（ＣＰＵ１０２）は、カードユニット３における貸出処理の実施に伴い送信される後述の貸出完了通知の受信に応じて、該受信した貸出完了通知に含まれる（会員）カードＩＤに対応して会員カードテーブル若しくはビジターカードテーブルに記憶されているプリペイド残額から、該貸出完了通知に含まれる税込使用額を減算更新する減算更新処理を行う。
【０１４１】
また、本実施例のシステムコントローラ１００（ＣＰＵ１０２）は、カードユニット３或いはカード発行・入金機における発行・入金処理の実施に伴い送信される後述のカード入金通知の受信に応じて、該受信したカード入金通知に含まれる（会員）カードＩＤに対応して会員カードテーブル若しくはビジターカードテーブルに記憶されているプリペイド残額に、該カード入金通知に含まれる入金金額を加算更新する入金更新処理を行う。
【０１４２】
また、本実施例のシステムコントローラ１００（ＣＰＵ１０２）は、カードユニット３や振分け装置５におけるビジターカードの発行に伴って該カードユニット３や振分け装置５から送信される振分け発行通知の受信に応じて、該受信した振分け発行通知に含まれるカードＩＤに対応してビジターカードテーブルに記憶されているプリペイド残額に「０」を記憶するとともに、状況と最新発行日時のデータを更新する更新処理を行う。
【０１４３】
次に、本実施例の管理コンピュータ１５０について、図１５に基づき説明する。まず、本実施例に用いた管理コンピュータ１５０は、図１５に示すように、コンピュータ内部にてデータの送受を行うデータバス１５１に、該管理コンピュータ１５０が実施する各種処理を行う中央演算処理装置（ＣＰＵ）１５２、ワークメモリ等として使用されるＲＡＭ１５３、時刻情報やカレンダ情報を出力するリアルタイムクロック（ＲＴＣ）１５４、ハードディスク等からなる記憶装置１５５、キーボードやマウス等の入力装置１５６、各種の画面を表示出力する表示装置１５７、各種情報をプリント出力するプリンタ１５８、ローカルエリアネットワーク（ＬＡＮ）に接続されたカードユニット３や振分け装置５や景品交換用ＰＯＳ端末１７０とのデータ通信を行う通信部１５９が接続された通常のコンピュータである。
【０１４４】
記憶装置１５５には、管理コンピュータ１５０において実施される各種処理を行うための処理内容が記述された処理プログラムに加えて、会員カードを所持する会員遊技者が所有する貯蓄玉数である当日において当該会員遊技者により獲得された持玉数並びに当日前に当該会員遊技者により獲得された貯玉数を管理するための会員貯蓄管理テーブル（図１６（ａ）参照）と、ビジターカードに記録されている該ビジターカードを所持する遊技者により当日において獲得された持玉数を管理するためのビジター貯蓄管理テーブル（図１６（ｂ）参照）と、遊技場内の各カードユニット３におけるその時点の計数済玉数と各カードユニット３に受付け中のカードとを管理するためのユニット管理テーブル（図１７（ａ）参照）と、各カードユニット３の貯留部３３８にその時点において貯留されている現存貯留数と貯留部３３８からの貯留履歴並びに払出し履歴とを管理するための貯留・払出履歴テーブル（図１７（ｂ）参照）と、遊技場内において振分けがなされた振分け履歴が格納されて管理される振分け履歴テーブル（図１８参照）と、会員カードを所有する会員遊技者に関する会員情報が格納される会員情報テーブル（図１９（ａ）参照）と、会員遊技者を特定可能な会員ＩＤ毎に、当該会員遊技者の遊技情報を含む遊技履歴が格納される会員別遊技履歴テーブル（図１９（ｂ）参照）とが記憶されている。
【０１４５】
尚、記憶装置１５５には、図１５に示すように、カードユニット３のテストモード中における情報の管理に使用される上記した各種テーブルが格納されているテストモード用記憶領域と、カードユニット３の通常モード中における情報の管理に使用される上記した各種テーブルが格納されている通常モード用記憶領域とが個別に設けられており、カードユニット３から送信される送信データ（図１０参照）に含まれるモードフラグがテストモードに該当するフラグである場合には、テストモード用記憶領域の該当データが更新される一方、送信データ（図１０参照）に含まれるモードフラグが通常モードに該当するフラグである場合には、通常モード用記憶領域の該当データが更新されることにより、テストモード中における情報と通常モード中における情報とが個別に記憶、管理されるようになっている。但し、図１７（ａ）、（ｂ）に示すユニット管理テーブルと貯留・払出履歴テーブルについては、各モードで共通とされている。
【０１４６】
会員貯蓄管理テーブルには、図１６（ａ）に示すように、各会員カードＩＤに対応付けて、当該会員カードの発行を受けた会員遊技者を個々に識別可能な会員識別情報である会員ＩＤと、当該会員遊技者がその当日において獲得した獲得玉数の合計であって遊技や景品交換に未使用の玉数である持玉数と、当該会員遊技者がその当日前において獲得した獲得玉数の合計であって遊技や景品交換に未使用の玉数である貯玉数とが記憶されており、会員カードに記憶されている会員カードＩＤ若しくは会員ＩＤから、当該会員遊技者が所有する貯蓄玉数である持玉数や貯玉数を特定できるようになっている。
【０１４７】
尚、会員貯蓄管理テーブルに管理されている持玉数は、その当日のみ持玉数として管理されており、営業終了後の営業終了時処理（データ更新処理）において会員貯蓄管理テーブルに存在する持玉数は、貯玉数に加算更新された後、全てリセットされる。
【０１４８】
また、ビジター貯蓄管理テーブルには、図１６（ｂ）に示すように、各ビジターカードを個々に識別可能なカードＩＤに対応付けて、当該ビジターカードの最新発行日時と、該ビジターカードを所持する遊技者がその当日において獲得した獲得玉数の合計であって遊技や景品交換に未使用の玉数である持玉数とが記憶されており、ビジターカードに記憶されているカードＩＤから、当該遊技者が所有する持玉数を特定できるようになっている。
【０１４９】
尚、ビジター貯蓄管理テーブルに管理されている持玉数は、該持玉数が計数されたその当日のみ有効とされており、後述する営業終了後の営業終了時処理においてビジター貯蓄管理テーブルに存在する持玉数が全てリセットされることにより無効化される。また、ビジターカードに当日前の持玉数が記録されている場合には、該持玉数は無効として消去される。
【０１５０】
ユニット管理テーブルには、図１７（ａ）に示すように、遊技場内に設置された各カードユニット３に固有に付与された装置ＩＤに対応付けて、カードユニット３のローカルＩＰアドレスが格納されるローカルＩＰと、当該カードユニット３が設置されている遊技島の島番号が格納される設置島と、当該カードユニット３がカードの受付中であるか待機中であるかが格納される状況と、当該カードユニット３が対応するパチンコ機２の台番号が格納される対応台番号と、受付け中の会員カードまたはビジターカードのカードＩＤが格納される受付ＩＤと、その時点における各カードユニット３の計数済玉数とが記憶されており、これら計数済玉数のデータは、管理コンピュータ１５０からの送信要求の受信に応じて定期的に各カードユニット３から送信されるとともに、計数済玉数の変更後の所定時間後（例えば５秒後）に、各カードユニット３から送信されることで、最新の計数済玉数が管理されるようになっている。尚、これら「状況」と、「受付ＩＤ」と、「計数済玉数」のデータは、通常モードまたはテストモードに移行する際にリセットされる。
【０１５１】
貯留・払出履歴テーブルには、図１７（ｂ）に示すように、遊技場内に設置された各カードユニット３に固有に付与された装置ＩＤに対応付けて、当該カードユニット３に連結されている計数・端数払出ユニット３４０内部の貯留部３３８に、その時点において貯留されているパチンコ玉数が格納される現在貯留数とともに、日付、貯留或いは払出し（排出を含む）であるかの種別、貯留または払出しされた玉数、当該種別が貯留である場合において該貯留された玉数の内で貯留部３３８に残存するパチンコ玉数である存在数とから成る貯留・払出履歴が記憶されていて、その時点において各カードユニット３の貯留部３３８に貯留されているパチンコ玉数を特定できるとともに、何時にパチンコ玉が貯留または払出されたかを特定できるようになっている。
【０１５２】
尚、種別が「払出」の貯留・払出履歴が新規に登録された場合には、該新規に登録された「払出」の貯留・払出履歴に含まれる玉数を、最も古い種別が「貯留」の貯留・払出履歴の存在数から減算更新（存在数が少ない場合には、次に古い履歴から順に、順次減算更新）していき、存在数が０となった履歴と、当該存在数が０となった履歴前の全ての履歴を削除するようになっており、このようにすることにより、最も古い種別が「貯留」の貯留・払出履歴によって、最も長く貯留部３３８に貯留されているパチンコ玉の貯留期間を特定できるとともに、貯留部３３８に存在するパチンコ玉のそれぞれの貯留期間についても特定できるようになっている。
【０１５３】
振分け履歴テーブルには、図１８に示すように、振分けが実施された日付と、振分けが実施されたカードユニット３または振分け装置５の装置ＩＤと、振分け元のカードのカードＩＤと、振分け先のカードのカードＩＤと、振分け先がビジターカードである場合に該ビジターカードが発行されたものであるかを示す発行と、振分けされた持玉数である振分け持玉数と、振分けされた貯玉数である振分け貯玉数と、当該振分けにおいて徴収された手数料玉数（貯玉数）と、振分け先のカードが当該振分け後にカードユニット３に受付けられているか否かを示す利用受付けとから成る振分け履歴が格納されており、本実施例では、後述する振分け設定画面の集計対象期間として選択可能な最大期間である１ヶ月の振分け履歴が記憶されるようになっている。
【０１５４】
尚、「発行」に格納されるデータとしては、ビジターカードの発行があった場合において「１」が格納され、ビジターカードの発行がない場合には「０」が格納される。また、「利用受付け」に格納されるデータとしては、受付け済みである場合において「１」が格納され、受付け済みでない場合において「０」が格納される。
【０１５５】
このように、本実施例では、これら振分け履歴テーブルにより、所定期間、例えば一日において該遊技場において振分けされたパチンコ玉の総数を、当日の日付が格納されている全ての履歴の振分け持玉数と振分け貯玉数とを合計することで特定できるとともに、同様に、振分け元カードに同一のカードＩＤが記憶され、当日の日付が記憶されている全ての履歴の振分け持玉数並びに振分け貯玉数を合計することで、該振分け元カードからその当日において振分けられたパチンコ玉の総数を特定でき、更には、振分け先カードに同一のカードＩＤが記憶され、当日の日付が記憶されている全ての履歴の振分け持玉数並びに振分け貯玉数を合計することで、該振分け先カードに対してその当日において振分けされたパチンコ玉の総数も特定できるようになっている。
【０１５６】
会員情報テーブルには、図１９（ａ）に示すように、会員カードを所持する会員遊技者の会員ＩＤに対応付けて、本人確認のための暗証番号と、会員カードの受付けに応じて一日に１回所定の来店ポイントが加算更新される来店ポイントと、来店状況等に基づくランクと、会員の氏名（名字並びに名前）、性別、年齢、誕生日、職業、住所、電子メールアドレスからなる会員属性情報（個人情報）とが登録されている。
【０１５７】
また、会員別遊技履歴テーブルには、図１９（ｂ）に示すように、会員ＩＤ毎に、当該会員遊技者の遊技履歴、具体的には、来店日、遊技を行ったパチンコ機２の台番号、機種名、遊技開始時間（時刻）、遊技終了時間（時刻）、遊技開始から終了までの間の遊技時間、始動回数、大当回数、確率変動回数（確変回数）、獲得玉数、支出金額、再プレイ玉数、使用持玉数からなる遊技履歴が格納されている。会員別遊技履歴テーブルの来店日には、ＲＴＣ１５４から出力されるカレンダ情報に基づく当該遊技履歴の記憶時点の年月日が格納されるとともに、遊技開始時間、遊技終了時間、遊技時間、始動回数、大当回数、確変回数、獲得玉数、支出金額の遊技履歴は、計数・払出ユニット４を介して会員カードの返却時にカードユニット３から送信される会員遊技履歴データに基づいて記憶される。
【０１５８】
ここで、本実施例の管理コンピュータ１５０にて実施可能な振分け設定について、図２０（ａ）に基づいて説明すると、本実施例の管理コンピュータ１５０では、遊技場内のカードユニット３や振分け装置５にて実施される振分けについての制限に関する各種の設定が、図２０（ａ）に示す振分け設定画面において可能とされている。
【０１５９】
これら制限の内容としては、具体的には、図２０（ａ）に示すように、遊技場全体における振分け総数の制限や、１のビジターカードまたは会員カードから振分けされる総数の制限や、１のビジターカードまたは会員カードに振分けされる総数の制限や、１の振分け後において該カードがカードユニット３に受付けされる以前における再度の振分けの制限と、貯玉数からの直接振分けの制限とが有り、これら各制限の内容を遊技場の所望する内容にて設定できるとともに、通常モードとテストモードとで個別に設定できるようになっている。
【０１６０】
本実施例の振分け設定画面には、図２０（ａ）に示すように、画面の上部位置に、「集計対象期間」の設定項目が設けられており、該振分け設定画面において制限する内容と比較するデータを集計する期間を指定できるようになっている。
【０１６１】
例えば、振分けの総数等の制限を、時間帯、例えば営業開始から１５時までにおいて実施したい場合であれば、「始業から１５時」までの内容を選択すれば良く、一日単位にて制限したい場合には、該「集計対象期間」の設定項目において「一日」を選択すれば良く、また、一週間単位にて制限したい場合でれば、「集計対象期間」の設定項目において「一週間」を選択すれば良い。
【０１６２】
尚、本実施例では、これら集計期間を制限する各項目において全て共通としているが、本発明はこれに限定されるものではなく、これらの集計期間を、振分け総数、振分け元上限制限、振分け先上限制限のそれぞれについて、個別に設定できるようにしても良い。
【０１６３】
振分け総数制限の項目には、図２０（ａ）に示すように、該振分け総数制限の実施／非実施を選択するためのチェックボックスが設けられているとともに、制限する総数を入力する入力部が設けられており、該振分け総数制限を実施する場合には、「する」に対応するチェックボックスを選択してチェックするとともに、入力部に制限したい総数の値（上限値）を入力すれば良い。
【０１６４】
また、振分け元上限制限の項目には、図２０（ａ）に示すように、該振分け元上限制限の実施／非実施を選択するためのチェックボックスが設けられているとともに、制限する総数を入力する入力部が、会員カードとビジターカードのそれぞれに設けられており、該振分け元上限制限を実施する場合には、「する」に対応するチェックボックスを選択してチェックするとともに、各カードに対応する入力部に制限したい総数の値（上限値）を入力すれば良い。
【０１６５】
また、振分け先上限制限の項目にも、図２０（ａ）に示すように、該振分け先上限制限の実施／非実施を選択するためのチェックボックスが設けられているとともに、制限する総数を入力する入力部が、会員カードとビジターカードのそれぞれに設けられており、該振分け先上限制限を実施する場合には、「する」に対応するチェックボックスを選択してチェックするとともに、各カードに対応する入力部に制限したい総数の値（上限値）を入力すれば良い。
【０１６６】
また、連続振分け制限の項目には、該連続振分け制限の実施／非実施を選択するためのチェックボックスが設けられており、１回の振分けを実施した際の、該振分け先のカードをカードユニット３に挿入して受付けを実施する前に、他の振分けの実施を制限する場合、つまり、カードユニット３に挿入して受付けを実施する前の複数の振分けを制限する場合には、「する」に対応するチェックボックスを選択してチェックすれば良く、カードユニット３に挿入して受付けを実施する前の複数の振分けを許容する場合には、「しない」に対応するチェックボックスを選択してチェックすれば良い。
【０１６７】
このように、連続振分け制限を実施した場合には、振分けの都度毎に、振分け先のカードをカードユニットに挿入して受付けを実施しないと、再度の振分けが実施できないことで、振分けの頻度を実質的に低下させることができるようになる一方、連続振分け制限を実施しない場合、つまり、連続振分けを許容する場合には、振分け先の遊技者は、複数の振分け元の遊技者から連続して振分けを受けることができるようになり、遊技者の利便性を向上できるようになる。
【０１６８】
また、貯玉直接振分けの項目には、会員遊技者が所有する貯玉数からの直接振分けを許諾するか否か、つまり、貯玉数からの直接振分け制限の実施／非実施を選択するためのチェックボックスが設けられており、貯玉数からの直接振分けを許諾する場合には、「許諾」に対応するチェックボックスを選択してチェックすれば良く、貯玉数からの直接振分けを許諾しない場合には、「非許諾」に対応するチェックボックスを選択してチェックすれば良い。
【０１６９】
以上のように、各設定項目において所望する設定内容を指定・入力した後に、該振分け設定画面の下方に設けられている「設定」の選択入力部を選択入力することで、該振分け設定画面の設定内容が更新記憶される。尚、該振分け設定画面の下方に設けられている「リセット」の選択入力部を選択入力した場合には、画面の各項目の内容が所定のデフォルト状態に初期化される。
【０１７０】
そして、このように「設定」の選択入力部が選択入力されたことに応じて管理コンピュータ１５０は、該振分け設定画面における貯玉直接振分けの項目における設定内容を特定可能とされた振分け設定情報を各カードユニット３並びに振り分け装置５に送信して、各カードユニット３のＥＥＰＲＯＭ３２８ｃ或いは振り分け装置５の制御部５１０（ＲＯＭ）に記憶されている振分け設定情報を、該送信した振分け設定情報に更新させる。
【０１７１】
また、本実施例の管理コンピュータ１５０は、各カードユニット３の貯留部３３８に、予め設定された上限期間を過ぎて貯留されているパチンコ玉を排出させる機能を有しており、これらパチンコ玉を排出させるための上限期間等の設定を、図２０（ｂ）に示す貯留玉排出設定画面において、通常モードとテストモードとで個別に実施可能とされている。
【０１７２】
本実施例の貯留玉排出設定画面には、図２０（ｂ）に示すように、上限期間を指定するための貯留上限期間の設定項目と、上限期間を超過しているか否かの判定を実施する時期を指定するための判定時期の項目と、上限期間を超過しているパチンコ玉のみを排出する形態或いは貯留部３３８に貯留されている全てのパチンコ玉を排出する形態のいずれの排出形態とするかを指定するための排出形態の項目と、排出を実施した場合において、排出が実施されることで貯留部３３８へのパチンコ玉の補充が必要であることを、該排出を実施したカードユニット３において報知する排出報知を実施するか否かを指定するための排出報知の項目と、これら排出報知を実施する実施時期を指定するための報知時期の項目とが設けられている。
【０１７３】
これらの各項目について、所望する内容を選択した後、該貯留玉排出設定画面の下方に設けられている「設定」の選択入力部を選択入力することで、該貯留玉排出設定画面の設定内容が更新記憶される。尚、該貯留玉排出設定画面の下方に設けられている「リセット」の選択入力部を選択入力した場合には、画面の各項目の内容が所定のデフォルト状態に初期化される。
【０１７４】
ここで、これら貯留玉排出設定画面に、例えば、図２０（ｂ）に示すように設定された場合を例に、各カードユニット３の貯留部３３８に貯留されているパチンコ玉の排出が実施される流れについて、簡単に説明すると、管理コンピュータ１５０は、該貯留玉排出設定画面の判定時期となった時点、つまり、営業終了時処理の実施時において、図３４（ｂ）に示す貯留玉排出処理を実施して、該貯留玉排出設定画面に設定されている貯留上限期間である３日を超えて、パチンコ玉が貯留されているカードユニット３を、貯留・払出履歴テーブル（図１７（ｂ）参照）に記憶されているデータに基づいて特定して、該貯留上限期間を超えて貯留されているパチンコ玉の排出を実施する。
【０１７５】
具体的には、現存貯留数が存在するとともに、種別が「貯留」である最も古い貯留・払出履歴の日付が、貯留上限期間の項目に設定されている上限期間である「３日」よりも前のものであるか否か、つまり、３日前の日付よりも古い日付を含むとともに種別が「貯留」である貯留・払出履歴が記憶されているカードユニット３の装置ＩＤを、排出指示の送信対象として全て抽出する。
【０１７６】
そして、排出形態として「全部」が選択されている場合には、抽出した全ての装置ＩＤのカードユニット３に対して、排出玉数として全数を含む排出指示を送信する。
【０１７７】
この排出指示の受信に応じてカードユニット３においては、前述したように、制御ユニット３２８から計数・端数払出ユニット３４０の制御基板３４１（制御部３５０）に対して排出玉数である全数を含む排出要求が送信されることにより、貯留部３３８並びに流入路３３９に貯留されている全てのパチンコ玉が、連結樋３４４に排出されて、貯留部３３８並びに流入路３３９が空とされる。尚、この排出によって現存貯留数が「０」となることに応じて、これら排出を実施した各カードユニット３の装置ＩＤに対応して記憶されている全ての貯留・払出履歴が消去される。
【０１７８】
また、排出形態として「期間超過玉のみ」が選択されている場合には、抽出した各装置ＩＤのカードユニット３のそれぞれについて、期間超過をしているパチンコ玉数（期間超過玉数）を特定し、該特定した期間超過玉数を排出玉数として含む排出指示を送信する。
【０１７９】
これら期間超過玉数は、抽出した各装置ＩＤに対応して記憶されている貯玉の種別を含む貯留・払出履歴の内、上限期間である「３日」よりも前の日付を含む履歴を全て特定し、該特定した貯留・払出履歴における存在数を合計することで特定される。
【０１８０】
そして、該特定された期間超過玉数を排出玉数として含む排出指示が当該カードユニット３に対して送信されることに応じて該カードユニット３においては、前述したように、制御ユニット３２８から計数・端数払出ユニット３４０の制御基板３４１（制御部３５０）に対して排出玉数である期間超過玉数を含む排出要求が送信されることにより、流入路３３９並びに貯留部３３８のガイド溝上に、古い順に整列した状態にて貯留されているパチンコ玉のうち、先頭部分となる流出口３３８’に近い領域に貯留されている期間超過玉数のみが計数されて、連結流路３４４に排出される。尚、この排出により、当該日付と該排出された期間超過玉数と種別である「払出」とを含む貯留・払出履歴が新規に登録されることにより、前述したように、上限期間よりも前の日付を含む種別が貯留の貯留・払出履歴における存在数が「０」となることで、該存在数が「０」となった貯留・払出履歴とともに、これら「０」となった貯留・払出履歴よりも古い種別が払出しの貯留・払出履歴が全て消去される。
【０１８１】
そして、排出指示の送信対象として抽出された装置ＩＤは、排出報知対象のカードユニット３として登録され、貯留玉排出設定画面における報知時期となった時点、つまり、営業開示前（開店処理）の実施時において、排出報知対象として登録されている装置ＩＤのカードユニット３に対して排出報知指示を送信することによって、該排出報知指示を受信したカードユニット３の表示部３１２に、貯留されているパチンコ玉の排出が実施されて貯留部３３８へのパチンコ玉の補充が必要である旨の排出報知メッセージが表示されることにより、貯留されているパチンコ玉の排出が実施されたことが報知される。
【０１８２】
これら排出報知メッセージの表示に応じて遊技場の係員は、携行している図示しないリモコンを操作して加算留保モード操作を実施することにより、カードユニット３を加算留保モードに移行させ、補充するパチンコ玉を投入部３４５に投入した後、計数操作部３５５を操作することで、該投入したパチンコ玉が計数済玉数に加算されることなく、貯留部３３８に貯留されてパチンコ玉の補充が実施される。これら補充の実施後において係員は、リモコンを再度操作して加算留保モードを解除して通常モードに戻しておく。
【０１８３】
尚、この排出報知メッセージとともに、補充に必要とされるパチンコ玉数、つまり、新たに貯留可能な玉数を、その時点の貯留玉数と最大貯留玉数との差から特定して表示するようにしても良い。
【０１８４】
また、本実施例の管理コンピュータ１５０は、振分け履歴テーブルに記憶されている振分け処理がなされたカードユニット３の装置ＩＤを含む振分け履歴や、会員情報テーブルに記憶されている来店ポイント等の会員情報等をシステムコントローラ１００やホールコンピュータ１４０に送信する情報提供機能を有しており、遊技場の係員等が、遊技場内のパチンコ機２の遊技情報の確認や監視カメラの映像の確認において利用するホールコンピュータ１４０において、これら振分け履歴の情報や会員情報を確認できるようになっている。
【０１８５】
これら情報提供機能について、図３０に基づいて、振分け履歴の情報が提供される場合を例に、説明すると、まず、ホールコンピュータ１４０において振分け履歴を表示させるための所定の操作を実施すると、該ホールコンピュータ１４０は、既に、管理コンピュータ１５０から取得して記憶している振分け履歴のうち、最新の振分け履歴の日時情報を特定し、該特定した最新の振分け履歴の日時情報を含む振分け履歴要求を管理コンピュータ１５０に対して送信する。
【０１８６】
この振分け履歴要求の受信に応じて管理コンピュータ１５０は、受信した振分け履歴要求に含まれる日時情報以降の日時情報を含む振分け履歴を未送信履歴として特定し、該特定した未送信履歴を全て振分け履歴テーブルから読み出して、振分け履歴情報としてホールコンピュータ１４０に返信する。
【０１８７】
該振分け履歴情報を受信に応じてホールコンピュータ１４０は、受信した振分け履歴を、既に記憶している振分け履歴に追加登録するとともに、該追加登録した振分け履歴を含む振分け履歴の一覧であって、各振分け履歴に含まれる当該振分け処理がなされた装置ＩＤの表示を含む一覧を表示する。
【０１８８】
このようにすることで、パチンコ機２の遊技情報の確認或いは監視カメラの映像の確認において異常の疑いのあるデータや画像を発見した場合等において、これらが異常であるか否かの判断をするために、振分け処理がなされた装置ＩＤの表示を含む振分け履歴の情報をホールコンピュータ１４０において迅速に閲覧できることで、これらの判断を、振分け処理がなされたカードユニット３を特定しながら、迅速かつ正確に実施することができるようになることから好ましいが、本発明はこれに限定されるものではなく、これら振分け履歴の提供機能を管理コンピュータ１５０が有しないものであっても良い。
【０１８９】
以下、本実施例のカードユニット３の動作について、図２１〜図２９を用いて説明する。
【０１９０】
まず、カードユニット３の制御ユニット３２８は、カードユニット３への電源投入により起動されることで、Ｓｂ１の起動処理を実施して、各種テーブルの初期化並びに各部の接続状況の確認や、システムコントローラ１００やホールコンピュータ１４０、管理コンピュータ１５０への接続確認要求の送信、並びに該接続確認要求の送信に応じてシステムコントローラ１００、ホールコンピュータ１４０、管理コンピュータ１５０から返信される設定情報に基づく各設定データに初期値等の設定等を実施する。
【０１９１】
そして、該起動処理の完了後においてＳｂ２〜Ｓｂ１０の処理を巡回実施することで、カード挿入口３０９への会員カード或いはビジターカードの挿入であるカード受付け、遊技者（会員またはビジター）による貸出ボタンの操作、紙幣挿入口３０２からの紙幣の投入による現金受付け、遊技者による返却ボタンの操作、再プレイボタン３１９の操作（表示制御基板３２９からの再プレイ操作情報の受信）、払出ボタン３１１の操作、係員が所持するリモコンにおける離席操作（表示制御基板３２９からの離席操作情報の受信）、遊技者による振分けメニューの選択操作（表示制御基板３２９からの振分け操作情報の受信）、メニューボタン３１６の操作（表示制御基板３２９からのメインメニュー表示操作情報の受信）、を検知する待機状態となる。
【０１９２】
尚、制御ユニット３２８は、Ｓｂ１の起動処理の後、これら図２１に示す通常処理と平行して、計数・端数払出ユニット３４０から送信されてくる計数情報の受信を監視する図２２に示す計数情報処理や、リモコンにおける加算留保モード操作に応じて該リモコンから送信される加算留保要求の受信を監視する処理や、対応するパチンコ機２やアウト玉計数器１６から出力される、大当り中信号、確変中信号、時短中信号、始動信号、賞球信号、アウト玉計数信号の入力や変化を監視する図示しない割込監視処理を、これら通常処理を実施する処理タスクとは個別の処理タスクに基づいて実施することで、各対象状態の発生を監視し、計数済玉数への加算更新や、加算留保モードへの移行やその解除、遊技情報の更新処理を、逐次実施できるようになっている。
【０１９３】
ここで、カードユニット３においてパチンコ玉が計数される流れについて説明すると、パチンコ玉の計数を実施する場合には、まず、遊技者は、パチンコ機２から払出しされて下皿２４に貯留されているパチンコ玉を、該下皿２４に設けられているレバーを操作して投入部３４５に投入する。
【０１９４】
そして、計数したい量のパチンコ玉を投入部３４５に投入した後に、計数操作部３５５を操作して計数流路３４７への流入口３４６に設けられている流入口シャッタ３５２を開放させる。これにより、投入部３４５に一時貯留されているパチンコ玉が、流入口３４６から計数流路３４７へ流入し、該計数流路３４７を流下して計数センサ３５６により検出され、各条について１球のパチンコ玉が検出される毎に、所定パルスの計数センサ信号が制御基板３４１（制御部３５０）に対して出力される。
【０１９５】
制御基板３４１（制御部３５０）は、計数センサ３５６から所定数（例えば１０）の計数センサ信号が、予め設定されている所定時間（例えば１秒）以内に入力された時には、１０個の玉数が計数されたことを示す定数計数コマンドを含む計数情報を、所定数の計数センサ信号がカウントされる毎に制御ユニット３２８に送信する一方、予め設定されている所定時間（例えば１秒）以内に所定数（例えば１０）の計数センサ信号が入力されない場合には、所定時間（例えば１秒）となった時点において入力されてカウントしている計数センサ信号の数に該当する端数計数コマンドを含む計数情報を送信する。尚、これら端数計数コマンドとしては、所定数未満の数に相当する種類のコマンドを予め決めておけば良く、所定数が１０であれば、１に対応する端数計数コマンドから９に対応する端数計数コマンドまでの９種類の端数計数コマンドとすれば良い。
【０１９６】
これら計数情報の受信は、制御ユニット３２８が実施する図２２に示す計数情報処理におけるＳＳ１のステップにて計数情報の受信ありと判定されてＳＳ２のステップに進み、計数・端数払出ユニット３４０に対して計数禁止指示を出力している計数禁止状態であるか否かを判定する。
【０１９７】
計数禁止中である場合には、ＳＳ５のステップに進んで、計数エラーが発生したことを表示部３１２に表示するとともに、多機能ランプ３０１の点灯状態にて報知するエラー報知処理に移行する一方、計数禁止中でない場合には、ＳＳ３のステップに進んで、係員が所持するリモコンによる加算留保モード中であるか否かを判定する。
【０１９８】
尚、これら計数禁止中に受信した計数情報に含まれるコマンドから特定される玉数を、端数の払い出しと同じく、貯留部３３８の貯留されているパチンコ玉を使用して払い出することで、返却貯留部３４２に返却するようにしても良い。
【０１９９】
加算留保モード中でない場合には、ＳＳ４のステップに進んでカードテーブルの持玉数と表示部３１２の計数済玉数に、受信した計数情報に含まれるコマンドの種別に応じた玉数を加算更新してＳＳ１のステップに戻る一方、加算留保モード中である場合には、ＳＳ４のステップを実施することなくＳＳ１のステップに戻る。
【０２００】
つまり、投入部３４５から流入口３４６を通じて計数流路３４７に流入したパチンコ玉は、１個づつ計数センサ３５６により検出されて持玉数と計数済玉数に加算されていく。
【０２０１】
尚、これら加算においては、加算終了を検知するための加算終了検知タイマ（本実施例では５秒が設定されている）が、加算の都度毎にリセットされ、該加算終了検知タイマがタイマアップした時点、つまり、最後の加算が実施されてから加算終了検知タイマに設定されている所定時間が経過した時点において、該カードユニット３の装置ＩＤと、受付け中のカードのカードＩＤと該加算後の計数済玉数とを含む持玉数更新要求が管理コンピュータ１５０に送信されることで、これら加算後の持玉数が管理コンピュータ１５０の会員貯蓄管理テーブル或いはビジター貯蓄管理テーブルの持玉数と、ユニット管理テーブルの計数済玉数とが、該持玉数更新要求に含まれる計数済玉数に遅滞なく更新される。
【０２０２】
次に、上記したＳｂ２〜Ｓｂ１０の待機状態において、遊技者が、ビジターカードまたは会員カードをカード挿入口３０９に挿入した場合には、該ビジターカード或いは会員カードの挿入に伴う挿入検知情報がカードリーダライタ３２７から制御ユニット３２８に出力されることで、制御ユニット３２８は、Ｓｂ２においてカード受付け有りと判断してＳｂ２０のステップに進み、カード受付け処理を実施する。
【０２０３】
このＳｂ２０における本実施例のカード受付け処理においては、カード挿入口３０９に挿入された会員カードまたはビジターカードの取り込み指示をカードリーダライタ３２７に出力して、挿入された会員カード或いはビジターカードをカードリーダライタ３２７のカードスロット３９２内に取り込んで、該会員カード或いはビジターカードに記憶されている記憶データ、具体的には、当該会員カード或いはビジターカードの（会員）カードＩＤと会員ＩＤ（会員カードのみ）とプリペイド残額データ、持玉数データ（ビジターカードのみ）、振分けフラグ、テストフラグ等を読み出す。
【０２０４】
そして制御ユニット３２８は、その時点のモードが通常モードであるときに、読み出したテストフラグが「１」であって、受付けたカードが会員カードであると読み出したカードＩＤから特定される場合には、該会員カードを排出して返却する。つまり、テストモードで使用できるように、テストモード用記憶領域の会員貯蓄管理テーブルや会員情報テーブルに記憶（登録）されている会員カードについては、通常モードでは受付けられることなく返却されテストモードのみにて使用されるようになっている。尚、これらテストフラグが「１」が記録されている会員カードのプリペイド残額の消去は、後述する消去モードにおいてのみ可能とされているとともに、プリペイド残額以外の記録データであるテストフラグの消去や、当該会員カードの会員カードＩＤに対応付けて会員貯蓄管理テーブルや会員情報テーブルに記憶（登録）されている情報の消去については、管理コンピュータ１５０において、所定の操作を実施することにより可能とされている。
【０２０５】
また、制御ユニット３２８は、その時点のモードが通常モードであるときに、読み出したテストフラグが「１」であって、受付けたカードがビジターカードであると読み出したカードＩＤから特定される場合には、後述する消去モードと同じく、これら受付けたビジターカードに記録されている記録データ（プリペイド残額、持玉数、テストフラグ、振分けフラグ）のデータの消去要求を管理コンピュータ１５０に送信し、消去許諾の受信に応じて記録データの消去を行う。
【０２０６】
具体的には、受付けたビジターカードにプリペイド残額が存在する場合には、システムコントローラ１００に対し、受付けたビジターカードから読み出したカードＩＤと、消去するプリペイド残額と、テストモードを示すモードフラグとを含む残額消去要求を送信することに応じて返信される残額消去許諾を受信したことにより、プリペイド残額を消去する。尚、残額消去許諾を受信しないとき（残額消去不可を受信したとき）には、プリペイド残額の消去は行わず、プリペイド残額エラーを表示部３１２に表示してエラーを報知するとともに、該ビジターカードを排出する。
【０２０７】
尚、システムコントローラ１００は、残額消去要求を受信したときには、該残額消去要求にテストモードを示すモードフラグが含まれていることから、テストモード用記憶領域に記憶されているビジターカードテーブルに、該残額消去要求に含まれるカードＩＤに対応付けて記憶されているプリペイド残額と該残額消去要求に含まれるプリペイド残額とが一致することを条件に、該プリペイド残額を消去（「０」に更新）するともに残額消去許諾を返信し、一致しないときには残額消去不可を返信する。
【０２０８】
また、受付けたビジターカードに持玉数或いは振分けフラグが存在する場合には、管理コンピュータ１５０に対し、受付けたビジターカードから読み出したカードＩＤと、持玉数、振分けフラグ、テストモードを示すモードフラグとを含む消去要求を送信することに応じて返信される消去許諾を受信したことにより、持玉数、振分けフラグを消去する。尚、消去許諾を受信しないとき（消去不可を受信したとき）には、記録データの消去は行わず、記録データエラーを表示部３１２に表示してエラーを報知するとともに、該ビジターカードを排出する。
【０２０９】
尚、管理コンピュータ１５０は、消去要求を受信したことに応じて、該消去要求にテストモードを示すモードフラグが含まれていることから、テストモード用記憶領域に記憶されているビジター貯蓄管理テーブルに、該消去要求に含まれるカードＩＤに対応付けて記憶されている持玉数が、該消去要求に含まれる持玉数に一致するか否かとともに、消去要求に振分けフラグが存在する（「１」である）場合には、テストモード用記憶領域の振分け履歴テーブル（図１８参照）に該消去要求に含まれるカードＩＤが振分け先カードとして記憶され、且つ利用受付けに未受付けであることを示す「０」が登録されているか否かを判定し、持玉数が一致し且つ振分け履歴が登録されていることを条件に該持玉数や該振分け履歴を消去するとともに消去許諾を返信し、持玉数が不一致若しくは振分け履歴が登録されていない場合には、消去不可を返信する。
【０２１０】
また、通常モード中において制御ユニット３２８は、読み出したテストフラグが「０」であるビジターカード並びに会員カードを受付けた場合には受付けを継続する。
【０２１１】
また、制御ユニット３２８は、その時点のモードがテストモードであるときに、読み出したテストフラグが「０」であって、受付けたカードが会員カードであると読み出したカードＩＤから特定される場合には、該会員カードを排出して返却する。つまり、テストモード中に誤って正規の会員カードが受付けられた場合に、該会員カードのプリペイド残額や貯玉数や持玉数が使用されてしまうことを防止できるようになっている。
【０２１２】
また、制御ユニット３２８は、その時点のモードがテストモードであるときに、読み出したテストフラグが「０」であって、受付けたカードがビジターカードであると読み出したカードＩＤから特定される場合には、プリペイド残額並びに持玉数が存在しない（０である）場合であって、且つ、振分けフラグが存在しない場合には受付けを継続する一方、プリペイド残額或いは持玉数が存在する（０でない）場合或いは振分けフラグが存在する場合には、会員カードと同じく、該ビジターカードを排出して返却する。尚、本実施例では、テストフラグが「０」であるビジターカードをテストモード中に受付けたときには、カードリーダライタ３２７の所定の読み取り位置に該ビジターカードを保持して受付けを継続するようにしているが、本発明はこれに限定されるものではなく、これらテストフラグが「０」であるビジターカードを、カード貯留部３７０に回収することで、受付けを継続する、つまり、テストモードにて使用できるようにしても良い。
【０２１３】
また、テストモード中において制御ユニット３２８は、読み出したテストフラグが「０」であるビジターカード並びに会員カードを受付けた場合には受付けを継続する。
【０２１４】
つまり、制御ユニット３２８は、受付けた会員カードまたはビジターカードのテストフラグとその時点のモードとが一致（テストフラグが「１」であればテストモード中、テストフラグが「０」であれば通常モード中）する場合、並びにテストモード中にプリペイド残額並びに持玉数が存在せず、テストフラグが「０」であるビジターカードを受付けた場合に受付けを継続する一方、テストモード中にテストフラグが「０」である会員カード或いはビジターカード（プリペイド残額または持玉数のいずれかが存在）を受付けた場合には、記録されているデータを消去することなく受付けた会員カード或いはビジターカードを返却し、通常モード中にテストフラグが「１」である会員カードを受付けた場合にはデータを消去することなく受付けた会員カードを返却し、通常モード中にテストフラグが「１」であるビジターカードを受付けた場合には、記録されているデータを消去して受付けたビジターカードを排出（返却）する。
【０２１５】
すなわち、本実施例の通常モードは、後述するように、テストモードにて使用されたビジターカードの記録データを消去する消去モードの機能を有し、これら消去モードを兼ねたモードとされており、このようにすることで、これらテストモードにて使用されたビジターカードの記録データの消去を、遊技場内の全てのカードユニット３を後述するように消去モードに移行させることなく実施できることから好ましいが、本発明はこれに限定されるものではなく、これら通常モードが消去モードを兼ねていない構成としても良い。
【０２１６】
尚、これら通常モードと後述する消去モードにおいては、テストフラグが「１」である会員カードを受付けた場合の処理内容が異なるようになっているが、本発明はこれに限定されるものではなく、これら会員カードについて消去モードにおける処理（プリペイド残額の消去）を同様に実施するようにしても良い。
【０２１７】
そして制御ユニット３２８は、受付けを継続すると判定した場合（テストモード中にプリペイド残額並びに持玉数がないビジターカードを受付けた場合を除く）には、該受付けた会員カード又はビジターカードから読み出した（会員）カードＩＤとプリペイド残額データと装置ＩＤとモードフラグとを含む認証要求をシステムコントローラ１００に送信し、システムコントローラ１００からの認証結果を受信するカード認証処理を実施する。
【０２１８】
この認証要求の受信に応じてシステムコントローラ１００は、受信した認証要求に含まれる（会員）カードＩＤが、受信した認証要求に含まれるモードフラグに対応する会員カードテーブル又はビジターカードテーブル（モードフラグが通常モードに該当する値であれば通常モード用記憶領域の会員カードテーブル又はビジターカードテーブル、モードフラグがテストモードに該当する値であればテストモード用記憶領域の会員カードテーブル又はビジターカードテーブル）に存在するか否かとともに、利用不可フラグに利用不可「１」が記憶されているか否かを判定し、存在するとともに利用不可「１」が記憶されていない、つまり利用不可フラグに「０」が記憶されている場合には、該（会員）カードＩＤに対応付けて会員カードテーブル又はビジターカードテーブルに記憶、管理されているプリペイド残額が、該受信した認証要求に含まれるプリペイド残額データ、すなわち、受付けた会員カード或いはビジターカードから読み出したプリペイド残額データから特定されるプリペイド残額に一致するか否かを判定し、一致することを条件に、認証結果として「認証ＯＫ」を返信する一方、会員カードテーブル又はビジターカードテーブルに当該（会員）カードＩＤが存在しない場合や、利用不可フラグに利用不可「１」が記憶されている場合並びにプリペイド残額が一致しない場合には「認証ＮＧ」を返信する。但し、プリペイド残額が一致しない場合であって、認証要求に含まれるプリペイド残額データから特定されるプリペイド残額の方が少額の場合には、会員カードテーブル又はビジターカードテーブルにおけるプリペイド残額を、該少額の金額に更新するとともに、「認証ＯＫ」を返信して、当該会員カード又はビジターカードの利用を許諾する。
【０２１９】
尚、以下の説明においては、システムコントローラ１００並びに管理コンピュータ１５０における各テーブルが通常モード用記憶領域のものであるか、テストモード用記憶領域のものであるかについては、特に明記しない場合には、送信される送信データ中のモードフラグに対応する記憶領域のものが使用されるものとする。
【０２２０】
システムコントローラ１００から返信された認証結果が「認証ＮＧ」である場合にカードユニット３は、受付けた会員カード或いはビジターカードの排出指示をカードリーダライタ３２７に出力して、挿入された会員カード或いはビジターカードを返却させてカード受付け処理を終了する一方、返信された認証結果が「認証ＯＫ」である場合には、受付けたカードから読み出した（会員）カードＩＤと会員ＩＤ（会員のみ）とプリペイド残額とをカードテーブルに格納するとともに、図２９に示すように、管理コンピュータ１５０に対して、受付けた会員カード或いはビジターカードから読み出した（会員）カードＩＤと装置ＩＤと持玉数（ビジターカードのみ）と振分けフラグデータとモードフラグとを含むカード受付け通知を送信する。
【０２２１】
このカード受付け通知の受信に応じて管理コンピュータ１５０は、まず、受信したカード受付け通知に含まれる持玉数が存在するか否かを判定し、存在する場合には、該持玉数を照合する照合処理を行う。
【０２２２】
具体的には、ビジター貯蓄管理テーブルに、該カード受付け通知に含まれるカードＩＤに対応して記憶されている持玉数と、受信したカード受付け通知に含まれる持玉数とが一致するか否かを判定する。
【０２２３】
該照合判定において一致しない場合には、受信したカード受付け通知の送信元のカードユニット３に対し、持玉数の照合がＮＧである旨の照合エラー情報を返信することで、カードユニット３において該ビジターカードが返却される。
【０２２４】
一方、該照合判定において一致する場合、或いは、受信したカード受付け通知に持玉数が含まれていない場合（会員カードの場合）には、受信したカード受付け通知に含まれる振分けフラグデータが、振分けの有りを示す「１」であるか否かを判定する。
【０２２５】
該判定において振分けフラグデータが「０」である場合、つまり振分けが無い場合には、通常受付け処理に進む一方、該判定において振分けフラグデータが「１」である場合、つまり振分けが有る場合には、振分け履歴テーブルに受信したカード受付け通知に含まれるカードＩＤを含む振分け履歴であって、利用受付けに「０」が登録されている履歴が存在するか否か、つまり、受信したカード受付け通知に含まれるカードＩＤと、利用受付けに「０」が登録されている振分け履歴に含まれるカードＩＤとが一致するか否かを判定する。
【０２２６】
振分け履歴が存在する、つまり、受信したカード受付け通知に含まれるカードＩＤが、利用受付けに「０」が登録されている振分け履歴に含まれるカードＩＤと一致する場合には、該一致した振分け履歴の振分け数（振分け持玉数と振分け貯玉数との合計）を、該カード受付け通知に含まれるカードＩＤに対応する持玉数、つまり、カードＩＤが会員カードＩＤであれば、会員貯蓄管理テーブルにおいて該会員カードＩＤに対応して記憶されている持玉数または貯玉数に該振分け数を加算更新し、カードＩＤがビジターカードのカードＩＤであれば、ビジター貯蓄管理テーブルにおいて該カードＩＤに対応して記憶されている持玉数に該振分け数を加算更新し、該持玉数の利用を可能化するとともに、該特定した振分け履歴の利用受付けのデータを、利用受付け済みを示す「１」に更新した後、通常受付け処理に進む。
【０２２７】
尚、連続振分けが制限されていない場合であって、特定した振分け履歴が複数存在する場合には、特定した各振分け履歴の振分け数（振分け持玉数と振分け貯玉数との合計）が全て加算更新される。
【０２２８】
また、振分け履歴の特定に際し、振分け履歴が存在しない場合には、すなわち、振分けフラグデータが「１」であるカード受付け通知に含まれるカードＩＤが、振分け履歴テーブルにおいて利用受付けに「０」が登録されている振分け履歴に含まれるカードＩＤと一致しない場合には、エラー情報を返信することで、カードユニット３において受付けたカードが排出されて返却されて、利用が不可とされるとともに、受信したカード受付け通知に含まれる装置ＩＤのカードユニット３が対応するパチンコ機２の台番号を含むエラー情報が、管理コンピュータ１５０の表示装置１５７に表示されて報知される。
【０２２９】
通常受付け処理において管理コンピュータ１５０は、まず、ユニット管理テーブルにおいて、該カード受付け通知に含まれる装置ＩＤに対応する「状況」のデータを「受付中」に更新するとともに、該カード受付け通知に含まれる（会員）カードＩＤをユニット管理テーブルの「受付ＩＤ」の項目に格納する。
【０２３０】
次いで、受信したカード受付け通知に含まれる（会員）カードＩＤに対応する持玉数、貯玉数（会員のみ）を、会員貯蓄管理テーブルまたはビジター貯蓄管理テーブルにおいて該（会員）カードＩＤに対応して記憶されている各データから特定するとともに、該カードＩＤが会員カードＩＤである場合には、該会員カードＩＤに対応して会員情報テーブルに記憶されている暗証番号と来店ポイントを更に特定し、これら特定した持玉数、貯玉数（会員のみ）、来店ポイント（会員のみ）、暗証番号（会員のみ）と、（会員）カードＩＤとを含む受付け処理完了通知を、受信したカード受付け通知の送信元のカードユニット３に対して返信する。
【０２３１】
この受付け処理完了通知の受信に応じてカードユニット３（制御ユニット３２８）は、受信した受付け処理完了通知に含まれる持玉数、貯玉数（会員のみ）、来店ポイント（会員のみ）、暗証番号（会員のみ）を、カードテーブルに格納するとともに、受付け中のカードの振分けフラグを「０」に更新した後、カードテーブルに記憶されているプリペイド残額を対応するパチンコ機２の残額表示器に表示するとともに、カードテーブルに記憶されている持玉数を計数済玉数として表示部３１２に表示してＳｂ２〜Ｓｂ１０の待機状態に戻る。尚、該受付け処理完了通知の受信時において、カードテーブルに持玉数が既に記憶されている場合、つまり、カードを使用せずに遊技を実施してパチンコ玉を獲得して計数した後にカードを挿入した場合（会員カードやビジターカードを挿入し忘れた場合等）には、受付け処理完了通知に含まれる持玉数が、既に記憶されている持玉数に加算更新される。
【０２３２】
これら残額表示器にプリペイド残額が表示された後、遊技者が貸出ボタンの操作を実施した場合には、該遊技者による貸出ボタンの操作を検知するための貸出ボタンスイッチからの信号が制御ユニット３２８に出力されることで、制御ユニット３２８は、Ｓｂ２〜Ｓｂ１０の待機状態におけるＳｂ３のステップにおいて貸出ボタンの操作有りと判断してＳｂ２１のステップに進み、貸出処理を実施する。
【０２３３】
この貸出処理においては、まず、挿入された会員カード或いはビジターカード（紙幣挿入により発行されたビジターカードを含む）から読み出してＲＡＭ３２８ｂ（カードテーブル）に記憶しているプリペイド残額が、対応するパチンコ機２における払出単位である２５球に相当する１度数＝１００円未満であるか否かを判定し、プリペイド残額が１度数＝１００円未満である場合には該判定において「Ｙｅｓ」と判定されて、該貸出処理を終了してＳｂ２〜Ｓｂ１０の待機状態に戻る一方、プリペイド残額が１度数＝１００円以上である場合には、次のステップに進み、プリペイド残額が本実施例において貸出処理の使用度数として設定されている５度数＝５００円以上であるか否かを判定する。
【０２３４】
プリペイド残額が使用度数である５度数＝５００円以上である場合には、使用金額玉貸処理を実施する一方、使用度数である５度数＝５００円未満である場合には、表示金額玉貸処理を実施する。
【０２３５】
この使用金額玉貸処理においては、使用度数となる５度数＝５００円に相当するパチンコ玉数の払出指示、具体的には、１度数である２５玉の払出を指示する信号を５回出力して、５度数＝５００円分に相当する１２５玉の払出を、対応するパチンコ機２に実施させる。
【０２３６】
具体的には、パチンコ機２より出力されるＰＲＤＹのＨＩＧＨ／ＬＯＷを判定し、ＰＲＤＹがＨＩＧＨである場合には、所定のエラー処理を実施し、貸与処理を終了する。
【０２３７】
また、前記ＰＲＤＹがＬＯＷである場合には、ＢＲＤＹをＬＯＷに切替えた後、ＢＲＱをＬＯＷとして、パチンコ機２からのＥＸＳのＨＩＧＨの検出待ちの状態となり、該ＥＸＳのＬＯＷの検出に基づきＢＲＱをＨＩＧＨに切替え、ＥＸＳのＨＩＧＨの検出待ちの状態となる。
【０２３８】
次いで、パチンコ機２における１度分の払出が完了され、ＥＸＳのＨＩＧＨを検出すると、制御ユニット３２８は、残額表示器に表示されているプリペイド残額と、カードテーブルのプリペイド残額データ並びに受付け中の会員カード或いはビジターカードに記憶されているプリペイド残額データから該１度分に相当する１００円を減算更新し、ＢＲＱの回数をカウントし、該カウントしたＢＲＱの回数を使用度数である５度数に相当する５回と比較する。
【０２３９】
この比較において前記カウントしたＢＲＱの回数が５度数に一致しない場合には、再び前述の１度分の払出処理を実施するようになっており、前記した使用度数との比較においてカウントしたＢＲＱの回数が５度数に一致した場合には、ＢＲＤＹをＨＩＧＨとする。
【０２４０】
そして、システムコントローラ１００に対して、当該カードユニット３に固有に付与された装置ＩＤと、受付け中の会員カード或いはビジターカードの（会員）カードＩＤと、使用度数に相当する使用額（５００円）とモードフラグとを含む貸出完了通知を送信して、システムコントローラ１００の会員カードテーブル或いはビジターカードテーブルにて該（会員）カードＩＤに対応付けて記憶されているプリペイド残額から該使用額を減算更新させる。
【０２４１】
そして、受付け中のカードがビジターカードであるか否かを判定し、ビジターカードでない場合には該貸出処理を終了してＳｂ２〜Ｓｂ１０の待機状態に戻る一方、ビジターカードを受付け中である場合には、残額表示器に表示されているプリペイド残額（ＲＡＭ３２８ｂのカードテーブルに記憶されているプリペイド残額に同一）が０であるか否かを判定する。
【０２４２】
そして、該判定においてプリペイド残額が０でない場合には、該貸出処理を終了してＳｂ２〜Ｓｂ１０の待機状態に戻る一方、プリペイド残額が０である場合には、更に、カードテーブルの持玉数が存在するか否かを判定する。
【０２４３】
持玉数が存在する場合には、Ｓｂ２〜Ｓｂ１０の待機状態に戻る一方、持玉数が存在しない場合には、該プリペイド残額が０となったビジターカードの回収指示をカードリーダライタ３２７に出力して、カードリーダライタ３２７の内方側のカード貯留部３７０に回収するとともに、システムコントローラ１００と管理コンピュータ１５０に対し、該回収したビジターカードのカードＩＤとモードフラグとを含む回収通知を送信することで、システムコントローラ１００のビジターカードテーブルの「状況」を「保管中」に更新させるとともに、管理コンピュータ１５０のユニット管理テーブルの当該カードユニット３のデータを更新させた後、カードテーブルをリセットして、Ｓｂ２〜Ｓｂ１０の待機状態に戻る。
【０２４４】
一方、表示金額玉貸処理においては、残額表示器に表示されているプリペイド残額（ＲＡＭ３２８ｂのカードテーブルに記憶されているプリペイド残額に同一）を１度数に相当する１００円で除した度数分の払出指示、例えば、プリペイド残額が４００円であれば、１度数である２５玉の払出を指示する信号を４回出力して、４００円分に相当する４度数＝１００玉の払出を、上述した使用度数の払出の場合と同様にして対応するパチンコ機２に実施させるとともに、残額表示器に表示されているプリペイド残額と、カードテーブルのプリペイド残額データ並びに受付け中の会員カード或いはビジターカードに記憶されているプリペイド残額データをパチンコ玉の玉貸に使用した４度数分に相当する４００円が減算更新された金額、つまり「０」に更新する。
【０２４５】
そして、システムコントローラ１００に対して、当該カードユニット３に固有に付与された装置ＩＤと、受付け中の会員カード或いはビジターカードの（会員）カードＩＤと、使用金額である４００円と、モードフラグとを含む貸出完了通知を送信して、システムコントローラ１００にて（会員）カードＩＤに対応付けて会員カードテーブル或いはビジターカードテーブルに記憶されているプリペイド残額から使用額である４００円を減算更新させる。
【０２４６】
そして、前述した使用度数の場合と同様に、受付け中のカードがビジターカードであってプリペイド残額が０であるか否かを判定し（この場合においては、必ず０であると判定される）、ビジターカードであってプリペイド残額が０である場合には、更に、持玉数が存在しないことを条件にビジターカードを回収した後、該貸出処理を終了してＳｂ２〜Ｓｂ１０の待機状態に戻る。
【０２４７】
また、前述したＳｂ２〜Ｓｂ１０の待機状態において、遊技者が紙幣挿入口３０２から現金（紙幣）を投入した場合には、該現金（紙幣）の投入に伴う貨幣識別情報が紙幣識別ユニット３２１から制御ユニット３２８に出力されることで、制御ユニット３２８は、Ｓｂ４のステップにおいて現金の受付け有りと判断してＳｂ２２のステップに進み、発行・入金処理を実施する。
【０２４８】
この発行・入金処理においては、まず、入力された貨幣識別情報から投入された貨幣の投入金額を特定するとともに、カードリーダライタ３２７に受付け中の会員カード或いはビジターカードが存在するか否かを判定する。
【０２４９】
そして、受付け中の会員カード或いはビジターカードが存在しないとの判定の場合に制御ユニット３２８は、カード貯留部３７０に収納されているビジターカードをカードスロット３９２上の所定の読み取り位置に移動させて、当該ビジターカードのカードＩＤを読み出し、該読み出したカードＩＤと、投入金額と、モードフラグと、当該カードユニット３の装置ＩＤとを含む発行要求をシステムコントローラ１００に送信する。
【０２５０】
この発行要求の受信に応じてシステムコントローラ１００は、受信した発行要求に含まれるカードＩＤが、ビジターカードテーブル（この場合には、通常モード用記憶領域またはテストモード用記憶領域のいずれであっても良い）に存在するか否かを判定し、存在する場合には、該カードＩＤに対応するビジターカードテーブルの「状況」を「利用中」に更新し、ＲＴＣ１０４から出力されるその時点の日時を最新発行日時に格納するとともに、受信した投入金額を「残存金額」にプリペイド残額として格納して、「発行許諾」を該発行要求の送信元のカードユニット３に対して返信する。尚、受信したカードＩＤが、ビジターカードテーブルに存在しない場合には、「発行不可」が返信される。但し、発行要求に含まれるカードＩＤが、モードフラグに対応する記憶領域と異なる記憶領域のビジターカードテーブルに記憶されている場合には、当該カードＩＤの記憶を、モードフラグに対応する記憶領域のビジターカードテーブルに移行して、移行元の記憶領域のビジターカードテーブルの記憶が削除される。
【０２５１】
また、「発行許諾」の送信に伴いシステムコントローラ１００は、管理コンピュータ１５０に対して、格納した最新発行日時と受信した発行要求に含まれるカードＩＤと装置ＩＤと、受信した発行要求に含まれていたモードフラグと、を含む発行通知を管理コンピュータ１５０に通知することで、管理コンピュータ１５０は、受信した発行通知に含まれるカードＩＤに対応するビジター貯蓄管理テーブルの最新発行日時に、該受信した発行通知に含まれる最新発行日時を格納するとともに、受信した発行通知に含まれる装置ＩＤに対応するユニット管理テーブルの「状況」を「受付け中」に更新するとともに、「受付ＩＤ」に当該受信したカードＩＤを格納してユニット管理テーブルを更新する。
【０２５２】
上記した「発行許諾」の受信に応じてカードユニット３（制御ユニット３２８）は、カードスロット３９２に移動させたビジターカードに、投入金額に相当するプリペイド残額とテストフラグ（テストモード中のみ）を書き込み記憶するとともに、カードテーブルに、該ビジターカードのカードＩＤと投入金額に相当するプリペイド残額とを記憶、並びに残額表示器に該プリペイド残額を表示した後、該発行・入金処理を終了してＳｂ２〜Ｓｂ１０の待機状態に戻る。
【０２５３】
尚、システムコントローラ１００から「発行不可」を受信した場合、並びに、カード貯留部３７０にビジターカードが収納されていない場合には、紙幣挿入口３０２から投入された現金（紙幣）を返却するとともに、多機能ランプ３０１を所定のエラー報知態様にて点灯させるエラー報知処理を、該エラー状態が解消されるまで実施することで、エラーの発生を報知する。
【０２５４】
一方、現金（紙幣）の投入時においてカードスロット３９２に受付け中の会員カード或いはビジターカードが存在する場合には、上記にて特定した投入金額を、受付け中の会員カード或いはビジターカード並びにカードテーブルに記憶されているプリペイド残額データから特定されるプリペイド残額に加算して、これら各プリペイド残額データを加算後の新たなプリペイド残額を特定可能なプリペイド残額データに更新した後、該入金金額（投入金額に同じ）と当該カードユニット３の装置ＩＤと、受付け中の会員カード或いはビジターカードの（会員）カードＩＤと、モードフラグとを含むカード入金通知をシステムコントローラ１００に送信して、該システムコントローラ１００の会員カードテーブル或いはビジターカードテーブルにおいて該（会員）カードＩＤに対応して記憶されているプリペイド残額に該入金金額を加算更新させる。
【０２５５】
そして、残額表示器に表示されているプリペイド残額を、加算更新後の新たな金額に更新表示して、該入金処理を終了してＳｂ２〜Ｓｂ１０の待機状態に戻る。
【０２５６】
また、前述したＳｂ２〜Ｓｂ１０の待機状態において、遊技者が返却ボタンの操作を実施した場合には、遊技者による返却ボタンの操作を検知するための返却ボタンスイッチからの信号が制御ユニット３２８に入力されることで、制御ユニット３２８は、Ｓｂ５において返却ボタンの操作有りと判断してＳｂ２３に進み、返却処理を実施する。
【０２５７】
この返却処理においては、まず、カードリーダライタ３２７に受付け中の会員カード或いはビジターカードが存在するか否かを判定し、存在しない場合には、計数済玉数（持玉数）が存在する場合において、該計数済玉数（持玉数）をカード貯留部３７０に貯留されているビジターカードに記録して排出（発行）する発行処理を実施する。
【０２５８】
この発行処理において制御ユニット３２８は、管理コンピュータ１５０に対して当該カードユニット３の装置ＩＤと発行するビジターカードのカードＩＤとカードテーブルに記憶されている持玉数と、モードフラグとを含む発行通知を送信する。
【０２５９】
この発行通知の受信に応じて管理コンピュータ１５０は、モードフラグに対応する記憶領域のビジター貯蓄管理テーブルにおいて、受信した発行通知に含まれるカードＩＤに対応して記憶されている持玉数を、受信した発行通知に含まれる持玉数に更新し、ＲＴＣ１０４から出力されるその時点の日時を最新発行日時に格納するとともに、モードフラグに対応する記憶領域のユニット管理テーブルにおいて受信した装置ＩＤに対応する「状況」を「待機中」に変更し、該発行通知の送信元のカードユニット３に対して更新完了通知を送信する。
【０２６０】
この更新完了通知の受信に応じてカードユニット３（制御ユニット３２８）は、カード貯留部３７０から所定の読み取り位置に移動させたビジターカードに、カードテーブルの持玉数とテストフラグ（テストモード中のみ）を記録した後、排出指示をカードリーダライタ３２７に出力して該ビジターカードをカード挿入口３０９から排出して発行させるともに、カードテーブルをリセットし、払出ボタン３１１の操作無効と計数禁止とを解除してＳｂ２〜Ｓｂ１０の待機状態に戻る。
【０２６１】
一方、カードリーダライタ３２７に受付け中の会員カード或いはビジターカードが存在する場合には、払出ボタン３１１の操作を無効とするとともに、計数・端数払出ユニット３４０に対して計数禁止指示を出力して、新たな計数を禁止する。
【０２６２】
この計数禁止指示の出力によって計数・端数払出ユニット３４０においては、計数操作部３５５の操作が無効とされることにより、流入口シャッタ３５２の放が禁止されることで、新たなパチンコ玉の計数が禁止される。
【０２６３】
そして制御ユニット３２８は、管理コンピュータ１５０に対して当該カードユニット３の装置ＩＤと返却するカードのカードＩＤとカードテーブルに記憶されている持玉数と貯玉数（会員のみ）と、モードフラグとを含む返却通知を送信する。
【０２６４】
この返却通知の受信に応じて管理コンピュータ１５０は、会員貯蓄管理テーブルまたはビジター貯蓄管理テーブルにおいて、受信した返却通知に含まれる（会員）カードＩＤに対応して記憶されている持玉数並びに貯玉数（会員のみ）を、受信した返却通知に含まれる持玉数並びに貯玉数に更新するとともに、ユニット管理テーブルにおいて受信した装置ＩＤに対応する「状況」を「待機中」に変更し、「受付けＩＤ」に格納されているカードＩＤを削除して、該返却通知の送信元のカードユニット３に対して更新完了通知を送信する。
【０２６５】
この更新完了通知の受信に応じてカードユニット３（制御ユニット３２８）は、受付け中のカードがビジターカードである場合には、該ビジターカードに、カードテーブルの持玉数とテストフラグ（テストモード中のみ）を記録し、受付け中のカードが会員カードである場合には、該会員カードにテストフラグ（テストモード中のみ）を記録した後、排出指示をカードリーダライタ３２７に出力して受付け中のビジターカードまたは会員カードをカード挿入口３０９から排出して返却させるともに、カードテーブルをリセットし、払出ボタン３１１の操作無効と計数禁止とを解除してＳｂ２〜Ｓｂ１０の待機状態に戻る。
【０２６６】
尚、返却するカードが会員カードである場合に制御ユニット３２８は、会員遊技情報テーブルに記憶されている会員遊技情報データとモードフラグとを含む返却通知を送信して該会員遊技情報テーブルをリセットすることで、該会員遊技情報データが会員別遊技履歴テーブルに登録される。
【０２６７】
また、前述したＳｂ２〜Ｓｂ１０の待機状態において、遊技者が再プレイボタン３１９の操作を実施した場合には、該再プレイボタン３１９の操作を検知した表示制御基板３２９から再プレイ操作情報が制御ユニット３２８に入力されることで、制御ユニット３２８は、Ｓｂ６において再プレイボタン３１９の操作有りと判断してＳｂ２４に進み、再プレイ処理を実施する。
【０２６８】
この再プレイ処理においては、まず、持玉数が「０」であるか否かを判定し、持玉数が「０」でない場合には、該操作を無効とするとともに、「持玉数が有りますので、払出ボタンを操作して下さい。」のメッセージを表示部３１２に表示した後、Ｓｂ２〜Ｓｂ１０の待機状態に戻る一方、持玉数が「０」である場合には、更に、ＲＡＭ３２８ｂ内に記憶されている暗証番号の照合済みの有無を示す照合済みフラグが、照合済みを示す「１」であるか否かを判定し、「１」でない場合（照合済みでない場合）には、暗証番号の受付け処理を実施する。
【０２６９】
このように、本実施例では、当日において会員遊技者が獲得した持玉数は、貯玉数と異なり、手数料を必要とせずに払出しが実施されることから、これら手数料がかからない持玉数が存在する場合において再プレイ操作を無効とすることで、手数料がかからない持玉数が存在するにもかかわらず、手数料のかかる貯玉数が使用されてしまうことによる会員遊技者の不利益の発生を解消することができるようになっている。
【０２７０】
本実施例の暗証番号の受付け処理においては、まず、テンキーを含む暗証番号の受付け画面並びに暗証番号の入力を促すアナウンス表示を表示部３１２に表示して、暗証番号の受付けを行う。
【０２７１】
そして、受付けた暗証番号とカードテーブルに格納している暗証番号とを比較し、双方が一致した場合において、ＲＡＭ３２８ｂ内の所定領域の照合済みフラグを、照合済みを示す「１」に更新するとともに、カードテーブルに格納している貯玉数が所定の再プレイ単位玉数（１３５玉）以上であることを条件に、再プレイ玉貸処理を実施する。
【０２７２】
一方、照合済みを示す「１」である場合には、さらに、ＬＥＤ３２０ａが点灯状態であるか否か、つまり、貯玉数が所定の再プレイ単位玉数以上であるか否かを判定し、ＬＥＤ３２０ａが点灯状態である場合には、カードテーブルに記憶されている貯玉数から、再プレイ単位数である１３５玉を減算更新し、再プレイ表示部３２０（ＬＥＤ３２０ａ）を消灯した後、再プレイ玉貸処理を実施する。この本実施例の再プレイ玉貸処理においては、再プレイ単位数（１３５玉）に対応するパチンコ玉数、具体的には、再プレイ単位数（１３５玉）から手数料１０玉を除いた１２５玉のパチンコ玉の払出しを、上述した貸出処理の場合と同様に、対応するパチンコ機２における払出単位である２５玉の払出を指示する信号を５回出力することでパチンコ機２に実施させる。
【０２７３】
尚、再プレイ単位玉数の減算更新後の貯玉数が、再プレイ単位玉数以上である場合には、再プレイ玉貸処理の終了後において、再度、再プレイ表示部３２０（ＬＥＤ３２０ａ）が点灯状態とされる。
【０２７４】
そして、管理コンピュータ１５０に対して、カードテーブルに記憶されている会員カードＩＤ並びに会員ＩＤと、貯玉数から減算した再プレイ単位数（１３５玉）と、モードフラグとを含む再プレイ完了通知を送信した後、該再プレイ処理を終了してＳｂ２〜Ｓｂ１０の待機状態に戻る。
【０２７５】
尚、再プレイ完了通知を受信した管理コンピュータ１５０は、会員貯蓄管理テーブルにおいて、該再プレイ完了通知に含まれる会員カードＩＤ並びに会員ＩＤに対応付けて記憶されている貯玉数から再プレイ単位数（１３５玉）を減算更新する。
【０２７６】
また、前述したＳｂ２〜Ｓｂ１０の待機状態において、払出ボタン３１１を操作した場合には、払出ボタンスイッチ３１１’からの操作信号が制御ユニット３２８に入力されることで、制御ユニット３２８は、Ｓｂ７において払出ボタン３１１の操作有りと判断してＳｂ２５に進み、図２３に示す払出処理を実施する。尚、払出操作が無効とされている場合には、Ｓｂ２５に進むことなく、Ｓｂ２〜Ｓｂ１０の待機状態を継続する。
【０２７７】
本実施例の払出処理においては、まず、図２３に示すように、計数済玉数、つまり、カードテーブルの持玉数が存在するか否かを判定する（Ｓｈ１）。
【０２７８】
このＳｈ１のステップにおける判定において、計数済玉数（持玉数）が存在しない場合には、Ｓｈ６のステップに進んで、表示部３１２に、例えば、「計数済玉数がありません。」のエラーメッセージを表示して、計数済玉数（持玉数）が存在しないことを遊技者に報知した後、該払出処理を終了してＳｂ２〜Ｓｂ１０の待機状態に戻る。
【０２７９】
一方、計数済玉数（持玉数）が存在する場合にはＳｈ２のステップに進み、計数済玉数が、予め設定されている所定の払出設定数である５度数に相当する１２５玉以上であるか否かを判定する。
【０２８０】
該判定において１２５玉以上である場合には、Ｓｈ８に進み、払出設定数払出処理を実施する。
【０２８１】
具体的に、該払出設定数払出処理においては、前述した使用度数貸出処理の場合と同じく、パチンコ機２より出力されるＰＲＤＹのＨＩＧＨ／ＬＯＷを判定し、ＰＲＤＹがＬＯＷであることを条件に、ＢＲＤＹをＬＯＷに切替えた後、ＢＲＱをＬＯＷとして、パチンコ機２からのＥＸＳのＨＩＧＨの検出待ちの状態となり、該ＥＸＳのＬＯＷの検出に基づきＢＲＱをＨＩＧＨに切替えることにより、１払出単位である１度数に相当する２５玉のパチンコ玉の払出しを実施させ、ＥＸＳのＨＩＧＨの検出待ちの状態となる。
【０２８２】
次いで、パチンコ機２における１払出単位の払出が完了され、ＥＸＳのＨＩＧＨを検出すると、制御ユニット３２８は、ＢＲＱの回数をカウントし、該カウントしたＢＲＱの回数を払出設定数である５度数に相当する５回と比較する。
【０２８３】
この比較において前記カウントしたＢＲＱの回数が５度数に一致しない場合には、再び前述の１度分の払出処理を実施するようになっており、前記した比較においてカウントしたＢＲＱの回数が払出設定数である５度数に一致した場合には、ＢＲＤＹをＨＩＧＨとする。
【０２８４】
そして、制御ユニット３２８は、表示部３１２の計数済玉数とカードテーブルの持玉数（受付け中のカードがビジターカードである場合には、該受付け中のビジターカードの持玉数）とから１２５玉の玉数を減算更新するとともに、管理コンピュータ１５０に対して、当該カードユニット３に固有に付与された装置ＩＤと、受付け中の会員カード或いはビジターカードの（会員）カードＩＤと、払出した玉数（１２５玉）と、モードフラグとを含む払出完了通知を送信して、管理コンピュータ１５０の会員貯蓄管理テーブル或いはビジター貯蓄管理テーブルにて該（会員）カードＩＤに対応付けて記憶されている持玉数から払出した玉数（１２５玉）を減算更新させた後、Ｓｈ２０のカード回収判定処理に進む。
【０２８５】
このカード回収判定処理においては、受付け中のカードが、減算更新後の計数済玉数（持玉数）が「０」であるビジターカードであるか否かを判定し、計数済玉数（持玉数）が「０」であるビジターカードである場合には、さらに、プリペイド残額も「０」であることを条件に、前述の貸出処理におけるプリペイド残額が「０」である場合と同じく、当該ビジターカードを回収した後、該払出処理を終了してＳｂ２〜Ｓｂ１０の待機状態に戻る。
【０２８６】
一方、Ｓｈ２のステップにおける判定結果が、払出設定数以上でないとの判定結果である場合には、Ｓｈ３のステップに進んで、計数済玉数が対応するパチンコ機２における払出単位数である２５玉以上であるか否かを判定する。
【０２８７】
該判定において２５玉以上でないと判定された場合、例えば、計数済玉数が２０玉である場合には、Ｓｈ４のステップに進んで、貯留玉数データから特定される貯留部３３８に貯留されているパチンコ玉の玉数（残数）が、該計数済玉数である２０玉以上であるか否か、つまり、計数済玉数である２０玉の払出しが可能であるか否かを判定する。
【０２８８】
該判定において、貯留部３３８に貯留されているパチンコ玉の玉数（残数）が、該計数済玉数である２０玉以上でないと判定した場合、つまり、２０玉のパチンコ玉の払出しが不能である場合には、Ｓｈ７のステップに進んで、表示部３１２に、「玉不足のため払出しができません。係員を呼んで下さい。」のメッセージを表示するとともに、多機能ランプ３０１の点灯状態を、貯玉残数エラーが発生したことを報知する所定の点灯態様にて点灯させる貯玉残数エラー報知処理を実施する。
【０２８９】
この報知により貯留部３３８に貯留されているパチンコ玉の玉数（残数）が少ないことを把握した係員は、前述したように、リモコンを用いて、加算留保モードに移行して玉貯留部３３８にパチンコ玉を補充することで、貯留部３３８からのパチンコ玉の払出しが可能とされる。
【０２９０】
一方、Ｓｈ４のステップにおける判定において、貯留部３３８に貯留されているパチンコ玉の玉数（残数）が、該計数済玉数である２０玉以上であると判定した場合にはＳｈ５のステップに進んで、該計数済玉数である２０玉の払出玉数を含む端数払出要求を計数・端数払出ユニット３４０に対して送信する。
【０２９１】
この端数払出要求の受信に応じて計数・端数払出ユニット３４０は、流路切替ソレノイド３５８によって流路を返却通路３３５へ切り替えるとともに、該受信した端数払出要求に含まれる払出玉数（端数）である２０の検出信号が出センサ３５４から入力されてくるまで払出モータ３５３を作動させることにより、該払出玉数（端数）である２０個のパチンコ玉が、排出流路３３７上の分流口３３６から返却通路３３５に流入して、返却貯留部３４２に返却されて貯留されることで、遊技者は、これら払出しされた２０玉のパチンコ玉を該返却貯留部３４２から取り出すことができる。
【０２９２】
そして、端数払出要求に基づく２０玉のパチンコ玉の払出しが完了した段階において計数・端数払出ユニット３４０の制御部３５０は、制御ユニット３２８に対して端数払出完了通知を送信する。
【０２９３】
この端数払出完了通知の受信に応じて制御ユニット３２８は、表示部３１２の計数済玉数とカードテーブルの持玉数（受付け中のカードがビジターカードである場合には、該受付け中のビジターカードの持玉数）とから、払出した玉数を減算更新する。これにより、計数済玉数および持玉数は「０」となる。
【０２９４】
そして、管理コンピュータ１５０に対して、当該カードユニット３に固有に付与された装置ＩＤと、受付け中の会員カード或いはビジターカードの（会員）カードＩＤと、返却した払出玉数（２０玉）と、モードフラグとを含む払出完了通知を送信して、管理コンピュータ１５０の会員貯蓄管理テーブル或いはビジター貯蓄管理テーブルにて該（会員）カードＩＤに対応付けて記憶されている持玉数から返却した払出玉数（２０玉）を減算更新させて「０」とした後、上述したＳｈ２０のカード回収判定処理を実施した後、該払出処理を終了してＳｂ２〜Ｓｂ１０の待機状態に戻る。
【０２９５】
尚、これら払出完了通知を受信した際には、該払出完了通知に基づいて、貯留・払出履歴テーブルにおいて、該装置ＩＤに対応する貯留・払出履歴として、「払出」の種別と該払出玉数（２０玉）とを含む貯留・払出履歴が登録される。
【０２９６】
つまり、計数済玉数（持玉数）が払出単位である１度数に対応する２５玉未満の端数である場合には、遊技者が払出ボタン３１１を操作することにより、該端数のパチンコ玉が計数・端数払出ユニット３４０内の貯留部３３８に貯留されているパチンコ玉から払出されることで遊技者に返却されるようになっている。
【０２９７】
一方、Ｓｈ３における判定において、計数済玉数（持玉数）が２５玉以上であると判定された場合には、Ｓｈ９のステップに進んで、該計数済玉数の範囲において払出が可能な最大払出単位と払出単位未満の端数とを特定した後、Ｓｈ１０のステップに進むことで、該特定した最大払出単位の玉数を対応するパチンコ機２から払出させるとともに、上述したＳｈ４とＳｈ５のステップを実施することで、特定した端数のパチンコ玉が計数・端数払出ユニット３４０において返却貯留部３４２に払出される。
【０２９８】
具体的に、例えば、持玉数（計数済玉数）が１１０玉である場合であれば、Ｓｈ９のステップにおいては、持玉数である１１０玉を払出単位である２５玉で除した値の整数値である４を最大払出単位に相当する払出度数として特定するとともに、該払出単位である２５玉で除した値の余りとなる払出単位未満の１０玉を端数として特定する。
【０２９９】
そして、Ｓｈ１０において、パチンコ機２より出力されるＰＲＤＹのＨＩＧＨ／ＬＯＷを判定し、ＰＲＤＹがＬＯＷであることを条件に、ＢＲＤＹをＬＯＷに切替えた後、ＢＲＱをＬＯＷとして、パチンコ機２からのＥＸＳのＨＩＧＨの検出待ち状態となり、該ＥＸＳのＬＯＷの検出に基づきＢＲＱをＨＩＧＨに切替えることにより、１払出単位である１度数に相当する２５玉のパチンコ玉の払出しを実施させ、ＥＸＳのＨＩＧＨの検出待ち状態となる。
【０３００】
次いで、パチンコ機２における１払出単位の払出が完了され、ＥＸＳのＨＩＧＨを検出すると、制御ユニット３２８は、ＢＲＱの回数をカウントし、該カウントしたＢＲＱの回数を、Ｓｈ８のステップにて特定した払出度数である４度数に相当する４回と比較する。
【０３０１】
この比較において前記カウントしたＢＲＱの回数が４度数に一致しない場合には、再び前述の１度分の払出処理を実施する一方、前記した比較においてカウントしたＢＲＱの回数が払出設定数である４度数に一致した場合には、ＢＲＤＹをＨＩＧＨとする。
【０３０２】
そして、制御ユニット３２８は、表示部３１２の計数済玉数とカードテーブルの持玉数（受付け中のカードがビジターカードである場合には、該受付け中のビジターカードの持玉数）とから、払出した４度数に相当する１００玉を減算更新するとともに、管理コンピュータ１５０に対して、当該カードユニット３に固有に付与された装置ＩＤと、受付け中の会員カード或いはビジターカードの（会員）カードＩＤと、払出した玉数（１００玉）と、モードフラグとを含む払出完了通知を送信して、管理コンピュータ１５０の会員貯蓄管理テーブル或いはビジター貯蓄管理テーブルにて該（会員）カードＩＤに対応付けて記憶されている持玉数から払出した玉数（１００玉）を減算更新させた後、Ｓｈ４とＳｈ５のステップを実施することで、残りの端数である１０玉のパチンコ玉が、計数・端数払出ユニット３４０において返却貯留部３４２に払出されるとともに、これら払出された端数の玉数が減算更新されて、表示部３１２の計数済玉数とカードテーブルの持玉数（受付け中のカードがビジターカードである場合には、該受付け中のビジターカードの持玉数）が全て「０」とされるとともに、管理コンピュータ１５０における当該受付け中のカードの持玉数も「０」とされる。
【０３０３】
つまり、計数済玉数（持玉数）が、払出単位である１度数に相当する２５玉以上であって、払出設定数に対応する１２５玉未満であり、端数が存在する場合には、これら端数の払出すために、個別に払出ボタン３１１を操作することなく、該端数のパチンコ玉が計数・端数払出ユニット３４０内の貯留部３３８に貯留されているパチンコ玉から払出されることで遊技者に返却されるようになっている。尚、これら端数の払出しが実施された場合にも、前述したように、該端数の払出玉数を含む払出完了通知が管理コンピュータ１５０に送信されることにより、該払出完了通知に基づいて、貯留・払出履歴テーブルにおいて、該装置ＩＤに対応する貯留・払出履歴として、「払出」の種別と該払出玉数（１０玉）とを含む貯留・払出履歴が登録される。
【０３０４】
また、遊技者が所用で離席したい場合には、係員を呼んで、該係員が所持するリモコンにおいて離席操作を実施してもらい、離席モードに移行させることが必要となる。
【０３０５】
このリモコンにおいて離席操作があった場合には、該リモコンから離席操作に応じた所定の赤外線信号が出力されることで、該赤外線信号がＩＲ受光ユニット３１５にて離席操作を特定可能な所定の電気信号に変換されて表示制御基板３２９に出力されることで、表示制御基板３２９から制御ユニット３２８に対し、離席操作があった旨の離席操作情報が出力される。
【０３０６】
この離席操作情報の出力は、前述したＳｂ２〜Ｓｂ１０の待機状態におけるＳｂ８において検知されることで離席操作有りと判断され、Ｓｂ２６に進んで離席処理を実施する。
【０３０７】
この離席処理において制御ユニット３２８は、まず、全ての操作を無効とするとともに、計数・端数払出ユニット３４０（制御部３５０）に対して計数禁止指示を出力して、新たなパチンコ玉の計数を禁止する。
【０３０８】
そして制御ユニット３２８は、カードリーダライタ３２７に受付け中の（会員）カードＩＤ並びに会員ＩＤ（会員カードのみ）と持玉数とを、長い電源遮断等によりＲＡＭ３２８ｂのカードデータが消失しても、これらの（会員）カードＩＤ並びに会員ＩＤの記憶が残るように、ＥＥＰＲＯＭ３２８ｃの所定記憶領域に記憶した後、排出指示をカードリーダライタ３２７に出力して受付け中の会員カード或いはビジターカードをカード挿入口３０９から排出させ、機能ランプ３０１の点灯状態を、離席中を示す黄色の点灯状態とし、表示部３１２に「離席中」の表示と経過時間（所定の離席時間の残り時間）の表示を開始するとともに、カード挿入可能化指示をカードリーダライタ３２７に出力することにより、該排出に伴って、シャッタ用ソレノイド３９９によりカード挿入口３０９のシャッタが没状態とされることで、カード挿入口３０９からのカード挿入のみを許可する離席モードに移行する。
【０３０９】
尚、本実施例では、前述したように、制御ユニット３２８のＲＡＭ３２８ｂは、電池によりバックアップされているため、（会員）カードＩＤ並びに会員ＩＤ（会員のみ）を離席モードの解消対象とするカードの情報として、ＲＡＭ３２８ｂ内の所定領域に改めて記憶しても良いし、或いは、本実施例のように、会員カード或いはビジターカードの受付け時においてカードテーブルに（会員）カードＩＤ並びに会員ＩＤ（会員カードのみ）が既に記憶されている場合には、これら新たな（会員）カードＩＤ並びに会員ＩＤの記憶の実施を省略して、該カードテーブルに既に記憶されている（会員）カードＩＤ並びに会員ＩＤ（会員カードのみ）を利用するようにしても良い。
【０３１０】
遊技者は、カード挿入口３０９から排出された会員カード或いはビジターカードを持参して離席すれば良い。
【０３１１】
尚、上述した離席モードへの移行に際して制御ユニット３２８は、装置ＩＤと排出したカードの（会員）カードＩＤとモードフラグとを含む離席通知をシステムコントローラ１００並びに管理コンピュータ１５０に送信することで、これら（会員）カードＩＤが離席カードとして登録されることにより、これら排出したカードが他のカードユニット３や振分け装置５や景品交換用ＰＯＳ端末１７０において受付けられても、該カードに使用が不可とされて返却されるようになっている。
【０３１２】
そして、遊技者が所用を終えて遊技を再開する場合には、離席時に排出された会員カードまたはビジターカードをカード挿入口３０９に挿入すれば良く、該会員カードまたはビジターカードの挿入があった場合に制御ユニット３２８は、挿入された会員カードまたはビジターカードから（会員）カードＩＤ並びに会員ＩＤ（会員カードのみ）を読み出して、ＥＥＰＲＯＭ３２８ｃの所定記憶領域に記憶した（会員）カードＩＤ並びに会員ＩＤ（会員カードのみ）と一致するか否かを判定する。
【０３１３】
（会員）カードＩＤ並びに会員ＩＤ（会員カードのみ）が一致しない場合には、挿入された該会員カードまたはビジターカードを排出して離席モードを継続する一方、（会員）カードＩＤ並びに会員ＩＤ（会員カードのみ）が一致した場合には、ＥＥＰＲＯＭ３２８ｃの所定記憶領域に記憶した（会員）カードＩＤ並びに会員ＩＤ（会員カードのみ）を消去するとともに、該離席モードの移行において実施した操作の禁止と計数禁止とを解除することで、離席モードから通常モードに移行して、Ｓｂ２〜Ｓｂ１０の待機状態に戻る。
【０３１４】
尚、離席した遊技者が所定の離席時間を経過しても戻らない場合等においては、離席モードを強制的に解除することができるようになっており、このように、離席モードの強制解除を行う場合において係員は、所持しているリモコンに設けられている強制解除ボタンを操作すれば良く、該強制解除ボタンの操作により、該リモコンから強制解除ボタンの操作（強制解除操作）に応じた所定の赤外線信号が出力されることで、該赤外線信号がＩＲ受光ユニット３１５にて該強制解除操作を特定可能な所定の電気信号に変換されて表示制御基板３２９に出力されることで、表示制御基板３２９から制御ユニット３２８に対し、強制解除操作があった旨の強制解除操作情報が出力される。
【０３１５】
これら離席モード中において該強制解除操作情報の入力があった場合において制御ユニット３２８は、ＥＥＰＲＯＭ３２８ｃの所定記憶領域に記憶した（会員）カードＩＤ並びに会員ＩＤ（会員カードのみ）と持玉数のデータを、強制解除履歴データとしてＥＥＰＲＯＭ３２８ｃの他の所定領域に記憶した後、該データを消去するとともに、カードテーブルをリセットする。
【０３１６】
そして、離席モードの移行において実施した操作の禁止と計数禁止を解除することで、離席モードから通常モードに移行して、Ｓｂ２〜Ｓｂ１０の待機状態に戻り、新たな会員カード或いはビジターカード並びに紙幣の受付けが可能とされる。
【０３１７】
また、強制解除履歴データは、システムコントローラ１００並びに管理コンピュータ１５０からの送信要求に応じて、或いは営業終了時の締め関連処理（図３４（ａ））においてシステムコントローラ１００並びに管理コンピュータ１５０の双方に送信され、該システムコントローラ１００並びに管理コンピュータ１５０にて記憶・管理されることで、離席者によるクレームがあった場合でも、これらシステムコントローラ１００或いは管理コンピュータ１５０に記憶・管理されている強制解除履歴データにより、システムコントローラ１００或いは管理コンピュータ１５０のいずれかに障害が発生しても、当該離席者が所有する持玉数を確実に保証することができるようになっている。
【０３１８】
また、前述したＳｂ２〜Ｓｂ１０の待機状態において、遊技者が表示部３１２に表示されている図５に示すメインメニュー中の「振分け」メニューを選択入力した場合には、該「振分け」メニューの選択入力を検知した表示制御基板３２９から振分け操作情報が制御ユニット３２８に入力されることで、制御ユニット３２８は、Ｓｂ９において振分け操作有りと判断してＳｂ２７に進み、図２４〜図２７に示す振分け処理を実施する。
【０３１９】
まず、本実施例の振分け処理において制御ユニット３２８は、はじめに、計数済玉数（持玉数）が変化しないように、払出ボタン３１１の操作を無効とするとともに、計数・端数払出ユニット３４０に対して計数禁止指示を出力して新たなパチンコ玉の計数を禁止する（Ｓ１）。
【０３２０】
そして、ＥＥＰＲＯＭ３２８ｃに記憶されている、図２０の振分け設定画面における設定内容を特定可能な振分け設定情報に基づいて、貯玉数からの直接振分けの許諾が設定されているか否かを判定する（Ｓ２）。
【０３２１】
該判定において直接振分けの許諾が設定されていない場合には、図２５のＭに進む一方、直接振分けの許諾が設定されている場合にはＳ３のステップに進んで、会員カードを受付け中であるか否かを判定する。
【０３２２】
該判定において会員カードを受付け中でない場合には図２５のＭに進む一方、会員カードを受付け中である場合には、Ｓ４のステップに進み、図３１（ａ）に示す振分け対象選択受付け画面を表示部３１２に表示して、振分けに使用する対象を、貯玉数或いは持玉数のいずれとするかの選択を受付ける振分け対象選択受付け処理を実施する。
【０３２３】
この振分け対象選択受付け画面は、図３１（ａ）に示すように、「振分けに使用する対象を選択して下さい。」のメッセージを含むとともに、振分けに使用する対象を貯玉数とする際に選択される「貯玉（当日前所有玉数）から振分け」の選択入力部と、振分けに使用する対象を持玉数とする際に選択される「計数済玉数（本日所有玉数）から振分け」の選択入力部とが設けられており、遊技者は、振分けに使用したい方の選択入力部を選択入力すれば良い。
【０３２４】
そして、Ｓ５のステップに進んで、Ｓ４の振分け対象選択受付け処理において貯玉が選択されたか否かを判定し、貯玉が選択されていない場合、つまり、振分け対象選択受付け画面における「計数済玉数（本日所有玉数）から振分け」の選択入力部が選択入力された場合には、図２５のＭに進む一方、貯玉が選択された場合、つまり、振分け対象選択受付け画面における「貯玉（当日前所有玉数）から振分け」の選択入力部が選択入力された場合にはＳ６のステップに進み、計数済玉数、つまり、カードテーブルの持玉数が存在するか否かを判定する。
【０３２５】
該判定において、計数済玉数（持玉数）が存在しない場合には、図２６のＢに進んで、Ｓｆ３０〜Ｓｆ４１のステップから成る処理を実施することにより、貯玉数からの振分けが実施される一方、計数済玉数（持玉数）が存在する場合には、Ｓ７のステップに進んで、図３１（ｂ）に示す選択確認画面を表示部３１２に表示して、計数済玉数（持玉数）が存在することを報知するとともに、振分けに使用する対象を貯玉数とすることで良いか否かの確認を、遊技者から受付ける選択確認受付け処理を実施する。
【０３２６】
この選択確認画面には、図３１（ｂ）に示すように、計数済玉数（持玉数）が存在することを報知するための「計数済玉数がＸＸＸＸ有りますが、貯玉使用で宜しいですか？」のメッセージを含むとともに、「ＯＫ」と「ＮＧ」の選択入力部が設けられており、遊技者は、貯玉使用で良い場合には「ＯＫ」の選択入力部を選択入力する一方、該報知によって存在することを認識した計数済玉数を振分けに使用したい場合には「ＮＧ」の選択入力部を選択入力すれば良い。
【０３２７】
そして、これら選択確認画面の「ＯＫ」と「ＮＧ」のいずれの選択入力部が選択入力されたかがＳ８のステップにおいて判定され、「ＯＫ」の選択入力部が選択入力された場合には図２６のＢに進んで、Ｓｆ３０〜Ｓｆ４１のステップから成る処理を実施することにより、貯玉数からの振分けが実施される一方、「ＮＧ」の選択入力部が選択入力された場合には、図２５のＡ（Ｓｆ２−）に進むことで、後述するように、計数済玉数からの振分けが実施されるようになる。
【０３２８】
以下、上記したＭに移行することにより実施される図２５のＳｆ１以降の処理について説明すると、まず、Ｓｆ１のステップにおいては、計数済玉数、つまり、カードテーブルの持玉数が０で有るか否か、つまり、持玉数が存在するか否かを判定する。
【０３２９】
計数済玉数（持玉数）が０である場合には、Ｓｆ２１のステップに進み、受付け中のカードが会員カードであるか否かを判定する。
【０３３０】
そして、会員カードでない場合には、該振分け処理を終了してＳｂ２〜Ｓｂ１０の待機状態に戻る一方、会員カードである場合には、Ｓｆ２１＋のステップに進み、ＥＥＰＲＯＭ３２８ｃに記憶されている振分け設定情報に基づいて、貯玉数からの直接振分けの許諾が設定されているか否かを判定する。
【０３３１】
該判定において直接振分けの許諾が設定されている場合には、図２６のＢに進む一方、直接振分けの許諾が設定されていない場合には、Ｓｆ２２のステップに進んで、カードテーブルに記憶されている貯玉数の表示部と、該貯玉数から持玉数に加算する玉数の入力を受付ける加算貯玉数入力部と、暗証番号とを受付けるための暗証番号受付け部と、加算貯玉数入力部に加算貯玉数を入力するためのテンキー部とを有する図示しない貯玉利用画面を表示部３１２に表示して、持玉数への加算に使用する貯玉数を会員遊技者から受付ける。尚、該貯玉利用画面には、「決定」と「キャンセル」の選択入力部が設けられており、振分けを実施するために貯玉数から持玉数への加算を実施しない遊技者は、該「キャンセル」の選択入力部を選択入力することで、該振分け処理が終了される。
【０３３２】
また、貯玉数から持玉数への加算を実施したい場合において会員遊技者は、貯玉利用画面の下方に設けられているテンキーを操作して、持玉数への加算に使用する貯玉数を加算貯玉数入力部に入力した後、「決定」の選択入力部を選択入力する。
【０３３３】
この「決定」の選択入力に応じて制御ユニット３２８は、Ｓｆ２３のステップに進み、持玉数加算処理を実施した後、Ｓｆ２−のステップに戻る。
【０３３４】
この持玉数加算処理において制御ユニット３２８は、まず、加算貯玉数入力部に入力された玉数が、カードテーブルに記憶されている貯玉数の範囲内であるか否かを判定し、範囲内でない場合には、エラーを表示部３１２に表示して、持玉数加算処理を中止し、Ｓｆ２−のステップに戻る一方、加算貯玉数入力部に入力された玉数が、カードテーブルに記憶されている貯玉数の範囲内である場合には、受付けた暗証番号がカードテーブルに記憶されている暗証番号と一致するか否かを判定する。
【０３３５】
そして、暗証番号が一致する場合において、当該カードユニット３の装置ＩＤと受付け中の会員カードＩＤと加算貯玉数入力部に入力された玉数である持玉加算貯玉数とモードフラグとを含む持玉数加算要求を管理コンピュータ１５０に対して送信する。
【０３３６】
この持玉数加算要求の受信に応じて管理コンピュータ１５０は、受信した持玉数加算要求に含まれる持玉加算貯玉数が、該受信した持玉数加算要求に含まれる会員カードＩＤに対応付けて会員貯蓄管理テーブルに記憶されている貯玉数の範囲内であるかを確認して、該貯玉数の範囲内であることを条件に、該貯玉数から持玉加算貯玉数を減算更新するとともに、該持玉加算貯玉数から所定の手数料（本実施例では、上述した再プレイ手数料と同じ）を差し引いた玉数を、該会員カードＩＤに対応付けて会員貯蓄管理テーブルに記憶されている持玉数に加算更新し、加算更新後の持玉数と減算更新後の貯玉数と、受信した持玉数加算要求に含まれる会員カードＩＤとを含む持玉数加算完了通知を、持玉数加算要求の送信元のカードユニット３に対して返信する。この際、管理コンピュータ１５０は、受信した持玉数加算要求に含まれる装置ＩＤに対応してユニット管理テーブルに記憶されている計数済玉数を加算更新後の持玉数に更新する。
【０３３７】
該持玉数加算完了通知の受信に応じて制御ユニット３２８は、カードテーブルの持玉数と貯玉数とを、該受信した持玉数加算完了通知に含まれる持玉数と貯玉数とに更新する。
【０３３８】
このようにすることで、会員遊技者は、再プレイ操作により、貯玉数を一旦パチンコ機２において払出し、該払出したパチンコ玉を、下皿２４から投入部３４５に投入して計数させて計数済玉数に加算をすることなく、簡便かつ迅速に、希望する貯玉数を持玉数に加算して、振分けに使用することができるようになる。
【０３３９】
一方、Ｓｆ１のステップにおける判定において、計数済玉数（持玉数）が０でない場合には、Ｓｆ２−のステップに進んで、振分け可能玉数を特定する振分け可能玉数特定処理を実施する。
【０３４０】
この振分け可能玉数特定処理においては、前述したＳｆ２１＋のステップと同じく、振分け設定情報に基づいて、貯玉数からの直接振分けの許諾が設定されているか否かを判定し、直接振分けの許諾が設定されていない場合には、その時点の計数済玉数、つまり、カードテーブルの持玉数を振分け可能玉数として特定する一方、直接振分けの許諾が設定されており、会員カードを受付け中である場合には、貯玉数の全てを持玉数に振分けた場合において徴収される手数料玉数を該貯玉数から減じた玉数を持玉数に加えた合計数を統合振分け可能玉数として特定する。
【０３４１】
そして、Ｓｆ２のステップに進み、図３２（ａ）に示すように、Ｓｆ２−の振分け可能玉数特定処理にて特定した持玉数（直接振分け非許諾時）を含む振分け玉数受付け画面、若しくは、図３２（ｈ）に示すように、Ｓｆ２−の振分け可能玉数特定処理にて特定した統合振分け可能玉数（直接振分け許諾時）を含む振分け玉数受付け画面を表示部３１２に表示して、振分け先に振り分ける玉数（振分け玉数）を遊技者から受付ける振分け玉数受付け処理を実施する。
【０３４２】
この本実施例の振分け玉数受付け画面には、図３２（ａ）並びに図３２（ｈ）に示すように、振分けに使用可能な玉数が表示される振分け可能玉数表示部と、振分け玉数を入力するための振分け玉数入力部と、「決定」の選択入力部と、処理を中断するための「キャンセル」の選択入力部と、受付け中のカードが会員カードであるときに、貯玉数を持玉数に加算する際に操作される「貯玉利用」の選択入力部（図３２（ａ）の直接振分け非許諾時のみ）と、０〜９までのテンキーと、「半分」、「１／４」、「端数」のキーから成る操作部とが設けられており、遊技者は、これらテンキーや、「半分」、「１／４」、「端数」の各キーを選択入力して、振分け玉数入力部に所望する振分け玉数を入力する。
【０３４３】
尚、「半分」キーを選択入力した場合には、振分け可能玉数表示部に表示されている計数済玉数（持玉数）或いは統合振分け可能玉数の半分の玉数（割り切れない場合の端数は切り捨て）が振分け玉数入力部に自動入力され、「１／４」キーを選択入力した場合には、計数済玉数（持玉数）或いは統合振分け可能玉数の１／４の玉数（割り切れない場合の端数は切り捨て）が振分け玉数入力部に自動入力され、「端数」キーを選択入力した場合には、計数済玉数（持玉数）或いは統合振分け可能玉数の１０００玉未満の端数の玉数が振分け玉数入力部に自動入力される。
【０３４４】
また、振分け玉数受付け画面において「貯玉利用」の選択入力部が選択入力された場合には、該「貯玉利用」の選択入力がＳｆ３のステップにおいて検知されてＳｆ２１に進むことで、前述したように、受付け中のカードが会員カードであって、直接振分けの許諾が設定されていないことを条件に、貯玉数を持玉数に加算する持玉数加算処理（Ｓｆ２３）が実施されることにより、振分けに使用できる持玉数を、簡便かつ迅速に増やすことができるようになっている。
【０３４５】
また、遊技者が、振分け玉数入力部に所望する振分け玉数を入力した後に、「決定」の選択入力部を選択入力した場合には、該「決定」の選択入力に応じてＳｆ４のステップにおいて、該振分け玉数入力部にて受付けた振分け玉数が、計数済玉数（持玉数）以下であるか否かを判定し、計数済玉数（持玉数）以下でない場合、つまり、受付けた振分け玉数に対して計数済玉数（持玉数）が不足している場合には、後述するＳｆ２５〜Ｓｆ２９のステップの処理を実施する一方、計数済玉数（持玉数）以下である場合には、Ｓｆ５のステップに進み、図２８（ａ）に示すように、管理コンピュータ１５０に対して、当該カードユニット３の装置ＩＤと、受付け中のカードの（会員）カードＩＤと、振分け玉数入力部において受付けた振分け玉数と、カードテーブルに記憶されているその時点の計数済玉数（持玉数）と、モードフラグとを含む振分け許諾要求を送信する。
【０３４６】
この振分け許諾要求の受信に応じて管理コンピュータ１５０は、受信した振分け許諾要求に含まれる（会員）カードＩＤに対応付けて会員貯蓄管理テーブル或いはビジター貯蓄管理テーブルに記憶されている持玉数と、受信した振分け許諾要求に含まれる計数済玉数（持玉数）とを比較し、双方が一致しないときには、会員貯蓄管理テーブル或いはビジター貯蓄管理テーブルの持玉数、並びにユニット管理テーブルにおける受信した装置ＩＤに対応する計数済玉数を、受信した振分け許諾要求に含まれる計数済玉数（持玉数）に更新する。
【０３４７】
そして、前述した振分け設定画面（図２０（ａ）参照）において、振分け総数制限に「する」が設定されているか否かを判定し、振分け総数制限に「する」が設定されている場合には、振分け設定画面において集計対象期間として設定されている期間、例えば１日において当該遊技場において振分けされたパチンコ玉の振分け総数（全体）を、振分け履歴テーブルにおいて、その当日の日付を含む全ての振分け履歴の振分け持玉数並びに振分け貯玉数を合計することにより特定する。尚、本実施例では、これら振分け総数（全体）の集計を、振分け許諾要求の受信時に実施するようにしているが、本発明はこれに限定されるものではなく、これらの集計を事前に実施しておくようにしても良い。
【０３４８】
そして、該特定した振分け総数（全体）に、受信した振分け許諾要求に含まれる振分け玉数（振分け持玉数）を加算した後の振分け総数（全体）が、振分け設定画面において振分け総数制限の項目にて設定されている制限数を超えているか否かを判定する。
【０３４９】
更に、前述した振分け設定画面において、振分け元上限制限に「する」が設定されているか否かを判定し、振分け元上限制限に「する」が設定されている場合には、集計対象期間として設定されている期間である例えば１日において、振分け元カードとなる受信した振分け許諾要求に含まれる（会員）カードＩＤから特定されるカードから振分けされたパチンコ玉の振分け総数（振分け元）を、その当日の日付を含むとともに受信した振分け許諾要求に含まれる（会員）カードＩＤを含む全ての振分け履歴の振分け持玉数並びに振分け貯玉数を合計することにより特定する。
【０３５０】
尚、これら振分け総数（振分け元）を集計する場合において、カードＩＤがビジターカードのＩＤである場合には、該カードＩＤに対応付けてビジター貯蓄管理テーブルに記憶されている最新発行日時から、該ビジターカードが最後に発行された日時を特定し、該特定した最後に発行された日時以降の日時情報を含む振分け履歴のみを集計対象とするようになっており、このようにすることで、繰返し利用されるビジターカードが最後に発行された遊技者から振分けされた振分け総数（振分け元）を正確に特定するようになっている。
【０３５１】
そして、該特定した振分け総数（振分け元）に、受信した振分け許諾要求に含まれる振分け玉数（振分け持玉数）を加算した後の振分け総数（振分け元）が、振分け設定画面において振分け元上限制限の項目にて設定されている制限数を超えているか否かを判定する。
【０３５２】
これら判定において、いずれかの制限数を超えている場合には、受信した振分け許諾要求に含まれるカードＩＤを含む振分け不可を返信する。尚、これら振分け不可を返信する場合には、受信した振分け許諾要求に含まれる振分け玉数を加算する前の振分け総数（全体）と制限数との差数（全体）と、受信した振分け許諾要求に含まれる振分け玉数を加算する前の振分け総数（振分け元）と制限数との差数（振分け元）とをそれぞれ算出し、これら差数が共に正の値であるときに、これら差数の内の少ない方の差数を振分け可能数として特定し、該特定した振分け可能数を含む振分け不可を返信する。
【０３５３】
一方、振分け総数制限並びに振分け元上限制限に、共に「しない」が設定されている場合、振分け総数制限および／または振分け元上限制限に「する」が設定されている場合であって、制限数を超えていないと判定した場合には、受信した振分け許諾要求に含まれる（会員）カードＩＤを含む振分け許諾を返信する。
【０３５４】
制御ユニット３２８は、管理コンピュータ１５０からの返信が、振分け許諾であるか否かをＳｆ６のステップにて判定し、振分け不可である場合には、Ｓｆ６のステップにて「Ｎｏ」と判定されてＳｆ２４のステップに進んで制限玉数エラー画面表示を実施することにより、表示部３１２には、図３２（ｆ）に示すように、受信した振分け不可に含まれる振分け可能玉数の表示を含む制限玉数エラー画面を表示して振分け可能玉数を遊技者に報知した後、Ｓｆ２のステップに戻る。
【０３５５】
尚、この際、Ｓｆ２の振分け玉数受付け処理において表示部３１２に表示される振分け玉数受付け画面においては、受信した振分け不可に含まれる振分け可能玉数が振分け可能玉数表示部に表示されるようになっており、遊技者は、これら振分け可能玉数を振分け玉数受付け画面上において把握することができるので、該振分け可能玉数をＳｆ２のステップにおいて再度、振分け玉数として入力することで、繰返し、制限玉数エラーとなってしまうことを回避できる。
【０３５６】
一方、管理コンピュータ１５０からの返信が振分け許諾である場合には、Ｓｆ６のステップにて「Ｙｅｓ」と判定されてＳｆ７のステップに進み、カード挿入可能化指示をカードリーダライタ３２７に出力することで、カード挿入口３０９への新たなカードの挿入を許可するとともに、図３２（ｂ）に示すように、振分け玉数の表示部と、振分け先のカードの挿入を促すメッセージの表示部と、振分け先のカードが無い場合におけるビジターカードの新規発行の操作を受付ける新規発行選択入力部を有する新規発行受付け画面を表示部３１２に表示した後、Ｓｆ８のステップとＳｆ９のステップを巡回する監視状態に移行して、新規発行選択入力部の選択入力が有るか、カード挿入口３０９への新たなカードの挿入が有るかを監視する。
【０３５７】
振分け先となる遊技者が、ビジターカードまたは会員カードを所持していない場合には、新規発行選択入力部を選択入力すれば良く、該新規発行選択入力部が選択入力された場合には、該選択入力がＳｆ８のステップにおいて発行受付け有りと検知されてＳｆ１０のステップに進み、受付け中のカードが会員カードであるか否かを判定し、会員カードでない場合、つまり、受付け中のカードがビジターカードである場合には、Ｓｆ１１に進んでビジター用発行振分け処理を実施する一方、受付け中のカードが会員カードである場合には、Ｓｆ１２に進んで会員用発行振分け処理を実施する。
【０３５８】
Ｓｆ１１のビジター用発行振分け処理において制御ユニット３２８は、まず、受付け中のビジターカードを、カードリーダライタ３２７のカード挿入口３０９側の退避位置に退避させて保持するとともに、カードリーダライタ３２７内の所定の読み出し位置に、カード貯留部３７０に貯留されているビジターカードを移動させて該ビジターカードのカードＩＤの読み出しを実施して一時記憶する。
【０３５９】
そして、該読み出したカードＩＤ（新）と、カードテーブルに記憶されている退避位置に退避させたビジターカードのカードＩＤ（旧）と振分け持玉数と、当該カードユニット３の装置ＩＤとモードフラグとを含む発行振分け要求を管理コンピュータ１５０に対して送信する。
【０３６０】
この発行振分け要求の受信に応じて管理コンピュータ１５０は、受信した発行振分け要求にビジターカードのカードＩＤ（新）とカードＩＤ（旧）とが含まれる、つまり、２つのビジターカードのカードＩＤが含まれることにより、ビジターカードの交換が行われるビジター用発行振分け処理であると判定し、受信した発行振分け要求に含まれるカードＩＤ（旧）に対応付けてビジター貯蓄管理テーブルに記憶されている持玉数と最新発行日時とを特定し、該特定した持玉数から受信した発行振分け要求に含まれる振分け玉数を減算更新するとともに、該減算更新後の持玉数と特定した最新発行日時とを、受信した発行振分け要求に含まれるカードＩＤ（新）に対応付けてビジター貯蓄管理テーブルに記憶されている持玉数と最新発行日時に記憶し、カードＩＤ（旧）に対応付けてビジター貯蓄管理テーブルに記憶されている持玉数に「０」を、最新発行日時に当該時点の日時を更新記憶する。
【０３６１】
さらに、ユニット管理テーブルにおいて受信した発行振分け要求に含まれる装置ＩＤに対応する「受付けＩＤ」のデータにカードＩＤ（新）を更新記憶するとともに、「計数済玉数」のデータに振分け持玉数が減算された持玉数を更新記憶する。
【０３６２】
そして、振分け履歴として、その時点の日時と、受信した発行振分け要求に含まれる装置ＩＤと、振分け先のカードとしてカードＩＤ（旧）と、振分け元のカードとしてカードＩＤ（新）と、発行を示す「１」と、振分け持玉数と、利用受付け無しを示す「０」と、振分け貯玉数、手数料玉数には無しを示す「−」を含む振分け履歴を、振分け履歴テーブルに登録した後、発行振分け完了通知を返信する。
【０３６３】
この発行振分け完了通知の受信に応じて制御ユニット３２８は、カードテーブルの持玉数から振分け持玉数を減算更新するとともに、一時記憶しているカードＩＤ（新）と、カードテーブルに記憶されているカードＩＤ（旧）とプリペイド残額とモードフラグとを含むカード交換要求をシステムコントローラ１００に送信する。
【０３６４】
このカード交換要求の受信に応じてシステムコントローラ１００は、ビジターカードテーブルにカードＩＤ（旧）に対応付けて記憶されているプリペイド残額と最新発行日時とを特定し、該特定したプリペイド残額が受信したプリペイド残額とが一致することを条件に、該特定したプリペイド残額と最新発行日時とを、受信した発行振分け要求に含まれるカードＩＤ（新）に対応するプリペイド残額と最新発行日時とに記憶し、対応する「状況」を「利用中」に更新するとともに、カードＩＤ（旧）に対応付けて記憶されているプリペイド残額を「０」に、最新発行日時にその時点の日時を更新記憶した後、カード交換完了通知を返信する。
【０３６５】
つまり、カード貯留部３７０に貯留されているビジターカードを振分け元のカードとし、それまで受付けていたビジターカードを新たに発行して振分け先のカードとするために、データの対応付けの付け替えを実施する。
【０３６６】
このカード交換完了通知の受信に応じて制御ユニット３２８は、一時記憶しているカードＩＤ（新）を、カードテーブルのカードＩＤに更新記憶するとともに、該カードＩＤ（新）のカードに対して、カードテーブルに記憶されているプリペイド残額と持玉数とテストフラグ（テストモード中のみ）を書き込み記憶した後、該カードＩＤ（新）のカードを、一旦、カード貯留部３７０に退避させることで、カード挿入口３０９側の待機位置に保持しているカードＩＤ（旧）のビジターカードを所定の読み出し位置まで移動させ、プリペイド残額と持玉数とを「０」に更新し、テストフラグを「１」に更新する（テストモード中のみ）とともに、振分けフラグを振分け有りを示す「１」に更新する。
【０３６７】
そして、これらの更新が完了した後、カードＩＤ（旧）のビジターカード、つまり、振分け操作の受付け時点において受付け中であったビジターカードをカード挿入口３０９から排出するとともに、カード貯留部３７０に退避させていたカードＩＤ（新）のカードを、所定の読み出し位置まで移動させ、表示部３１２に、図３２（ｃ）に示すように、「発行されたビジターカードをお取り下さい。」のメッセージを、該排出したビジターカードがカード挿入口３０９から取り出されるまで表示して、当該ビジター用発行振分け処理を終了する。尚、処理終了においては、Ｓ１にて実施した計数禁止と払出ボタン３１１の操作無効が解除される。
【０３６８】
このように、本実施例のビジター用発行振分け処理においては、振分け操作の受付け時点において受付け中であったビジターカードを振分け先のビジターカードとして発行するようにしているので、遊技者は、新たなビジターカードを発行するために、振分け操作の受付け時点において受付け中であったビジターカードを一度排出して、新たなビジターカードを発行させ、該発行の終了後に再度、ビジターカードを挿入する必要（手間）がなく、これらビジターカードの発行をスムーズに行うことができるとともに、一度排出したビジターカードが紛失されてしまうこともない。
【０３６９】
尚、これら発行されたビジターカードは、前述したように、他のカードユニット３に挿入することで、振分けされた振分け持玉数が持玉数に加算されて計数済玉数として表示部３１２に表示されることで、該持玉数を、払出ボタン３１１を操作して払出すことができる。
【０３７０】
また、Ｓｆ１２の会員用発行振分け処理において制御ユニット３２８は、まず、受付け中の会員カードを、カードリーダライタ３２７のカード挿入口３０９側の退避位置に退避させて保持するとともに、カードリーダライタ３２７内の所定の読み出し位置に、カード貯留部３７０に貯留されているビジターカードを移動させて該ビジターカードのカードＩＤの読み出しを実施して一時記憶する。
【０３７１】
そして、該読み出したカードＩＤと、カードテーブルに記憶されている会員カードＩＤと振分け持玉数と当該カードユニット３の装置ＩＤとモードフラグとを含む発行振分け要求を管理コンピュータ１５０に対して送信する。
【０３７２】
この発行振分け要求の受信に応じて管理コンピュータ１５０は、受信した発行振分け要求にビジターカードのカードＩＤと会員カードＩＤとが含まれることにより、会員用発行振分け処理であると判定し、受信した発行振分け要求に含まれる会員カードＩＤに対応付けて会員貯蓄管理テーブルに記憶されている持玉数を特定し、該特定した持玉数から受信した発行振分け要求に含まれる振分け持玉数を減算更新するとともに、受信した発行振分け要求に含まれるビジターカードのカードＩＤに対応付けてビジター貯蓄管理テーブルに記憶されている持玉数に「０」を、最新発行日時に当該時点の日時を更新記憶する。
【０３７３】
さらに、ユニット管理テーブルにおいて受信した発行振分け要求に含まれる装置ＩＤに対応する「計数済玉数」のデータを、振分け玉数を減算更新した後の持玉数に更新する。
【０３７４】
そして、振分け履歴として、その時点の日時と、受信した発行振分け要求に含まれる装置ＩＤと、振分け先のカードとしてカードＩＤと、振分け元のカードとして会員カードＩＤと、発行を示す「１」と、振分け持玉数と、利用受付け無しを示す「０」と、振分け貯玉数、手数料玉数には無しを示す「−」とを含む振分け履歴を、振分け履歴テーブルに登録した後、発行振分け完了通知を返信する。
【０３７５】
この発行振分け完了通知の受信に応じて制御ユニット３２８は、カードテーブルの持玉数から振分け持玉数を減算更新するとともに、一時記憶しているビジターカードのカードＩＤとモードフラグとを含む振分け発行要求をシステムコントローラ１００に送信する。
【０３７６】
この振分け発行要求の受信に応じてシステムコントローラ１００は、受信した振分け発行要求に含まれるカードＩＤに対応付けてビジターカードテーブルに記憶されているプリペイド残額に「０」を、最新発行日時にその時点の日時を、「状況」に「使用中」を更新記憶した後、振分け発行完了通知を返信する。
【０３７７】
この振分け発行完了通知の受信に応じて制御ユニット３２８は、発行するビジターカードにプリペイド残額と持玉数として「０」を書き込み記憶し、テストフラグを「１」に更新する（テストモード中のみ）とともに、振分けフラグを振分け有りを示す「１」に更新する。
【０３７８】
そして、システムコントローラ１００に対して、カードテーブルに記憶されている会員カードＩＤを含む使用留保要求を送信して、該会員カードの他のカードユニット３における利用を不可とした後、カード挿入口３０９側の待機位置に保持している会員カードを、カード挿入口３０９から排出するとともに、図３２（ｄ）に示すように、「返却された会員カードを取り出すと、振分け用のビジターカードが発行されます。」のメッセージを表示部３１２に表示して、排出した会員カードの取り出しを促す。
【０３７９】
このメッセージの表示に応じて会員遊技者が、自身の会員カードをカード挿入口３０９から取り出すと、該取り出しに応じてビジターカードが即座にカード挿入口３０９から排出されるとともに、図３２（ｃ）に示すように、「発行されたビジターカードをお取り下さい。」のメッセージが表示部３１２に表示される。
【０３８０】
会員遊技者は、カード挿入口３０９に排出されたビジターカードを取り出して振分けをする他の遊技者に手渡すとともに、自身の会員カードを再度カード挿入口３０９から挿入する。
【０３８１】
この会員カードの挿入に応じて制御ユニット３２８は、該再挿入された会員カードから読み出した会員カードＩＤが、カードテーブルに記憶されている会員カードＩＤに一致するか否かを判定し、一致しないときには該カードを返却してエラーを係員に報知するエラー報知状態に移行する一方、一致するときには該会員用発行振分け処理を終了する。
【０３８２】
一方、Ｓｆ８とＳｆ９のステップによる監視状態においてカード挿入口３０９への新たなカードの挿入が有った場合には、該カードの挿入がＳｆ９のステップにおいて検知されてＳｆ１４のステップに進み、受付け中のカードを貯留部３７０に移動して退避させるとともに、新たに挿入されたカードの記録情報を読み出して、新たに挿入されたカードが会員カードであるか否かを判定する。
【０３８３】
新たに挿入されたカードが会員カードである場合にはＳｆ１５のステップに進み、更に、該カードが挿入される前に受付けていた振分け元カードが会員カードであるか否かを判定し、振分け元カードが会員カードである場合には、Ｓｆ１６にステップに進んで、振分け元カードが会員カードであって、振分け先カードも会員カードである会員対会員振分け処理を実施し、カードが挿入される前に受付けていた振分け元カードが会員カードでない場合には、Ｓｆ１７のステップに進んで、振分け元カードがビジターカードであって、振分け先カードが会員カードであるビジター対会員振分け処理を実施する。
【０３８４】
一方、新たに挿入されたカードがビジターカードである場合にはＳｆ１８のステップに進み、更に、該カードが挿入される前に受付けていた振分け元カードが会員カードであるか否かを判定し、振分け元カードが会員カードである場合には、Ｓｆ１９にステップに進んで、振分け元カードが会員カードであって、振分け先カードがビジターカードである会員対ビジター振分け処理を実施し、カードが挿入される前に受付けていた振分け元カードが会員カードでない場合には、Ｓｆ２０のステップに進んで、振分け元カードがビジターカードであって、振分け先カードもビジターカードであるビジター対ビジター振分け処理を実施する。
【０３８５】
本実施例のＳｆ１６の会員対会員振分け処理において制御ユニット３２８は、図２８（ｂ）に示すように、当該カードユニット３の装置ＩＤと、挿入された振分け先の会員カードから読み出した会員カードＩＤ（振分け先）と、カードテーブルに記憶している振分け元の会員カードの会員カードＩＤ（振分け元）と、振分け持玉数と、モードフラグとを含む振分け要求を管理コンピュータ１５０に対して送信する。
【０３８６】
この振分け要求の受信に応じて管理コンピュータ１５０は、前述した振分け設定画面において、連続振分け制限に「する」が設定されているか否かを判定し、連続振分け制限に「する」が設定されている場合には、受信した振分け要求に含まれる会員カードＩＤ（振分け先）を振分け先カードとして含み、利用受付けのデータが非受付けを示す「０」である振分け履歴が存在するかを検索する。
【０３８７】
該検索により存在する場合には、受信した振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信した振分け要求に含まれる会員カードＩＤ（振分け先）から特定されるカードに振分けされたパチンコ玉の振分け総数（振分け先）を、その当日の日付を含むとともに受信した振分け要求に含まれる会員カードＩＤ（振分け先）を振分け先カードとして含む全ての振分け履歴の振分け持玉数並びに振分け貯玉数とを合計することにより特定する。
【０３８８】
そして、該特定した振分け総数（振分け先）に、受信した振分け要求に含まれる振分け持玉数を加算した後の振分け総数（振分け先）が、振分け設定画面において振分け先上限制限の項目にて設定されている制限数を超えているか否かを判定する。
【０３８９】
該判定において、制限数を超えている場合には、受信した振分け要求に含まれる会員カードＩＤ（振分け元）を含む振分け不可を返信する。尚、これら振分け不可を返信する場合には、受信した振分け要求に含まれる振分け持玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ２のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０３９０】
一方、制限数を超えていない場合並びに振分け先上限制限に「しない」が設定されている場合には、受信した振分け要求に含まれる会員カードＩＤ（振分け元）に対応付けて会員貯蓄管理テーブルに記憶されている持玉数を特定し、該特定した持玉数から受信した振分け要求に含まれる振分け持玉数を減算更新するとともに、ユニット管理テーブルにおいて受信した振分け要求に含まれる装置ＩＤに対応する「計数済玉数」のデータを、振分け持玉数を減算更新した後の持玉数に更新する。
【０３９１】
そして、振分け履歴として、その時点の日時と、受信した振分け要求に含まれる装置ＩＤと、振分け先のカードとして会員カードＩＤ（振分け先）と、振分け元のカードとして会員カードＩＤ（振分け元）と、非発行を示す「０」と、振分け持玉数と、利用受付け無しを示す「０」と、振分け貯玉数並びに手数料玉数には無しを示す「−」とを含む振分け履歴を、振分け履歴テーブルに登録した後、受信した振分け要求に含まれる会員カードＩＤ（振分け元）を含む振分け完了通知を返信する。
【０３９２】
この振分け完了通知の受信に応じて制御ユニット３２８は、カードテーブルの持玉数から振分け持玉数を減算更新し、振分け先の会員カードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先の会員カードの取り出しを促し、該会員対会員振分け処理を終了する。尚、処理終了においては、Ｓ１にて実施した計数禁止と払出ボタン３１１の操作無効が解除される。
【０３９３】
これら返却された振分け先の会員カードは、他のカードユニット３に挿入されることで、振分け履歴テーブルに記憶されている振分け持玉数が持玉数に加算されて使用可能となる。
【０３９４】
本実施例のＳｆ１７のビジター対会員振分け処理において制御ユニット３２８は、図２８（ｂ）に示すように、当該カードユニット３の装置ＩＤと、挿入された振分け先の会員カードから読み出した会員カードＩＤ（振分け先）と、カードテーブルに記憶している振分け元のビジターカードのカードＩＤ（振分け元）と、振分け持玉数と、モードフラグとを含む振分け要求を管理コンピュータ１５０に対して送信する。
【０３９５】
この振分け要求の受信に応じて管理コンピュータ１５０は、前述した振分け設定画面において、連続振分け制限に「する」が設定されているか否かを判定し、連続振分け制限に「する」が設定されている場合には、受信した振分け要求に含まれる会員カードＩＤ（振分け先）を含み、利用受付けのデータが非受付けを示す「０」である振分け履歴が存在するかを検索する。
【０３９６】
該検索により存在する場合には、受信した振分け要求に含まれるカードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信した振分け要求に含まれる会員カードＩＤ（振分け先）から特定されるカードに振分けされたパチンコ玉の振分け総数（振分け先）を、その当日の日付を含むとともに受信した振分け要求に含まれる会員カードＩＤ（振分け先）を振分け先カードとして含む全ての振分け履歴の振分け持玉数並びに振分け貯玉数とを合計することにより特定する。
【０３９７】
そして、該特定した振分け総数（振分け先）に、受信した振分け要求に含まれる振分け持玉数を加算した後の振分け総数（振分け先）が、振分け設定画面において振分け先上限制限の項目にて設定されている制限数を超えているか否かを判定する。
【０３９８】
該判定において、制限数を超えている場合には、受信した振分け要求に含まれるカードＩＤ（振分け元）を含む振分け不可を返信する。尚、これら振分け不可を返信する場合には、受信した振分け要求に含まれる振分け持玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ２のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０３９９】
一方、制限数を超えていない場合並びに振分け先上限制限に「しない」が設定されている場合には、受信した振分け要求に含まれるカードＩＤ（振分け元）に対応付けてビジター貯蓄管理テーブルに記憶されている持玉数を特定し、該特定した持玉数から受信した振分け要求に含まれる振分け持玉数を減算更新するとともに、ユニット管理テーブルにおいて受信した振分け要求に含まれる装置ＩＤに対応する「計数済玉数」のデータを、振分け持玉数を減算更新した後の持玉数に更新する。
【０４００】
そして、振分け履歴として、その時点の日時と、受信した振分け要求に含まれる装置ＩＤと、振分け先のカードとして会員カードＩＤ（振分け先）と、振分け元のカードとしてカードＩＤ（振分け元）と、非発行を示す「０」と、振分け持玉数と、利用受付け無しを示す「０」と、振分け貯玉数並びに手数料玉数には無しを示す「−」とを含む振分け履歴を、振分け履歴テーブルに登録した後、受信した振分け要求に含まれるカードＩＤ（振分け元）を含む振分け完了通知を返信する。
【０４０１】
この振分け完了通知の受信に応じて制御ユニット３２８は、カードテーブルの持玉数から振分け持玉数を減算更新し、振分け先の会員カードのテストフラグを「１」に更新する（テストモード中のみ）とともに振分けフラグを振分け有りを示す「１」に更新してカード挿入口３０９から返却し、カード貯留部３７０に一時退避させていた振分け元のビジターカードを所定の読み出し位置に戻すとともに、表示部３１２に、図３２（ｇ）に示すように、「返却されたカードをお取り下さい」のメッセージを表示して、返却した振分け先の会員カードの取り出しを促し、該ビジター対会員振分け処理を終了する。尚、処理終了においては、Ｓ１にて実施した計数禁止と払出ボタン３１１の操作無効が解除される。
【０４０２】
これら返却された振分け先の会員カードは、他のカードユニット３に挿入されることで、振分け履歴テーブルに記憶されている振分け持玉数が持玉数に加算されて使用可能となる。
【０４０３】
本実施例のＳｆ１９の会員対ビジター振分け処理において制御ユニット３２８は、図２８（ｂ）に示すように、当該カードユニット３の装置ＩＤと、挿入された振分け先のビジターカードから読み出したカードＩＤ（振分け先）と、カードテーブルに記憶している振分け元の会員カードの会員カードＩＤ（振分け元）と、振分け持玉数と、モードフラグとを含む振分け要求を管理コンピュータ１５０に対して送信する。
【０４０４】
この振分け要求の受信に応じて管理コンピュータ１５０は、前述した振分け設定画面において、連続振分け制限に「する」が設定されているか否かを判定し、連続振分け制限に「する」が設定されている場合には、受信した振分け要求に含まれるカードＩＤ（振分け先）を振分け先カードとして含み、利用受付けのデータが非受付けを示す「０」である振分け履歴が存在するかを検索する。
【０４０５】
該検索により存在する場合には、受信した振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信した振分け要求に含まれるカードＩＤ（振分け先）から特定されるカードに振分けされたパチンコ玉の振分け総数（振分け先）を、その当日の日付を含むとともに受信した振分け要求に含まれるカードＩＤ（振分け先）を振分け先カードとして含む振分け履歴であって、該カードＩＤ（振分け先）に対応付けてビジター貯蓄管理テーブルに記憶されている最新発行日時以降の日時情報を含む振分け履歴の振分け持玉数を合計することにより特定する。
【０４０６】
そして、該特定した振分け総数（振分け先）に、受信した振分け要求に含まれる振分け持玉数を加算した後の振分け総数（振分け先）が、振分け設定画面において振分け先上限制限の項目にて設定されている制限数を超えているか否かを判定する。
【０４０７】
該判定において、制限数を超えている場合には、受信した振分け要求に含まれる会員カードＩＤ（振分け元）を含む振分け不可を返信する。尚、これら振分け不可を返信する場合には、受信した振分け要求に含まれる振分け持玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ２のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０４０８】
一方、制限数を超えていない場合並びに振分け先上限制限に「しない」が設定されている場合には、受信した振分け要求に含まれる会員カードＩＤ（振分け元）に対応付けて会員貯蓄管理テーブルに記憶されている持玉数を特定し、該特定した持玉数から受信した振分け要求に含まれる振分け持玉数を減算更新するとともに、ユニット管理テーブルにおいて受信した振分け要求に含まれる装置ＩＤに対応する「計数済玉数」のデータを、振分け持玉数を減算更新した後の持玉数に更新する。
【０４０９】
そして、振分け履歴として、その時点の日時と、受信した振分け要求に含まれる装置ＩＤと、振分け先のカードとしてカードＩＤ（振分け先）と、振分け元のカードとして会員カードＩＤ（振分け元）と、非発行を示す「０」と、振分け持玉数と、利用受付け無しを示す「０」と、振分け貯玉数並びに手数料玉数には無しを示す「−」とを含む振分け履歴を、振分け履歴テーブルに登録した後、受信した振分け要求に含まれる会員カードＩＤ（振分け元）を含む振分け完了通知を返信する。
【０４１０】
この振分け完了通知の受信に応じて制御ユニット３２８は、カードテーブルの持玉数から振分け持玉数を減算更新し、振分け先のビジターカードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先のビジターカードの取り出しを促し、該会員対ビジター振分け処理を終了する。尚、処理終了においては、Ｓ１にて実施した計数禁止と払出ボタン３１１の操作無効が解除される。
【０４１１】
これら返却された振分け先のビジターカードは、他のカードユニット３に挿入されることで、振分け履歴テーブルに記憶されている振分け持玉数が持玉数に加算されて使用可能となる。
【０４１２】
本実施例のＳｆ２０のビジター対ビジター振分け処理において制御ユニット３２８は、図２８（ｂ）に示すように、当該カードユニット３の装置ＩＤと、挿入された振分け先のビジターカードから読み出したカードＩＤ（振分け先）と、カードテーブルに記憶している振分け元のビジターカードのカードＩＤ（振分け元）と、振分け持玉数と、モードフラグとを含む振分け要求を管理コンピュータ１５０に対して送信する。
【０４１３】
この振分け要求の受信に応じて管理コンピュータ１５０は、前述した振分け設定画面において、連続振分け制限に「する」が設定されているか否かを判定し、連続振分け制限に「する」が設定されている場合には、受信した振分け要求に含まれるカードＩＤ（振分け先）を振分け先カードとして含み、利用受付けのデータが非受付けを示す「０」である振分け履歴が存在するかを検索する。
【０４１４】
該検索により存在する場合には、受信した振分け要求に含まれるカードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信した振分け要求に含まれるカードＩＤ（振分け先）から特定されるビジターカードに振分けされたパチンコ玉の振分け総数（振分け先）を、その当日の日付を含むとともに受信した振分け要求に含まれるカードＩＤ（振分け先）を振分け先カードとして含む振分け履歴であって、該カードＩＤ（振分け先）に対応付けてビジター貯蓄管理テーブルに記憶されている最新発行日時以降の日時情報を含む振分け履歴の振分け持玉数を合計することにより特定する。
【０４１５】
そして、該特定した振分け総数（振分け先）に、受信した振分け要求に含まれる振分け持玉数を加算した後の振分け総数（振分け先）が、振分け設定画面において振分け先上限制限の項目にて設定されている制限数を超えているか否かを判定する。
【０４１６】
該判定において、制限数を超えている場合には、受信した振分け要求に含まれるカードＩＤ（振分け元）を含む振分け不可を返信する。尚、これら振分け不可を返信する場合には、受信した振分け要求に含まれる振分け持玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ２のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０４１７】
一方、制限数を超えていない場合並びに振分け先上限制限に「しない」が設定されている場合には、受信した振分け要求に含まれるカードＩＤ（振分け元）に対応付けてビジター貯蓄管理テーブルに記憶されている持玉数を特定し、該特定した持玉数から受信した振分け要求に含まれる振分け持玉数を減算更新するとともに、ユニット管理テーブルにおいて受信した振分け要求に含まれる装置ＩＤに対応する「計数済玉数」のデータを、振分け持玉数を減算更新した後の持玉数に更新する。
【０４１８】
そして、振分け履歴として、その時点の日時と、受信した振分け要求に含まれる装置ＩＤと、振分け先のカードとしてカードＩＤ（振分け先）と、振分け元のカードとしてカードＩＤ（振分け元）と、非発行を示す「０」と、振分け持玉数と、利用受付け無しを示す「０」と、振分け貯玉数並びに手数料玉数には無しを示す「−」とを含む振分け履歴を、振分け履歴テーブルに登録した後、受信した振分け要求に含まれるカードＩＤ（振分け元）を含む振分け完了通知を返信する。
【０４１９】
この振分け完了通知の受信に応じて制御ユニット３２８は、カードテーブルの持玉数から振分け持玉数を減算更新するとともに、振分け先のビジターカードのテストフラグを「１」に更新する（テストモード中のみ）とともに振分けフラグを振分け有りを示す「１」に更新してカード挿入口３０９から返却し、カード貯留部３７０に一時退避させていた振分け元のビジターカードを所定の読み出し位置に戻すとともに、表示部３１２に、図３２（ｇ）に示すように、「返却されたカードをお取り下さい」のメッセージを表示して、返却した振分け先のビジターカードの取り出しを促し、該ビジター対ビジター振分け処理を終了する。尚、処理終了においては、Ｓ１にて実施した計数禁止と払出ボタン３１１の操作無効が解除される。
【０４２０】
これら返却された振分け先のビジターカードは、他のカードユニット３に挿入されることで、振分け履歴テーブルに記憶されている振分け持玉数が持玉数に加算されて使用可能となる。
【０４２１】
ここで、Ｓｆ４のステップにおける判定において、受付けた振分け玉数が計数済玉数（持玉数）以下でない場合、つまり、受付けた振分け玉数に対して計数済玉数（持玉数）が不足している場合において実施されるＳｆ２５〜Ｓｆ２９のステップの処理について説明すると、これらの処理においては、まず、受付け中のカードが会員カードであるか否か（Ｓｆ２５）、貯玉数からの直接振分けの許諾が設定されているか否か（Ｓｆ２６）、並びに受付けた振分け玉数に対する計数済玉数（持玉数）の不足数と当該不足数の貯玉数を持玉数に変更する際に必要とされる手数料（本実施例では、上述した再プレイ手数料と同じ）の玉数（手数料玉数）との合計数以上の貯玉数を当該遊技者が所有しているか否か（Ｓｆ２７）を順次判定する。
【０４２２】
そして、これらＳｆ２５〜Ｓｆ２７の各判定においていずれかが否（Ｎｏ）である場合には、Ｓｆ２９のステップに進んで、図３２（ｅ）の計数済玉数エラー画面を表示して計数済玉数が不足していることを遊技者に報知するとともに、該計数済玉数エラー画面の「確認」の選択入力部が、遊技者により選択入力されることに応じて、Ｓｆ２−のステップに戻ることにより、再度、振分け可能玉数が特定されて振分け玉数の受付けが実施される。尚、処理を終了させたい場合には、計数済玉数エラー画面において「キャンセル」を選択入力すれば良い。
【０４２３】
また、Ｓｆ２５〜Ｓｆ２７の各ステップの判定が全てＹｅｓである場合には、Ｓｆ２８のステップに進み、不足分の玉数の振分けに貯玉数を使用して実施して良いかの確認を、図３１（ｃ）に示す確認受付け画面を表示部３１２に表示して遊技者から受付ける確認受付け処理を実施する。
【０４２４】
この確認受付け画面には、計数済玉数（持玉数）が不足している旨のメッセージと、不足している玉数と、該不足している玉数の振分けによって貯玉数から減算される減算玉数（不足数＋手数料玉数）と、不足分の玉数の振分けに貯玉数を使用して実施して良いかを確認する確認メッセージを含むとともに、「ＯＫ」と「ＮＧ」の選択入力部が設けられており、遊技者は、不足分の玉数の振分けに貯玉数を使用して良い場合には「ＯＫ」の選択入力部を選択入力する一方、該不足分の玉数の振分けに貯玉数を使用したくない場合には「ＮＧ」の選択入力部を選択入力すれば良い。
【０４２５】
そして、確認受付け画面の「ＯＫ」と「ＮＧ」のいずれの選択入力部が選択入力されたかがＳｆ２８’のステップにおいて判定され、「ＮＧ」の選択入力部が選択入力された場合には、不足分貯玉利用ＮＧとしてＳｆ２−のステップに戻って、再度、振分け可能玉数が特定されて振分け玉数の受付けが実施される一方、「ＯＫ」の選択入力部が選択入力された場合には、不足分貯玉利用ＯＫとして図２７のＣであるＳｆ５０のステップに移行することで、不足分の振分け玉数が貯玉数から自動振分けされる。
【０４２６】
このＳｆ５０のステップにおいては、まず、管理コンピュータ１５０に対して、当該カードユニット３の装置ＩＤと、受付け中の会員カードＩＤと、振分け玉数入力部において受付けた振分け玉数と、カードテーブルに記憶されているその時点の計数済玉数（持玉数）と、モードフラグとを含む統合振分け許諾要求を送信する（図２８（ａ）参照）。
【０４２７】
この統合振分け許諾要求の受信に応じて管理コンピュータ１５０は、受信した統合振分け許諾要求に含まれる会員カードＩＤに対応付けて会員貯蓄管理テーブルに記憶されている持玉数と、受信した統合振分け許諾要求に含まれる計数済玉数（持玉数）とを比較し、双方が一致しないときには、会員貯蓄管理テーブルの持玉数、並びにユニット管理テーブルにおける受信した装置ＩＤに対応する計数済玉数を、受信した統合振分け許諾要求に含まれる計数済玉数（持玉数）に更新する。
【０４２８】
更に、受信した統合振分け許諾要求に含まれる会員カードＩＤに対応付けて会員貯蓄管理テーブルに記憶されている貯玉数と持玉数とを特定するとともに、受信した統合振分け許諾要求に含まれる振分け玉数から持玉数を減算した差数の玉数を不足玉数として特定し、貯玉数が該不足玉数並びに該不足玉数の貯玉数を持玉数に変更する際に必要とされる手数料玉数との合計数以上であることを確認する。尚、貯玉数が不足玉数と手数料玉数との合計数以上でない場合には、受信した統合玉振分け許諾要求に含まれる会員カードＩＤを含む振分け不可を返信する。
【０４２９】
そして、前述した振分け設定画面（図２０（ａ）参照）において、振分け総数制限に「する」が設定されているか否かを判定し、振分け総数制限に「する」が設定されている場合には、前述したように、集計対象期間として設定されている期間において当該遊技場において振分けされたパチンコ玉の振分け総数（全体）を特定して、該特定した振分け総数（全体）に、受信した統合振分け許諾要求に含まれる振分け玉数（振分け貯玉数）を加算した後の振分け総数（全体）が、振分け総数制限の項目にて設定されている制限数を超えているか否かを判定する。
【０４３０】
更に、前述した振分け設定画面において、振分け元上限制限に「する」が設定されているか否かを判定し、振分け元上限制限に「する」が設定されている場合には、前述したように、集計対象期間として設定されている期間において、振分け元カードとなる受信した統合振分け許諾要求に含まれる会員カードＩＤから特定される会員カードから振分けされたパチンコ玉の振分け総数（振分け元）を特定して、該特定した振分け総数（振分け元）に、受信した統合振分け許諾要求に含まれる振分け玉数（振分け貯玉数）を加算した後の振分け総数（振分け元）が、振分け設定画面において振分け元上限制限の項目にて設定されている制限数を超えているか否かを判定する。
【０４３１】
一方、振分け総数制限並びに振分け元上限制限に、共に「しない」が設定されている場合、振分け総数制限および／または振分け元上限制限に「する」が設定されている場合であって、制限数を超えていないと判定した場合には、受信した統合振分け許諾要求に含まれる会員カードＩＤを含む振分け許諾を返信する。
【０４３２】
制御ユニット３２８は、管理コンピュータ１５０からの返信が、振分け許諾であるか否かをＳｆ５１のステップにて判定し、振分け不可である場合には「Ｎｏ」と判定されてＳｆ５９のステップに進んで、図３２（ｆ）に示す制限玉数エラー画面と同様に、受信した振分け不可に含まれる振分け可能玉数の表示を含む制限玉数エラー画面を表示して振分け可能玉数を遊技者に報知した後、図２５のＡであるＳｆ２１−のステップに戻る。
【０４３３】
尚、この際において表示部３１２に表示される振分け玉数受付け画面においては、受信した振分け不可に含まれる振分け可能玉数が振分け可能玉数表示部に表示されるようになっており、遊技者は、これら振分け可能玉数を振分け玉数受付け画面上において把握することができるので、該振分け可能玉数をＳｆ３１のステップにおいて再度、振分け玉数として入力することで、繰返し、制限玉数エラーとなってしまうことを回避できる。
【０４３４】
一方、管理コンピュータ１５０からの返信が振分け許諾である場合には、Ｓｆ５１のステップにて「Ｙｅｓ」と判定されてＳｆ５２のステップに進み、カード挿入可能化指示をカードリーダライタ３２７に出力することで、カード挿入口３０９への新たなカードの挿入を許可するとともに、図３２（ｂ）に示す、振分け先のカードの挿入を促すメッセージの表示部と振分け先のカードが無い場合におけるビジターカードの新規発行の操作を受付ける新規発行選択入力部を有する新規発行受付け画面を表示部３１２に表示した後、Ｓｆ５３のステップとＳｆ５４のステップを巡回する監視状態に移行して、新規発行選択入力部の選択入力が有るか、カード挿入口３０９への新たなカードの挿入が有るかを監視する。
【０４３５】
振分け先となる遊技者が、ビジターカードまたは会員カードを所持していないことにより、新規発行選択入力部が選択入力された場合には、該選択入力がＳｆ５４のステップにおいて発行受付け有りと検知されてＳｆ５８のステップに進んで、ビジターカードの発行を伴う発行不足自動振分け処理を実施する。
【０４３６】
この発行不足自動振分け処理において制御ユニット３２８は、まず、受付け中の会員カードを、カードリーダライタ３２７のカード挿入口３０９側の退避位置に退避させて保持するとともに、カードリーダライタ３２７内の所定の読み出し位置に、カード貯留部３７０に貯留されているビジターカードを移動させて該ビジターカードのカードＩＤの読み出しを実施して一時記憶する。
【０４３７】
そして、カードテーブルの持玉数を振分け持玉数とするとともに、受付けた振分け玉数と持玉数との差数である不足玉数を振分け貯玉数として特定し、上記にて読み出したカードＩＤと、カードテーブルに記憶されている会員カードＩＤと、該特定した振分け持玉数並びに振分け貯玉数と、モードフラグと、当該カードユニット３の装置ＩＤを含む発行不足自動振分け要求を管理コンピュータ１５０に対して送信する。
【０４３８】
尚、本実施例では、管理コンピュータ１５０における処理負荷や通信負荷の軽減を目的として、これら発行不足自動振分け要求に、振分け持玉数と振分け貯玉数の双方を含むことで、１つの振分け要求のみを管理コンピュータ１５０に送信するようにしているが、本発明はこれに限定されるものではなく、これら振分け持玉数を含む発行振分け要求と、後述する振分け貯玉数を含む発行直接振分け要求を個別に送信して、管理コンピュータ１５０において、これら持玉数からの該持玉数の振分け処理と、貯玉数からの不足玉数との振分け処理とを個別に実施するようにしても良いことは言うまでもない。
【０４３９】
この発行不足自動振分け要求の受信に応じて管理コンピュータ１５０は、受信した発行不足自動振分け要求に含まれる会員カードＩＤに対応付けて会員貯蓄管理テーブルに記憶されている持玉数と貯玉数とを特定し、該特定した持玉数から受信した発行不足自動振分け要求に含まれる振分け持玉数を減算更新、つまり「０」とし、該特定した貯玉数から受信した発行不足自動振分け要求に含まれる振分け貯玉数と該振分け貯玉数を持玉数に移行するのに必要となる手数料玉数とを減算更新するとともに、受信した発行直接振分け要求に含まれる振分け先のカードとなるビジターカードのカードＩＤに対応付けてビジター貯蓄管理テーブルに記憶されている持玉数に「０」を、最新発行日時に当該時点の日時を更新記憶する。
【０４４０】
そして、振分け履歴として、その時点の日時と、受信した発行不足自動振分け要求に含まれる装置ＩＤと、振分け先のカードとしてビジターカードのカードＩＤと、振分け元のカードとして会員カードＩＤと、発行を示す「１」と、振分け持玉数と、振分け貯玉数と、手数料玉数と、利用受付け無しを示す「０」とを含む振分け履歴を、振分け履歴テーブルに登録した後、発行振分け完了通知を返信する。
【０４４１】
この発行振分け完了通知の受信に応じて制御ユニット３２８は、カードテーブルの持玉数を振分け持玉数を減算した玉数に、カードテーブルの貯玉数を振分け貯玉数と手数料玉数を減算した玉数に更新するとともに、一時記憶しているビジターカードのカードＩＤとモードフラグとを含む振分け発行要求をシステムコントローラ１００に送信することで、システムコントローラ１００は、前述した振分け発行要求の受信時と同一の処理を実施して振分け発行完了通知を返信する。
【０４４２】
この振分け発行完了通知の受信に応じて制御ユニット３２８は、発行するビジターカードにプリペイド残額と持玉数として「０」を書き込み記憶し、テストフラグを「１」に更新する（テストモード中のみ）とともに、振分けフラグを振分け有りを示す「１」に更新する。
【０４４３】
そして、システムコントローラ１００に対して、カードテーブルに記憶されている会員カードＩＤを含む使用留保要求を送信して、該会員カードの他のカードユニット３における利用を不可とした後、カード挿入口３０９側の待機位置に保持している会員カードを、カード挿入口３０９から排出して一時返却するとともに、図３２（ｄ）に示すように、「返却された会員カードを取り出すと、振分け用のビジターカードが発行されます。」のメッセージを表示部３１２に表示して、排出した会員カードの取り出しを促す。
【０４４４】
このメッセージの表示に応じて会員遊技者が、自身の会員カードをカード挿入口３０９から取り出すと、該取り出しに応じてビジターカードが即座にカード挿入口３０９から排出されるとともに、図３２（ｃ）に示すように、「発行されたビジターカードをお取り下さい。」のメッセージが表示部３１２に表示される。
【０４４５】
会員遊技者は、カード挿入口３０９に排出されたビジターカードを取り出して振分けをする他の遊技者に手渡すとともに、自身の会員カードをカード挿入口３０９から再度挿入する。
【０４４６】
この会員カードの挿入に応じて制御ユニット３２８は、該再挿入された会員カードから読み出した会員カードＩＤが、カードテーブルに記憶されている会員カードＩＤに一致するか否かを判定し、一致しないときには該カードを返却してエラーを係員に報知するエラー報知状態に移行する一方、一致するときには該発行不足自動振分け処理を終了する。
【０４４７】
一方、Ｓｆ５３とＳｆ５４のステップによる監視状態においてカード挿入口３０９への新たなカードの挿入が有った場合には、該カードの挿入がＳｆ５３のステップにおいて検知されてＳｆ５５のステップに進み、受付け中の会員カードを貯留部３７０に移動して退避させるとともに、新たに挿入されたカードの記録情報を読み出して、新たに挿入されたカードが会員カードであるか否かを判定する。
【０４４８】
新たに挿入されたカードが会員カードである場合にはＳｆ５６のステップに進んで会員不足自動振分け処理を実施する一方、新たに挿入されたカードが会員カードでない場合には、Ｓｆ５７のステップに進んでビジター不足自動振分け処理を実施する。
【０４４９】
本実施例のＳｆ５６の会員不足自動振分け処理において制御ユニット３２８は、カードテーブルの持玉数を振分け持玉数とするとともに、受付けた振分け玉数と持玉数との差数である不足玉数を振分け貯玉数として特定し、当該カードユニット３の装置ＩＤと、挿入された振分け先の会員カードから読み出した会員カードＩＤ（振分け先）と、カードテーブルに記憶している振分け元の会員カードの会員カードＩＤ（振分け元）と、該特定した振分け持玉数並びに振分け貯玉数とモードフラグとを含む会員不足自動振分け要求を管理コンピュータ１５０に対して送信する。尚、前述した発行不足自動振分け要求と同じく、これら会員不足自動振分け要求を、振分け持玉数を含む振分け要求と、振分け貯玉数を含む後述する会員直接振分け要求として個別に送信するようにしても良い。
【０４５０】
この会員不足自動振分け要求の受信に応じて管理コンピュータ１５０は、前述した振分け設定画面において、連続振分け制限に「する」が設定されているか否かを判定し、連続振分け制限に「する」が設定されている場合には、受信した会員不足自動振分け要求に含まれる会員カードＩＤ（振分け先）を振分け先カードとして含み、利用受付けのデータが非受付けを示す「０」である振分け履歴が存在するかを検索する。
【０４５１】
該検索により存在する場合には、受信した会員不足自動振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間において、振分け先カードとなる受信した会員不足自動振分け要求に含まれる会員カードＩＤ（振分け先）から特定される会員カードに振分けされたパチンコ玉の振分け総数（振分け先）を、前述した会員対会員振分け処理における振分け要求の受信時と同じく特定する。
【０４５２】
そして、該特定した振分け総数（振分け先）に、受信した会員不足自動振分け要求に含まれる振分け持玉数と振分け貯玉数を加算した後の振分け総数（振分け先）が、振分け設定画面において振分け先上限制限の項目にて設定されている制限数を超えているか否かを判定する。
【０４５３】
該判定において、制限数を超えている場合には、受信した会員不足自動振分け要求に含まれる会員カードＩＤ（振分け元）を含む振分け不可を返信する。尚、これら振分け不可を返信する場合には、受信した会員不足自動振分け要求に含まれる振分け持玉数と振分け貯玉数とを加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、図２５のＡ（Ｓｆ２−のステップ）に戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０４５４】
一方、制限数を超えていない場合並びに振分け先上限制限に「しない」が設定されている場合には、受信した会員不足自動振分け要求に含まれる会員カードＩＤに対応付けて会員貯蓄管理テーブルに記憶されている持玉数と貯玉数とを特定し、該特定した持玉数から受信した会員不足自動振分け要求に含まれる振分け持玉数を減算更新、つまり「０」とし、該特定した貯玉数から受信した会員不足自動振分け要求に含まれる振分け貯玉数と該振分け貯玉数を持玉数に移行するのに必要となる手数料玉数とを減算更新する。
【０４５５】
そして、振分け履歴として、その時点の日時と、受信した会員不足自動振分け要求に含まれる装置ＩＤと、振分け先のカードとして会員カードＩＤ（振分け先）と、振分け元のカードとして会員カードＩＤ（振分け元）と、非発行を示す「０」と、振分け持玉数と、振分け貯玉数と、手数料玉数と、利用受付け無しを示す「０」とを含む振分け履歴を、振分け履歴テーブルに登録した後、振分け完了通知を返信する。
【０４５６】
この振分け完了通知の受信に応じて制御ユニット３２８は、カードテーブルの持玉数を振分け持玉数を減算した玉数に、カードテーブルの貯玉数を振分け貯玉数と手数料玉数を減算した玉数に更新するとともに、振分け先の会員カードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先の会員カードの取り出しを促し、該会員不足自動振分け処理を終了する。尚、処理終了においては、Ｓ１にて実施した計数禁止と払出ボタン３１１の操作無効が解除される。
【０４５７】
これら返却された振分け先の会員カードは、他のカードユニット３に挿入されることで、振分け履歴テーブルに記憶されている振分け持玉数と振分け貯玉数とが持玉数に加算されて使用可能となる。
【０４５８】
次に、Ｓｆ５７のビジター不足自動振分け処理について説明すると、本実施例のＳｆ５７のビジター不足自動振分け処理において制御ユニット３２８は、カードテーブルの持玉数を振分け持玉数とするとともに、受付けた振分け玉数と持玉数との差数である不足玉数を振分け貯玉数として特定し、当該カードユニット３の装置ＩＤと、挿入された振分け先のビジターカードから読み出したカードＩＤ（振分け先）と、カードテーブルに記憶している振分け元の会員カードの会員カードＩＤ（振分け元）と、該特定した振分け持玉数並びに振分け貯玉数とモードフラグとを含むビジター不足自動振分け要求を管理コンピュータ１５０に対して送信する。尚、前述した発行不足自動振分け要求と同じく、これらビジターカード不足自動振分け要求を、振分け持玉数を含む振分け要求と、振分け貯玉数を含む後述するビジター直接振分け要求として個別に送信するようにしても良い。
【０４５９】
このビジター不足自動振分け要求の受信に応じて管理コンピュータ１５０は、前述した振分け設定画面において、連続振分け制限に「する」が設定されているか否かを判定し、連続振分け制限に「する」が設定されている場合には、受信したビジター不足自動振分け要求に含まれるカードＩＤ（振分け先）を振分け先カードとして含み、利用受付けのデータが非受付けを示す「０」である振分け履歴が存在するかを検索する。
【０４６０】
該検索により存在する場合には、受信したビジター不足自動振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間において、振分け先カードとなる受信したビジター不足自動振分け要求に含まれるカードＩＤ（振分け先）から特定されるビジターカードに振分けされたパチンコ玉の振分け総数（振分け先）を、前述した会員対ビジター振分け処理における振分け要求の受信時と同じく特定する。
【０４６１】
そして、該特定した振分け総数（振分け先）に、受信したビジター不足自動振分け要求に含まれる振分け持玉数と振分け貯玉数を加算した後の振分け総数（振分け先）が、振分け設定画面において振分け先上限制限の項目にて設定されている制限数を超えているか否かを判定する。
【０４６２】
該判定において、制限数を超えている場合には、受信したビジター不足自動振分け要求に含まれる会員カードＩＤ（振分け元）を含む振分け不可を返信する。尚、これら振分け不可を返信する場合には、受信したビジター不足自動振分け要求に含まれる振分け持玉数と振分け貯玉数とを加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、図２５のＡ（Ｓｆ２−のステップ）に戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に振分けを受けることができる。
【０４６３】
一方、制限数を超えていない場合並びに振分け先上限制限に「しない」が設定されている場合には、受信したビジター不足自動振分け要求に含まれる会員カードＩＤに対応付けて会員貯蓄管理テーブルに記憶されている持玉数と貯玉数とを特定し、該特定した持玉数から受信したビジター不足自動振分け要求に含まれる振分け持玉数を減算更新、つまり「０」とし、更に、特定した貯玉数から受信したビジター不足自動振分け要求に含まれる振分け貯玉数と該振分け貯玉数を持玉数に移行するのに必要となる手数料玉数とを減算更新する。
【０４６４】
そして、振分け履歴として、その時点の日時と、受信したビジター不足自動振分け要求に含まれる装置ＩＤと、振分け先のカードとしてカードＩＤ（振分け先）と、振分け元のカードとして会員カードＩＤ（振分け元）と、非発行を示す「０」と、振分け持玉数と、振分け貯玉数と、手数料玉数と、利用受付け無しを示す「０」とを含む振分け履歴を、振分け履歴テーブルに登録した後、振分け完了通知を返信する。
【０４６５】
この振分け完了通知の受信に応じて制御ユニット３２８は、カードテーブルの持玉数を振分け持玉数を減算した玉数に、カードテーブルの貯玉数を振分け貯玉数と手数料玉数を減算した玉数に更新するとともに、振分け先のビジターカードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先のビジターカードの取り出しを促し、該ビジター不足自動振分け処理を終了する。尚、処理終了においては、Ｓ１にて実施した計数禁止と払出ボタン３１１の操作無効が解除される。
【０４６６】
これら返却された振分け先のビジターカードは、他のカードユニット３に挿入されることで、振分け履歴テーブルに記憶されている振分け持玉数と振分け貯玉数とが持玉数に加算されて使用可能となる。
【０４６７】
次に、図２４のＳ８のステップまたは図２５のＳｆ２１＋のステップから移行する、図２６に示すＳｆ３０〜Ｓｆ４１のステップから成る、貯玉数からの振分けが実施される処理について以下に説明する。
【０４６８】
まず、Ｓｆ３０のステップでは、振分け可能玉数を特定する。具体的には、これらＳｆ３０のステップが実施される場合は、必ず、貯玉数からの直接振分けの許諾が設定されていて、会員カードを受付け中であるので、貯玉数から貯玉数への振分けを実施する際の対貯玉振分け可能玉数となる貯玉数と、貯玉数から持玉数への振分けを実施する際の対持玉振分け可能玉数となる、貯玉数の全てを持玉数に振分けた場合において徴収される手数料玉数を該貯玉数から減じた玉数とを特定する。
【０４６９】
そして、Ｓｆ３１のステップに進み、図３１（ｄ）に示すように、Ｓｆ３０の振分け可能玉数特定処理にて特定した対貯玉振分け可能玉数並びに対持玉振分け可能玉数を含む振分け玉数受付け画面を表示部３１２に表示して、振分け先に振り分ける玉数（振分け玉数）を遊技者から受付ける振分け玉数受付け処理を実施する。
【０４７０】
この振分け玉数受付け画面には、図３１（ｄ）に示すように、前述した図３２（ａ）並びに図３２（ｈ）に示す振分け玉数受付け画面と同様とされ、対貯玉振分け可能玉数並びに対持玉振分け可能玉数が表示される振分け可能玉数表示部と、振分け玉数を入力するための振分け玉数入力部と、「決定」の選択入力部と、処理を中断するための「キャンセル」の選択入力部と、０〜９までのテンキーと、「半分」、「１／４」、「端数」のキーから成る操作部とが設けられており、遊技者は、これらテンキーにて、振分け玉数入力部に所望する振分け玉数を入力する。尚、図３１（ｄ）に示す振分け玉数受付け画面においては、振分け可能玉数表示部に表示される玉数が複数種類であるので、「半分」、「１／４」、「端数」の各キーは非アクティブ状態とされ、これらの各キーの選択入力が不可とされている。
【０４７１】
遊技者が、振分け玉数入力部に所望する振分け玉数を入力した後に、「決定」の選択入力部を選択入力した場合には、該「決定」の選択入力に応じてＳｆ３２のステップにおいて、該振分け玉数入力部にて受付けた振分け玉数が、貯玉数以下であるか否かを判定し、貯玉数以下でない場合には、Ｓｆ４５のステップに進んで、前述した図３２（ｅ）に示す計数済玉数エラー画面と同様の貯玉数エラー画面を表示して、貯玉数が不足していることを遊技者に報知するとともに、該貯玉数エラー画面の「確認」の選択入力部が、遊技者により選択入力されることに応じて、Ｓｆ３１のステップに戻ることにより、再度、振分け玉数の受付けが実施される。尚、処理を終了させたい場合には、貯玉数エラー画面において「キャンセル」を選択入力すれば良い。
【０４７２】
一方、Ｓｆ３２のステップの判定において、該振分け玉数入力部において受付けた振分け玉数が、貯玉数以下である場合には、Ｓｆ３３のステップに進み、管理コンピュータ１５０に対して、当該カードユニット３の装置ＩＤと、受付け中の会員カードＩＤと、振分け玉数入力部において受付けた振分け玉数と、モードフラグとを含む貯玉振分け許諾要求を送信する（図２８（ａ）参照）。
【０４７３】
この貯玉振分け許諾要求の受信に応じて管理コンピュータ１５０は、受信した貯玉振分け許諾要求に含まれる会員カードＩＤに対応付けて会員貯蓄管理テーブルに記憶されている貯玉数と、受信した貯玉振分け許諾要求に含まれる振分け玉数とを比較し、貯玉数が振分け玉数以上であることを確認する。尚、貯玉数が振分け玉数以上でない場合には、受信した貯玉振分け許諾要求に含まれる会員カードＩＤを含む振分け不可を返信する。
【０４７４】
そして、前述した振分け設定画面（図２０（ａ）参照）において、振分け総数制限に「する」が設定されているか否かを判定し、振分け総数制限に「する」が設定されている場合には、前述したように、集計対象期間として設定されている期間に該当する振分け履歴の振分け持玉数並びに振分け貯玉数を合計することにより、該期間において当該遊技場において振分けされたパチンコ玉の振分け総数（全体）を特定して、該特定した振分け総数（全体）に、受信した貯玉振分け許諾要求に含まれる振分け玉数（振分け貯玉数）を加算した後の振分け総数（全体）が、振分け総数制限の項目にて設定されている制限数を超えているか否かを判定する。
【０４７５】
更に、前述した振分け設定画面において、振分け元上限制限に「する」が設定されているか否かを判定し、振分け元上限制限に「する」が設定されている場合には、前述したように、集計対象期間として設定されている期間において、振分け元カードとなる受信した貯玉振分け許諾要求に含まれる会員カードＩＤから特定される会員カードから振分けされたパチンコ玉の振分け総数（振分け元）を、該期間に該当する日付を含むとともに受信した貯玉振分け許諾要求に含まれる会員カードＩＤを含む全ての振分け履歴の振分け持玉数並びに振分け貯玉数を合計することにより特定して、該特定した振分け総数（振分け元）に、受信した貯玉振分け許諾要求に含まれる振分け玉数（振分け貯玉数）を加算した後の振分け総数（振分け元）が、振分け設定画面において振分け元上限制限の項目にて設定されている制限数を超えているか否かを判定する。
【０４７６】
これら判定において、いずれかの制限数を超えている場合には、受信した貯玉振分け許諾要求に含まれる会員カードＩＤを含む振分け不可を返信する。尚、これら振分け不可を返信する場合には、受信した貯玉振分け許諾要求に含まれる振分け玉数（振分け貯玉数）を加算する前の振分け総数（全体）と制限数との差数（全体）と、受信した貯玉振分け許諾要求に含まれる振分け玉数（振分け貯玉数）を加算する前の振分け総数（振分け元）と制限数との差数（振分け元）とをそれぞれ算出し、これら差数が共に正の値であるときに、これら差数の内の少ない方の差数を振分け可能数として特定し、該特定した振分け可能数を含む振分け不可を返信する。
【０４７７】
一方、振分け総数制限並びに振分け元上限制限に、共に「しない」が設定されている場合、振分け総数制限および／または振分け元上限制限に「する」が設定されている場合であって、制限数を超えていないと判定した場合には、受信した貯玉振分け許諾要求に含まれる会員カードＩＤを含む振分け許諾を返信する。
【０４７８】
制御ユニット３２８は、管理コンピュータ１５０からの返信が、振分け許諾であるか否かをＳｆ３４のステップにて判定し、振分け不可である場合には「Ｎｏ」と判定されてＳｆ４３のステップに進んで、図３２（ｆ）に示す制限玉数エラー画面と同様に、受信した振分け不可に含まれる振分け可能玉数の表示を含む制限玉数エラー画面を表示して振分け可能玉数を遊技者に報知した後、Ｓｆ３１のステップに戻る。
【０４７９】
尚、この際において表示部３１２に表示される振分け玉数受付け画面においては、受信した振分け不可に含まれる振分け可能玉数が振分け可能玉数表示部に表示されるようになっており、遊技者は、これら振分け可能玉数を振分け玉数受付け画面上において把握することができるので、該振分け可能玉数をＳｆ３１のステップにおいて再度、振分け玉数として入力することで、繰返し、制限玉数エラーとなってしまうことを回避できる。
【０４８０】
一方、管理コンピュータ１５０からの返信が振分け許諾である場合には、Ｓｆ３４のステップにて「Ｙｅｓ」と判定されてＳｆ３５のステップに進み、カード挿入可能化指示をカードリーダライタ３２７に出力することで、カード挿入口３０９への新たなカードの挿入を許可するとともに、図３２（ｂ）に示す、振分け先のカードの挿入を促すメッセージの表示部と振分け先のカードが無い場合におけるビジターカードの新規発行の操作を受付ける新規発行選択入力部を有する新規発行受付け画面を表示部３１２に表示した後、Ｓｆ３６のステップとＳｆ３７のステップを巡回する監視状態に移行して、新規発行選択入力部の選択入力が有るか、カード挿入口３０９への新たなカードの挿入が有るかを監視する。
【０４８１】
振分け先となる遊技者が、ビジターカードまたは会員カードを所持していないことにより、新規発行選択入力部が選択入力された場合には、該選択入力がＳｆ３７のステップにおいて発行受付け有りと検知されてＳｆ４０のステップに進み、貯玉数が、受付けた振分け玉数（振分け貯玉数）と該振分け玉数（振分け貯玉数）を持玉数に振分けた場合において徴収される手数料玉数との合計数以上であるか否かを判定する。
【０４８２】
そして、合計数以上である場合にはＳｆ４２のステップに進み、発行直接振分け処理を実施する一方、合計数以上でない場合には、Ｓｆ３１のステップに戻って、再度、振分け玉数（振分け貯玉数）の受付けを実施する。尚、この際において表示部３１２に表示される振分け玉数受付け画面においては、対持玉振分け可能玉数のみが振分け可能玉数表示部に表示されるようになっており、遊技者は、これら対持玉振分け可能玉数の範囲内の玉数を、振分け玉数として的確に入力することができる。
【０４８３】
この発行直接振分け処理において制御ユニット３２８は、まず、受付け中の会員カードを、カードリーダライタ３２７のカード挿入口３０９側の退避位置に退避させて保持するとともに、カードリーダライタ３２７内の所定の読み出し位置に、カード貯留部３７０に貯留されているビジターカードを移動させて該ビジターカードのカードＩＤの読み出しを実施して一時記憶する。
【０４８４】
そして、該読み出したカードＩＤと、カードテーブルに記憶されている会員カードＩＤと振分け貯玉数とモードフラグと当該カードユニット３の装置ＩＤを含む発行直接振分け要求を管理コンピュータ１５０に対して送信する。
【０４８５】
この発行直接振分け要求の受信に応じて管理コンピュータ１５０は、受信した発行直接振分け要求に含まれる会員カードＩＤに対応付けて会員貯蓄管理テーブルに記憶されている貯玉数を特定し、該特定した貯玉数から受信した発行直接振分け要求に含まれる振分け貯玉数と該振分け貯玉数を持玉数に移行するのに必要となる手数料玉数とを減算更新するとともに、受信した発行直接振分け要求に含まれる振分け先のカードとなるビジターカードのカードＩＤに対応付けてビジター貯蓄管理テーブルに記憶されている持玉数に「０」を、最新発行日時に当該時点の日時を更新記憶する。
【０４８６】
そして、振分け履歴として、その時点の日時と、受信した発行直接振分け要求に含まれる装置ＩＤと、振分け先のカードとしてビジターカードのカードＩＤと、振分け元のカードとして会員カードＩＤと、発行を示す「１」と、振分け貯玉数と、手数料玉数と、利用受付け無しを示す「０」と、振分け持玉数には無しを示す「−」とを含む振分け履歴を、振分け履歴テーブルに登録した後、発行直接振分け完了通知を返信する。
【０４８７】
この発行直接振分け完了通知の受信に応じて制御ユニット３２８は、カードテーブルの貯玉数を振分け貯玉数と手数料玉数を減算した玉数に更新するとともに、一時記憶しているビジターカードのカードＩＤとモードフラグとを含む振分け発行要求をシステムコントローラ１００に送信することで、システムコントローラ１００は、前述した振分け発行要求の受信時と同一の処理を実施して振分け発行完了通知を返信する。
【０４８８】
この振分け発行完了通知の受信に応じて制御ユニット３２８は、発行するビジターカードにプリペイド残額と持玉数として「０」を書き込み記憶し、テストフラグを「１」に更新する（テストモード中のみ）とともに、振分けフラグを振分け有りを示す「１」に更新する。
【０４８９】
そして、システムコントローラ１００に対して、カードテーブルに記憶されている会員カードＩＤを含む使用留保要求を送信して、該会員カードの他のカードユニット３における利用を不可とした後、カード挿入口３０９側の待機位置に保持している会員カードを、カード挿入口３０９から排出して一時返却するとともに、図３２（ｄ）に示すように、「返却された会員カードを取り出すと、振分け用のビジターカードが発行されます。」のメッセージを表示部３１２に表示して、排出した会員カードの取り出しを促す。
【０４９０】
このメッセージの表示に応じて会員遊技者が、自身の会員カードをカード挿入口３０９から取り出すと、該取り出しに応じてビジターカードが即座にカード挿入口３０９から排出されるとともに、図３２（ｃ）に示すように、「発行されたビジターカードをお取り下さい。」のメッセージが表示部３１２に表示される。
【０４９１】
会員遊技者は、カード挿入口３０９に排出されたビジターカードを取り出して振分けをする他の遊技者に手渡すとともに、自身の会員カードを再度カード挿入口３０９から挿入する。
【０４９２】
この会員カードの挿入に応じて制御ユニット３２８は、該再挿入された会員カードから読み出した会員カードＩＤが、カードテーブルに記憶されている会員カードＩＤに一致するか否かを判定し、一致しないときには該カードを返却してエラーを係員に報知するエラー報知状態に移行する一方、一致するときには該発行直接振分け処理を終了する。
【０４９３】
一方、Ｓｆ３６とＳｆ３７のステップによる監視状態においてカード挿入口３０９への新たなカードの挿入が有った場合には、該カードの挿入がＳｆ３６のステップにおいて検知されてＳｆ３８のステップに進み、受付け中のカードを貯留部３７０に移動して退避させるとともに、新たに挿入されたカードの記録情報を読み出して、新たに挿入されたカードが会員カードであるか否かを判定する。
【０４９４】
新たに挿入されたカードが会員カードである場合にはＳｆ３９のステップに進んで、会員直接振分け処理を実施する一方、新たに挿入されたカードが会員カードでない場合には、Ｓｆ４０のステップに進み、貯玉数が、受付けた振分け玉数（振分け貯玉数）と該振分け玉数（振分け貯玉数）を持玉数に振分けた場合において徴収される手数料玉数との合計数以上であるか否かを判定する。
【０４９５】
そして、合計数以上である場合にはＳｆ４１のステップに進んで、ビジター直接振分け処理を実施する一方、合計数以上でない場合には、Ｓｆ３１のステップに戻って、再度、振分け玉数（振分け貯玉数）の受付けを実施する。
【０４９６】
本実施例のＳｆ３９の会員直接振分け処理において制御ユニット３２８は、当該カードユニット３の装置ＩＤと、挿入された振分け先の会員カードから読み出した会員カードＩＤ（振分け先）と、カードテーブルに記憶している振分け元の会員カードの会員カードＩＤ（振分け元）と、振分け貯玉数と、モードフラグとを含む会員直接振分け要求を管理コンピュータ１５０に対して送信する。
【０４９７】
この会員直接振分け要求の受信に応じて管理コンピュータ１５０は、前述した振分け設定画面において、連続振分け制限に「する」が設定されているか否かを判定し、連続振分け制限に「する」が設定されている場合には、受信した振分け要求に含まれる会員カードＩＤ（振分け先）を振分け先カードとして含み、利用受付けのデータが非受付けを示す「０」である振分け履歴が存在するかを検索する。
【０４９８】
該検索により存在する場合には、受信した会員直接振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信した会員直接振分け要求に含まれる会員カードＩＤ（振分け先）から特定される会員カードに振分けされたパチンコ玉の振分け総数（振分け先）を、その当日の日付を含むとともに受信した会員直接振分け要求に含まれる会員カードＩＤ（振分け先）を振分け先カードとして含む全ての振分け履歴の振分け持玉数並びに振分け貯玉数とを合計することにより特定する。
【０４９９】
そして、該特定した振分け総数（振分け先）に、受信した会員直接振分け要求に含まれる振分け貯玉数を加算した後の振分け総数（振分け先）が、振分け設定画面において振分け先上限制限の項目にて設定されている制限数を超えているか否かを判定する。
【０５００】
該判定において、制限数を超えている場合には、受信した会員直接振分け要求に含まれる会員カードＩＤ（振分け元）を含む振分け不可を返信する。尚、これら振分け不可を返信する場合には、受信した会員直接振分け要求に含まれる振分け貯玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ３１のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に貯玉数からの直接振分けを受けることができる。
【０５０１】
一方、制限数を超えていない場合並びに振分け先上限制限に「しない」が設定されている場合には、受信した会員直接振分け要求に含まれる会員カードＩＤ（振分け元）に対応付けて会員貯蓄管理テーブルに記憶されている貯玉数を特定し、該特定した貯玉数から受信した会員直接振分け要求に含まれる振分け貯玉数を減算更新する。
【０５０２】
そして、振分け履歴として、その時点の日時と、受信した会員直接振分け要求に含まれる装置ＩＤと、振分け先のカードとして会員カードＩＤ（振分け先）と、振分け元のカードとして会員カードＩＤ（振分け元）と、非発行を示す「０」と、振分け貯玉数と、利用受付け無しを示す「０」と、振分け持玉数並びに手数料玉数には無しを示す「−」とを含む振分け履歴を、振分け履歴テーブルに登録した後、受信した会員直接振分け要求に含まれる会員カードＩＤ（振分け元）を含む会員直接振分け完了通知を返信する。
【０５０３】
この会員直接振分け完了通知の受信に応じて制御ユニット３２８は、カードテーブルの貯玉数を振分け貯玉数を減算した玉数に更新するとともに、振分け先の会員カードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先の会員カードの取り出しを促し、該会員直接振分け処理を終了する。尚、処理終了においては、Ｓ１にて実施した計数禁止と払出ボタン３１１の操作無効が解除される。
【０５０４】
これら返却された振分け先の会員カードは、他のカードユニット３に挿入されることで、振分け履歴テーブルに記憶されている振分け貯玉数が貯玉数に加算されて使用可能となる。
【０５０５】
次に、Ｓｆ４１のビジター直接振分け処理について説明すると、本実施例のＳｆ４１のビジター直接振分け処理において制御ユニット３２８は、前述したＳｆ１９の会員対ビジター振分け処理と同じく、当該カードユニット３の装置ＩＤと、挿入された振分け先のビジターカードから読み出したカードＩＤ（振分け先）と、カードテーブルに記憶している振分け元の会員カードの会員カードＩＤ（振分け元）と、振分け貯玉数と、モードフラグとを含むビジター直接振分け要求を管理コンピュータ１５０に対して送信する。
【０５０６】
このビジター直接振分け要求の受信に応じて管理コンピュータ１５０は、前述した振分け設定画面において、連続振分け制限に「する」が設定されているか否かを判定し、連続振分け制限に「する」が設定されている場合には、受信したビジター直接振分け要求に含まれるカードＩＤ（振分け先）を振分け先カードとして含み、利用受付けのデータが非受付けを示す「０」である振分け履歴が存在するかを検索する。
【０５０７】
該検索により存在する場合には、受信したビジター直接振分け要求に含まれる会員カードＩＤ（振分け元）を含む振分け不可を返信する一方、検索により存在しない場合並びに連続振分け制限に「しない」が設定されている場合には、更に、前述した振分け設定画面において、振分け先上限制限に「する」が設定されているか否かを判定し、振分け先上限制限に「する」が設定されている場合には、集計対象期間として設定されている期間である例えば１日において、振分け先カードとなる受信したビジター直接振分け要求に含まれるカードＩＤ（振分け先）から特定されるビジターカードに振分けされたパチンコ玉の振分け総数（振分け先）を、その当日の日付を含むとともに受信したビジター直接振分け要求に含まれるカードＩＤ（振分け先）を振分け先カードとして含む振分け履歴であって、該カードＩＤ（振分け先）に対応付けてビジター貯蓄管理テーブルに記憶されている最新発行日時以降の日時情報を含む振分け履歴の振分け持玉数を合計することにより特定する。
【０５０８】
そして、該特定した振分け総数（振分け先）に、受信したビジター直接振分け要求に含まれる振分け貯玉数を加算した後の振分け総数（振分け先）が、振分け設定画面において振分け先上限制限の項目にて設定されている制限数を超えているか否かを判定する。
【０５０９】
該判定において、制限数を超えている場合には、受信したビジター直接振分け要求に含まれる会員カードＩＤ（振分け元）を含む振分け不可を返信する。尚、これら振分け不可を返信する場合には、受信したビジター直接振分け要求に含まれる振分け貯玉数を加算する前の振分け総数（振分け先）と制限数との差数（振分け先）とを算出し、これら差数が正の値であるときに該差数を振分け可能数として特定し、該特定した振分け可能数を含む振分け不可を返信することで、カードユニット３においては、図３２（ｃ）と同様のエラー画面が表示された後、Ｓｆ３１のステップに戻って、振分け可能玉数表示部に該返信されてきた振分け不可に含まれる振分け可能数を有する振分け玉数受付け画面が表示部３１２に表示され、該振分け玉数受付け画面において、再度、該表示されている振分け可能玉数を振分け玉数として入力することで、確実に貯玉数からの直接振分けを受けることができる。
【０５１０】
一方、制限数を超えていない場合並びに振分け先上限制限に「しない」が設定されている場合には、受信したビジター直接振分け要求に含まれる会員カードＩＤ（振分け元）に対応付けて会員貯蓄管理テーブルに記憶されている貯玉数を特定し、該特定した貯玉数から受信した振分け要求に含まれる振分け貯玉数と該振分け貯玉数を持玉数に移行するのに必要となる手数料玉数とを減算更新する。
【０５１１】
そして、振分け履歴として、その時点の日時と、受信したビジター直接振分け要求に含まれる装置ＩＤと、振分け先のカードとしてカードＩＤ（振分け先）と、振分け元のカードとして会員カードＩＤ（振分け元）と、非発行を示す「０」と、振分け貯玉数と、利用受付け無しを示す「０」と、手数料玉数と、振分け持玉数には無しを示す「−」とを含む振分け履歴を、振分け履歴テーブルに登録した後、受信したビジター直接振分け要求に含まれる会員カードＩＤ（振分け元）を含むビジター直接振分け完了通知を返信する。
【０５１２】
このビジター直接振分け完了通知の受信に応じて制御ユニット３２８は、カードテーブルの貯玉数から振分け貯玉数と手数料玉数とを減算更新するとともに、振分け先のビジターカードのテストフラグを「１」に更新する（テストモード中のみ）とともに振分けフラグを振分け有りを示す「１」に更新してカード挿入口３０９から返却し、カード貯留部３７０に一時退避させていた振分け元の会員カードを所定の読み出し位置に戻すとともに、表示部３１２に、図３２（ｇ）に示すように、「返却されたカードをお取り下さい」のメッセージを表示して、返却した振分け先のビジターカードの取り出しを促し、該会員対ビジター振分け処理を終了する。尚、処理終了においては、Ｓ１にて実施した計数禁止と払出ボタン３１１の操作無効が解除される。
【０５１３】
これら返却された振分け先のビジターカードは、他のカードユニット３に挿入されることで、振分け履歴テーブルに記憶されている振分け貯玉数が持玉数に加算されて使用可能となる。
【０５１４】
また、前述したＳｂ２〜Ｓｂ１０の待機状態において、遊技者がメニューボタン３１６の操作を実施した場合には、該メニューボタン３１６の操作を検知した表示制御基板３２９からメインメニュー表示操作情報が制御ユニット３２８に入力されることで、制御ユニット３２８は、Ｓｂ１０においてメニューボタン３１６の操作有りと判断してＳｂ２８に進み、図示しないメニュー表示処理を実施する。
【０５１５】
このメニュー表示処理において制御ユニット３２８は、まず、カードテーブルに記憶されているデータに基づいて、対応するパチンコ機２で遊技中の遊技者が会員であるか否か（会員ＩＤが記憶されているか否か）を判定し、遊技者が会員でない場合（会員ＩＤが記憶されていない場合）には、会員固有のメニュー項目を含まない「台データ」、「ランキング」、「お知らせ」、「振分け」の各メニュー項目のみを含むビジターメインメニュー（図５参照）を、ビジターメインメニュー表示指示を表示制御基板３２９に出力することにより、表示部３１２に表示させる一方、遊技者が会員である場合には、会員固有のメニュー項目である「ポイント表示」、「再プレイ」のメニュー項目とをさらに含む、図５に示す会員メインメニューを、会員メインメニュー表示指示を表示制御基板３２９に出力することにより表示部３１２に表示させる。
【０５１６】
これら表示部３１２に表示された各メニュー項目は、遊技者が選択操作可能とされており、所定時間内にいずれかのメニュー項目が選択されない場合には、メニュー表示終了指示を表示制御基板３２９に出力することでメインメニューの表示を終了させた後、Ｓｂ２〜Ｓｂ１０の待機状態に戻る一方、所定時間内にいずれかのメニュー項目が選択された場合には、該選択されたメニュー項目に該当する処理を実行した後、Ｓｂ２〜Ｓｂ１０の待機状態に戻る。
【０５１７】
尚、メインメニュー中の「再プレイ」メニューが選択された場合には、前述したＳｂ２４の再プレイ処理が実行される。
【０５１８】
また、「台データ」のメニューが選択された場合には、遊技情報テーブルに記憶されている本日の各データが表示され、「ランキング」のメニューが選択された場合には、ランキングの種別、具体的には、出玉ランキング、大当りランキング、連荘ランキング等を選択するサブメニュー画面が表示され、該サブメニュー画面にて選択された種別のランキングデータがホールコンピュータ１４０から取得されて表示部３１２に表示される。
【０５１９】
また、「ポイント表示」のメニューが選択された場合には、カードテーブルに記憶されている来店ポイントのポイント数（来店ポイントの記憶がない場合には、来店ポイント取得要求を管理コンピュータ１５０に対して送信することにより、該管理コンピュータ１５０から来店ポイント数を取得する）が表示部３１２に表示され、「お知らせ」のメニューが選択された場合には、ＲＡＭ３２８ｂ内に記憶されているお知らせ情報が表示部３１２に表示される。
【０５２０】
尚、表示部３１２の下方の「計数済玉数」の表示は、メインメニューとは異なり、常に表示部３１２の下方において表示されることで、遊技者は、常時、計数済玉数の数値を確認できるようになっている。
【０５２１】
次に、営業終了時における処理の流れについて、図１２並びに３４に基づいて説明すると、まず、営業終了時における営業終了時処理の起動は前記システムコントローラ１００にて実施され、該システムコントローラ１００からカードユニット３に対して動作停止要求が送信されることにより、カードユニット３（制御ユニット３２８）は、貸出操作や払出操作等の各種の操作受付けや、カードリーダライタ３２７への新たな会員カードやビジターカードの挿入受付けや、遊技情報テーブル等の各種遊技情報データや貯留玉数データの更新を禁止するとともに、システムコントローラ１００に対して動作停止状態に移行した旨の動作停止通知を返信した後、管理コンピュータ１５０からの営業終了時処理要求の受信待ち状態へ移行する。
【０５２２】
動作停止通知を受信したシステムコントローラ１００は、管理コンピュータ１５０に対し、会員カードやビジターカードの各処理が完了していることを示す営業終了通知を送信することで、管理コンピュータ１５０はシステムコントローラ１００が営業終了に移行したことを検知して各カードユニット３の制御ユニット３２８へ営業終了時処理要求を送信する。
【０５２３】
該営業終了時処理要求を受信した制御ユニット３２８は、図３４（ａ）に示す営業終了時処理を開始する。この営業終了時処理においては、図３４（ａ）に示すように、計数無効化処理（Ｓｋ１）、データ更新処理（Ｓｋ２）、貯留玉排出処理（Ｓｋ３）、締め関連処理（Ｓｋ４）が実施される。
【０５２４】
Ｓｋ１のステップにおける計数無効化処理においては、図３４（ｂ）に示すように、まず、カードリーダライタ３２７に受付け中のカード（ビジターカードまたは会員カード）が存在するか否かを判定する（Ｓｄ１）。
【０５２５】
受付け中のカードが存在しない場合にはＳｄ２のステップに進む一方、受付け中のカードが存在する場合にはＳｄ５のステップに進み、該受付け中のカードがビジターカードであるか否かを、カードテーブルのカードＩＤの項目に格納されている該受付け中のカードから読み出したカードＩＤから判定する。
【０５２６】
受付け中のカードがビジターカードであるときにはＳｄ５の判定において「Ｙｅｓ」と判定されてＳｄ６のステップに進み、さらに、記録されている持玉数が存在するか否か（持玉数の記録が存在するか否か）を判定する一方、受付け中のカードが会員カードであるときにはＳｄ５の判定において「Ｎｏ」と判定されてＳｄ９のステップに進んで返却処理が実施される。
【０５２７】
受付け中のビジターカードに記録されている持玉数が存在する場合には、Ｓｄ７のステップに進んで、該存在する持玉数の記録と該持玉数が計数された日付の記録とを、カードリーダライタ３２７に指示して消去させた後Ｓｄ８のステップに進む一方、受付け中のビジターカードに記録されている持玉数が存在しない場合には、Ｓｄ７のステップを経由することなく、Ｓｄ８のステップに進んで、受付け中のビジターカードのプリペイド残額が存在するか否か、つまり、カードテーブルにおけるプリペイド残額が存在するか否かを判定する。尚、Ｓｄ７において消去した持玉数の記録と該持玉数が計数された日付の記録を、Ｓｄ３のステップと同様に、カードＩＤ並びに当該装置ＩＤと、モードフラグとを含むカード無効化情報として管理コンピュータ１５０に対して送信することで、これらビジターカードにて消去された記録データを、管理コンピュータ１５０にて管理するようにしても良い。
【０５２８】
プリペイド残額が存在しない、つまり「０」で有る場合には、Ｓｄ１２のステップに進んで、受付け中のビジターカードをカードリーダライタ３２７のカード貯留部３７０に回収した後、Ｓｄ２のステップに進む一方、プリペイド残額が存在する、つまり「０」でない場合には、Ｓｄ９のステップに進んで、返却処理を実施する。
【０５２９】
このステップＳｄ９の返却処理においては、受付け中のビジターカードまたは会員カードをカード挿入口３０９から排出する。尚、この際、テストモード中である場合には、テストフラグが記録されて排出される。
【０５３０】
また、排出されるカードが会員カードである場合には、カードユニット３の装置ＩＤと返却するカードの会員カードＩＤとカードテーブルに記憶されている持玉数と貯玉数と、モードフラグとを含む返却通知が管理コンピュータ１５０に対して送信されることで、会員貯蓄管理テーブルにおいて、受信した返却通知に含まれる会員カードＩＤに対応して記憶されている持玉数並びに貯玉数が、受信した返却通知に含まれる持玉数並びに貯玉数に更新されるとともに、ユニット管理テーブルにおいて受信した装置ＩＤに対応する「受付けＩＤ」に格納されている会員カードＩＤが削除される。尚、排出されるカードがビジターカードである場合には、ビジター貯蓄管理テーブルの更新を後述する更新処理にてまとめて実施するために、返却通知は送信しないようになっている。
【０５３１】
そして、Ｓｄ１０のステップに進み、排出したカードの種別（ビジター・会員）に応じた報知態様にて、カードの排出を該カードが抜き取りされるか又は所定時間が経過するまで報知する。具体的には、ビジターカードを排出した場合には、多機能ランプ３０１の点灯状態を黄色の高速点滅状態として該ビジターカードの排出を報知する一方、会員カードを排出した場合には、多機能ランプ３０１の点灯状態を青色の高速点滅状態として該会員カードの排出を報知する。
【０５３２】
このようにして排出されたカードは、係員により、カードの種別毎、つまりビジターカードまたは会員カード毎に個別にまとめて分別回収されて、正規の所有者が申し出るまで、保管されるようになっており、これら係員が分別回収する際に、どのカードユニット３でどの種別のカードが排出されているのかを、該カードユニット３まで出向くことなく遠方からでも確認できるので、これら排出されたカードの種別毎の分別回収作業の作業性が向上する。
【０５３３】
そして、これら排出したカードの（会員）カードＩＤと装置ＩＤとを含む排出履歴情報を管理コンピュータ１５０に対して送信した後（Ｓｄ１１）、Ｓｄ２のステップに進む。
【０５３４】
このようにしてカードユニット３から送信されてくる各排出履歴情報は全て、その当日の日付が付加された排出履歴ファイルとして管理コンピュータ１５０にて所定期間に亘って記憶されることで、営業終了時にカードユニット３に受付けられていたカード、つまり、遊技者が取り出し忘れた各ビジターカードまたは会員カードが、どの日付においてどのカードユニット３に挿入されていた（排出された）のかを、後述においても管理コンピュータ１５０において特定（確認）でき、これらの情報をビジターカードまたは会員カードの正規の持ち主を特定する際の重要情報とすることができるので、これらカードの正規の持ち主への返却を容易化できる。
【０５３５】
次いで、Ｓｄ２のステップにおいては、計数済玉数（カードテーブルにおける持玉数）が存在するか否かを判定する。
【０５３６】
計数済玉数が存在しない場合にはＳｄ２のステップにおいて「Ｎｏ」と判定されて当該計数無効化処理を終了する一方、計数済玉数が存在する場合には、Ｓｄ３のステップに進み、当該装置ＩＤと、計数済玉数（持玉数）と、モードフラグとを含む無効化情報を管理コンピュータ１５０に対して送信した後、計数済玉数（カードテーブルにおける持玉数）を消去して（Ｓｄ４）、該計数無効化処理を終了する。尚、これら送信された無効化情報を受信した管理コンピュータ１５０は、該受信した無効化情報を、その当日の無効化履歴として記憶、管理する。
【０５３７】
次いで、制御ユニット３２８は、Ｓｋ２のデータ更新処理を実施する。このデータ更新処理においては、上記にて更新を禁止した遊技情報テーブルの本日データにおける各遊技情報データを装置ＩＤとともにホールコンピュータ１４０に送信して、ホールコンピュータ１４０の遊技情報を最終データに更新させるとともに、前日データを前々日に、本日データを前日に、本日データをリセットする更新を実施した後、カードテーブル並びに会員遊技情報テーブルをリセットしてデータ更新処理を終了する。
【０５３８】
次に、制御ユニット３２８は、Ｓｋ３の貯留玉排出処理を実施する。該貯留玉排出処理では、管理コンピュータ１５０から送信される排出指示の受信待ち状態となる。この排出指示の受信待ち状態において管理コンピュータ１５０からの前述した排出指示を受信した場合には、排出玉数（例えば全数）を含む排出要求を計数・端数払出ユニット３４０の制御基板３４１（制御部３５０）に対して送信して、貯留部３３８に貯留上限期間を超えて貯留されているパチンコ玉を含む全てのパチンコ玉を貯留部３３８から排出させて回収するとともに、貯留玉数データを「０」に更新する。
【０５３９】
次に、制御ユニット３２８は、Ｓｋ４の締め関連処理を実施する。この締め関連処理においては、プリペイド残額の利用履歴等の情報をシステムコントローラ１００に送信するとともに、前述したように、離席における強制解除履歴データ等のデータを、システムコントローラ１００並びに管理コンピュータ１５０の双方に送信して記憶させる。
【０５４０】
尚、本実施例では、前述した排出履歴情報を管理コンピュータ１５０のみに送信しているが、本発明はこれに限定されるものではなく、上記した強制解除履歴データと同じく、システムコントローラ１００並びに管理コンピュータ１５０の双方に送信して記憶させておくことで、システムコントローラ１００並びに管理コンピュータ１５０のいずれかに不具合を生じても、排出履歴情報を確認できるようにしても良い。
【０５４１】
これらＳｋ４の締め関連処理を終了したことに応じて制御ユニット３２８は、装置ＩＤを含む処理終了通知を管理コンピュータ１５０に対して送信する。
【０５４２】
管理コンピュータ１５０は、図１２に示すように、全てのカードユニット３からの処理終了通知の受信したことに応じてデータ更新処理を実施する。
【０５４３】
このデータ更新処理においては、カードユニット３から受信した無効化情報（無効化履歴として記憶）に含まれる装置ＩＤに対応付けてユニット管理テーブルに記憶されているカードＩＤを全て抽出し、該抽出したカードＩＤに対応付けてビジター貯蓄管理テーブルに記憶されている持玉数を、無効化処理済みとしてリセット（消去）するとともに、ビジター貯蓄管理テーブルに持玉数が存在する場合には、該持玉数、つまり、ビジターカードに記録されたがその当日に使用されなかった持玉数とカードＩＤとを無効化履歴に追加した後、これら存在する持玉数を全てリセットすることで、その営業当日においてビジター貯蓄管理テーブルに記憶された持玉数が全て無効化される。
【０５４４】
これら各無効化履歴に含まれる計数済玉数（持玉数）を合計することで、ビジターカードに記録されて発行されていない状態で、カードユニット３において無効化された計数済玉数（持玉数）を含む無効化された正確な計数済玉数（持玉数）を集計することができるようになっており、これら集計された無効化持玉総数並びに無効化履歴の情報は、図１２に示すように、システムコントローラへの終了完了通知の送信後にホールコンピュータ１４０に対して送信されて、会計処理用のデータとして利用、保管される。
【０５４５】
これらデータ更新処理における最後の処理として、ユニット管理テーブルにおける「状況」、「受付けＩＤ」、「計数済玉数」のデータを全てリセットしてユニット管理テーブルを更新し、該ユニット管理テーブルの更新後において、システムコントローラに終了完了通知を送信する。
【０５４６】
この管理コンピュータ１５０からの終了完了通知の受信により、システムコントローラ１００は、管理コンピュータ１５０において終了準備が完了したことを検知して、所定の終了処理に移行する。
【０５４７】
次に、カードユニット３のモードを変更する際の流れについて、図１２、図３５〜図３９に基づいて以下に説明する。
【０５４８】
上述したように、カードユニット３は、基本モードとして通常モードと、テストモードと、消去モードとを有しており、これらの各モードへの移行は、図１２に示すように、管理コンピュータ１５０においてモード移行操作を実施することにより実施される。
【０５４９】
カードユニット３の動作テストを実施したい場合には、管理コンピュータ１５０においてモード移行操作としてテストモードへの移行操作を実施すれば良く、該移行操作により、管理コンピュータ１５０から各カードユニット３には、テストモードへの移行モード移行要求（テスト）が送信される。
【０５５０】
また、動作テストを終了して該テストモードにて使用したビジターカードや会員カードの記録データの消去等を実施したい場合には、管理コンピュータ１５０においてモード移行操作として消去モードへの移行操作を実施すれば良く、該移行操作により、管理コンピュータ１５０から各カードユニット３には、消去モードへの移行モード移行要求（消去）が送信される。
【０５５１】
また、営業状態または営業中と同じ状態としたい場合には、管理コンピュータ１５０においてモード移行操作として通常モードへの移行操作を実施すれば良く、該移行操作により、管理コンピュータ１５０から各カードユニット３には、通常モードへの移行モード移行要求（通常）が送信される。
【０５５２】
これら管理コンピュータ１５０においてモード移行操作が実施されることにより送信される各種のモード移行要求の受信に応じて、カードユニット３においては、図３５に示すモード移行制御処理が実施される。
【０５５３】
このモード移行制御処理においては、図３５に示すように、まず、受信したモード移行要求が、消去モードへの移行モード移行要求（消去）であるか否か（Ｓｍ１）、テストモードへの移行モード移行要求（テスト）であるか否か（Ｓｍ２）が判定される。
【０５５４】
受信したモード移行要求が、消去モードへの移行モード移行要求（消去）である場合には、Ｓｍ７のステップに進み、該モード移行要求を受信した時点のモードが、テストモードであるか否か、つまり、テストモード中であるか否かを判定し、テストモード中である場合には、消去モードに移行して（Ｓｍ８）、多機能ランプ３０１の点灯状態を消去モードに対応する赤色の点滅点灯状態として消去モードに移行したことを報知するとともに、後述する図３７に示す消去モード処理を開始する一方、テストモード中でない場合、つまり通常モード中である場合には、消去モードに移行せずに、該カードユニット３の装置ＩＤを含む移行エラーを管理コンピュータ１５０に返信し（Ｓｍ９）、当該モード移行制御処理を終了する。
【０５５５】
つまり、消去モードは、テストモード中に使用されたビジターカードや会員カードのデータを消去するためのものであるので、テストモードからの移行のみが可能とされ、通常モードからの移行は不能とされており、仮に、何らかの理由、例えば、後述するように、管理コンピュータ１５０との通信状態がオフラインであったためにテストモードから通常モードに戻ってしまったカードユニット３が存在する場合には、これら装置ＩＤを含む移行エラーが送信されることで、テストモード中に通信に不具合があったカードユニット３を容易に把握できるようになっている。
【０５５６】
このようにして移行した消去モードにおいては、図３７に示す消去モード処理が実施される。この消去モード処理においては、まず、計数済玉数（カードテーブルの持玉数）が存在する（「０」でない）か否かを判定する（Ｓｙ１）。
【０５５７】
計数済玉数（カードテーブルの持玉数）が存在する場合には、Ｓｙ２に進んで計数済玉数を消去する処理を実施してＳｙ３のステップに進む一方、計数済玉数（カードテーブルの持玉数）が存在しない場合には、Ｓｙ２のステップを経由することなくＳｙ３のステップに進む。
【０５５８】
このＳｙ２のステップにおいては、計数済玉数（カードテーブルにおける持玉数）をリセット（消去）するとともに、該カードユニット３の装置ＩＤと、計数済玉数（持玉数）と、消去モードを示すモードフラグとを含む消去情報を管理コンピュータ１５０に対して送信する。
【０５５９】
尚、これら送信された消去情報を受信した管理コンピュータ１５０は、受信した消去情報に含まれるモードフラグが消去モードを示すモードフラグであることにより、テストモードに関する情報の消去であると認識し、テストモード用記憶領域のユニット管理テーブル（図１７（ａ）参照）における「計数済玉数」に格納されているデータをリセット（消去）してユニット管理テーブルを更新する。
【０５６０】
次で、Ｓｙ３のステップにおいては、テストフラグが「１」であるカードを受付け中であるか否かを判定し、カードを受付け中でない場合にはＳｙ９のステップに進む一方、カードを受付け中である場合には、Ｓｙ４のステップに進んで、該受付け中のカードにプリペイド残額が存在するか否かを、カードテーブルにおけるプリペイド残額に格納されているデータに基づいて判定する。
【０５６１】
そして、プリペイド残額が存在する場合にはＳｙ５の残額消去処理を実施してＳｙ６のステップに移行する一方、プリペイド残額が存在しない場合にはＳｙ５の残額消去処理を実施することなくＳｙ６のステップに移行する。
【０５６２】
このＳｙ５の残額消去処理においては、まず、システムコントローラ１００に対し、受付け中の会員カードまたはビジターカードの（会員）カードＩＤと、消去するプリペイド残額と、消去モードを示すモードフラグとを含む残額消去要求を送信することに応じて返信される残額消去許諾を受信したことにより、プリペイド残額を消去する。尚、残額消去許諾を受信しないとき（残額消去不可を受信したとき）には、プリペイド残額の消去は行わず、プリペイド残額エラーを表示部３１２に表示してエラーを報知するとともに、カードを排出することで、テストモード中でプリペイド残額が不一致である異常が生じていることとともに、これら異常が生じたカードの特定を容易に確認できるようになっている。
【０５６３】
尚、システムコントローラ１００は、残額消去要求を受信したときには、該残額消去要求に消去モードを示すモードフラグが含まれていることから、テストモードに関する情報の消去であると認識して、テストモード用記憶領域のビジターカードテーブルに、該残額消去要求に含まれるカードＩＤに対応付けて記憶されているプリペイド残額と該残額消去要求に含まれるプリペイド残額とが一致することを条件に、該プリペイド残額を消去（「０」に更新）するともに残額消去許諾を返信し、一致しないときには残額消去不可を返信する。
【０５６４】
次いで、Ｓｙ６のステップにおいては、受付け中のカードが会員カードであるか否かを判定し、会員カードである場合にはＳｙ８のステップに進んで、該受付け中の会員カードをカード挿入口３０９から排出する一方、受付け中のカードが会員カードでない場合、つまりビジターカードである場合にはＳｙ７のステップに進んで、カードデータ消去処理を実施した後、Ｓｙ８のステップに進んで、該受付け中のビジターカードをカード挿入口３０９から排出する。
【０５６５】
このＳｙ７のカードデータ消去処理においては、まず、受付け中のビジターカードに持玉数或いは振分けフラグが存在するか否かを判定する。持玉数並びに振分けフラグが共に存在しない場合には、これらの消去を実施する必要がないので、当該カードデータ消去処理を終了する一方、持玉数或いは振分けフラグが存在する場合には、管理コンピュータ１５０に対し、受付けたビジターカードから読み出したカードＩＤと、持玉数、振分けフラグ、消去モードを示すモードフラグとを含む消去要求を送信することに応じて返信される消去許諾を受信したことにより、持玉数、振分けフラグを消去する。
【０５６６】
尚、消去許諾を受信しないとき（消去不可を受信したとき）には、持玉数、振分けフラグの消去は行わず、記録データエラーを表示部３１２に表示してエラーを報知するとともにカードを排出することで、テストモード中で持玉数や振分けに異常が生じていることとともに、これら異常が生じたカードの特定を容易に確認できるようになっている。
【０５６７】
また、管理コンピュータ１５０は、消去要求を受信したことに応じて、該消去要求に消去モードを示すモードフラグが含まれていることから、テストモードに関する情報の消去であると認識して、テストモード用記憶領域に記憶されているビジター貯蓄管理テーブルに、該消去要求に含まれるカードＩＤに対応付けて記憶されている持玉数が、該消去要求に含まれる持玉数に一致するか否かとともに、消去要求に振分けフラグが存在する（「１」である）場合には、テストモード用記憶領域の振分け履歴テーブル（図１８参照）に該消去要求に含まれるカードＩＤが振分け先カードとして記憶され、且つ利用受付けに未受付けであることを示す「０」が登録されているか否かを判定し、持玉数が一致し且つ振分け履歴が登録されていることを条件に該持玉数や該振分け履歴を消去するとともに消去許諾を返信し、持玉数が不一致若しくは振分け履歴が登録されていない場合には、消去不可を返信する。
【０５６８】
そして、消去モード処理への移行時に受付け中であったカードをＳｙ８のステップにて排出した後、Ｓｙ９のステップに進んで、カード挿入口３０９からの新たなカードの挿入待ち状態に移行する。
【０５６９】
この待機状態において、新たなカードの挿入があった場合には、Ｓｙ１０のステップに進んで、挿入されたカードに記録されている記録データをカードリーダライタ３２７により読み出して、テストフラグとして「１」が記録されているか否かを判定し、テストフラグとして「１」が記録されていない、つまりテストフラグとして「０」が記録されている場合には、Ｓｙ８のステップに進んで、該カードを排出した後、再度Ｓｙ９の待機状態に移行する一方、テストフラグとして「１」が記録されている場合には、Ｓｙ４のステップに進んで、上述したＳｙ４〜Ｓｙ８の処理を実施することで、該挿入された会員カードまたはビジターカードの記録データの消去が実施されて排出される。
【０５７０】
一方、受信したモード移行要求が、テストモードへの移行モード移行要求（テスト）である場合には、Ｓｍ１０のステップに進み、該モード移行要求を受信した時点のモードが、通常モードであるか否か、つまり、通常モード中であるか否かを判定し、通常モード中である場合にはＳｍ１１のステップに進む一方、通常モード中でない場合、つまり消去モード中である場合には、該カードユニット３の装置ＩＤを含む移行エラーを管理コンピュータ１５０に返信し（Ｓｍ１５）、当該モード移行制御処理を終了する。つまり、テストモードへの移行は、通常モード中においてのみ可能とされている。
【０５７１】
このＳｍ１１のステップにおいては、計数済玉数（カードテーブルにおける持玉数）が存在するか否か、つまり、該テストモードへの移行前の通常モードにおける計数済玉数（持玉数）が存在するか否かを判定する。
【０５７２】
計数済玉数（持玉数）が存在する場合にはＳｍ１２のステップに進んで、該計数済玉数（持玉数）をカードから特定可能として排出（発行）する排出・発行処理を行った後、Ｓｍ１１のステップに戻る。
【０５７３】
このＳｍ１２の排出・発行処理においては、通常モード中の返却処理と同じ処理が実施される。つまり、カードリーダライタ３２７に受付け中の会員カード或いはビジターカードが存在するか否かを判定し、存在しない場合には、該計数済玉数（持玉数）をカード貯留部３７０に貯留されているビジターカードに記録して排出（発行）する一方、存在する場合には、受付け中の会員カードまたはビジターカードの（会員）カードＩＤに対応付けて管理コンピュータ１５０に記憶されている持玉数を更新するとともに、該持玉数を記録（ビジターカードのみ）して該受付け中のカードを排出する。
【０５７４】
この排出・発行処理において制御ユニット３２８は、管理コンピュータ１５０に対して当該カードユニット３の装置ＩＤと排出するカードの（会員）カードＩＤとカードテーブルに記憶されている持玉数と、発行の有無を示す発行フラグ（発行あり「１」、発行なし「０」）と、モードフラグとを含む排出・発行通知を送信する。
【０５７５】
この排出・発行通知の受信に応じて管理コンピュータ１５０は、モードフラグに対応する記憶領域の会員貯蓄管理テーブルまたはビジター貯蓄管理テーブルにおいて、受信した排出・発行通知に含まれるカードＩＤに対応して記憶されている持玉数を、受信した発行通知に含まれる持玉数に更新し、モードフラグに対応する記憶領域のユニット管理テーブルにおいて受信した装置ＩＤに対応する「状況」を「待機中」に変更し、「受付けＩＤ」に格納されているカードＩＤを削除して（発行フラグがない場合のみ）、該発行通知の送信元のカードユニット３に対して更新完了通知を送信する。尚、排出・発行通知に発行フラグが存在する場合（発行フラグが「１」である場合）には、モードフラグに対応する記憶領域のビジター貯蓄管理テーブルにおいて、更新した持玉数に対応する最新発行日時に、ＲＴＣ１０４から出力されるその時点の日時を格納する。
【０５７６】
この更新完了通知の受信に応じてカードユニット３（制御ユニット３２８）は、受付け中の会員カードまたはビジターカード（カード貯留部３７０から所定の読み取り位置に移動させたビジターカードを含む）に、カードテーブルの持玉数とテストフラグ（テストモード中のみ）を記録した後、排出指示をカードリーダライタ３２７に出力して該ビジターカードをカード挿入口３０９から排出する。
【０５７７】
尚、会員カードを排出する場合には、会員遊技情報テーブルのデータも管理コンピュータ１５０に送信された後、該会員遊技情報テーブルがリセットされる。
【０５７８】
これら排出・発行処理の実施後に、再度Ｓｍ１１のステップに戻った場合には、計数済玉数（持玉数）は「０」となっているので、計数済玉数（持玉数）無しと判定されてＳｍ１３のステップに進み、その時点において遊技情報テーブルに記憶されているデータや、プリペイド残額の利用履歴等の情報を、復帰用データとしてバックアップ記憶した後、該遊技情報テーブルや会員遊技情報テーブル並びにカードテーブルを初期状態に初期化してテストモードに移行し、多機能ランプ３０１の点灯状態をテストモードに対応する赤色の連続点灯状態としてテストモードに移行したことを報知する（Ｓｍ１４）。
【０５７９】
このように、本実施例では、テストモードへ移行する際に、該テストモードへ移行する前の通常モードにおいて計数済玉数（持玉数）が存在する場合には、該計数済玉数（持玉数）を受付け中の会員カードやビジターカードから特定できるようにして排出（発行）し、これらの計数済玉数（持玉数）が無効とされて遊技者に不利益が発生しないようにしつつ、これら計数済玉数（持玉数）が存在するカードユニット３も一斉にテストモードに移行することで、計数済玉数（持玉数）が存在することによりテストモードに移行しないカードユニット３が多数発生してしまい、これらテストモードに移行しないカードユニット３を特定して移行させるための処理を実施する手間が発生してしまうことを回避できることから好ましいが、本発明はこれに限定されるものではなく、これら通常モード中における計数済玉数（持玉数）が存在する場合には、テストモードに移行しないように移行制御を行うようにしても良い。
【０５８０】
一方、受信したモード移行要求が、通常モードへの移行モード移行要求（通常）である場合には、Ｓｍ３のステップに進み、該モード移行要求を受信した時点のモードが、通常モードであるか否か、つまり、通常モード中であるか否かを判定し、通常モード中でない場合、つまり、テストモード中または消去モード中である場合には、Ｓｍ３＋のステップに進んで通常モード移行時処理を実施する一方、通常モード中である場合には、Ｓｍ９のステップに進んで、該カードユニット３の装置ＩＤを含み、Ｓｍ３のステップでＹｅｓと判定された旨（通常モード中における移行モード移行要求（通常）の受信である旨）の移行エラーを管理コンピュータ１５０に返信した後、当該モード移行制御処理を終了する。
【０５８１】
Ｓｍ３＋の通常モード移行時処理においては、図３６に示す通常モード移行時処理を実施する。該通常モード移行時処理においては、まず、テストフラグが「１」であるカードを受付け中であるか否かを判定し、カードを受付け中でない場合にはＳｊ８のステップに進む一方、カードを受付け中である場合には、Ｓｊ２のステップに進んで、該受付け中のカードにプリペイド残額が存在するか否かを、カードテーブルにおけるプリペイド残額に格納されているデータに基づいて判定する。
【０５８２】
そして、プリペイド残額が存在する場合にはＳｊ３の残額消去処理を実施してＳｊ４のステップに移行する一方、プリペイド残額が存在しない場合にはＳｊ３の残額消去処理を実施することなくＳｊ４のステップに移行する。
【０５８３】
このＳｊ３の残額消去処理においては、まず、システムコントローラ１００に対し、受付け中の会員カードまたはビジターカードの（会員）カードＩＤと、消去するプリペイド残額と、テストモードを示すモードフラグとを含む残額消去要求を送信することに応じて返信される残額消去許諾を受信したことにより、プリペイド残額を消去する。尚、残額消去許諾を受信しないとき（残額消去不可を受信したとき）には、プリペイド残額の消去は行わず、プリペイド残額エラーを表示部３１２に表示してエラーを報知するとともに、カードを排出することで、テストモード中でプリペイド残額が不一致である異常が生じていることとともに、これら異常が生じたカードの特定を、通常モードへの移行に際して容易に確認できるようになっている。
【０５８４】
尚、システムコントローラ１００は、残額消去要求を受信したときには、該残額消去要求にテストモードを示すモードフラグが含まれていることから、テストモードに関する情報の消去であると認識して、テストモード用記憶領域のビジターカードテーブルに、該残額消去要求に含まれるカードＩＤに対応付けて記憶されているプリペイド残額と該残額消去要求に含まれるプリペイド残額とが一致することを条件に、該プリペイド残額を消去（「０」に更新）するともに残額消去許諾を返信し、一致しないときには残額消去不可を返信する。
【０５８５】
次いで、Ｓｊ４のステップにおいては、受付け中のカードが会員カードであるか否かを判定し、会員カードである場合にはＳｊ７のステップに進んで、該受付け中の会員カードをカード挿入口３０９から排出する一方、受付け中のカードが会員カードでない場合、つまりビジターカードである場合にはＳｊ５のステップに進んで、カードデータ消去処理を実施した後、Ｓｊ６のステップに進んで、該受付け中のビジターカードをカード貯留部３７０に回収する。尚、カード貯留部３７０が満杯である場合には、ビジターカードはカード挿入口３０９から排出される。
【０５８６】
このＳｊ５のカードデータ消去処理においては、まず、受付け中のビジターカードに持玉数或いは振分けフラグが存在するか否かを判定する。持玉数並びに振分けフラグが共に存在しない場合には、これらの消去を実施する必要がないので、当該カードデータ消去処理を終了する一方、持玉数或いは振分けフラグが存在する場合には、管理コンピュータ１５０に対し、受付けたビジターカードから読み出したカードＩＤと、持玉数、振分けフラグ、テストモードを示すモードフラグとを含む消去要求を送信することに応じて返信される消去許諾を受信したことにより、持玉数、振分けフラグを消去する。
【０５８７】
尚、消去許諾を受信しないとき（消去不可を受信したとき）には、持玉数、振分けフラグの消去は行わず、記録データエラーを表示部３１２に表示してエラーを報知するとともにカードを排出することで、テストモード中で持玉数や振分けに異常が生じていることとともに、これら異常が生じたカードの特定を、通常モード移行時において容易に確認できるようになっている。
【０５８８】
また、管理コンピュータ１５０は、消去要求を受信したことに応じて、該消去要求にテストモードを示すモードフラグが含まれていることから、テストモードに関する情報の消去であると認識して、テストモード用記憶領域に記憶されているビジター貯蓄管理テーブルに、該消去要求に含まれるカードＩＤに対応付けて記憶されている持玉数が、該消去要求に含まれる持玉数に一致するか否かとともに、消去要求に振分けフラグが存在する（「１」である）場合には、テストモード用記憶領域の振分け履歴テーブル（図１８参照）に該消去要求に含まれるカードＩＤが振分け先カードとして記憶され、且つ利用受付けに未受付けであることを示す「０」が登録されているか否かを判定し、持玉数が一致し且つ振分け履歴が登録されていることを条件に該持玉数や該振分け履歴を消去するとともに消去許諾を返信し、持玉数が不一致若しくは振分け履歴が登録されていない場合には、消去不可を返信する。
【０５８９】
Ｓｊ８のステップでは、カードテーブルを初期状態にリセットすることで、該通常モードに移行する前のテストモードにて計数された計数済玉数（持玉数）等のデータが全てリセット（消去）される。
【０５９０】
これら通常モード移行処理後において移行するＳｍ４のステップにおいては、テストモードへの移行時に記憶した復帰用データの記憶（バックアップ）があるか否かを判定する。つまり、カードユニット３の導入時等において通常モードにおけるデータが何ら無い状態でテストモードに移行した場合のように、復帰用データの記憶（バックアップ）が無い場合があるので、復帰用データの記憶（バックアップ）が有る場合のみＳｍ５のステップに進んで、復帰用データを用いて遊技情報テーブルやプリペイド残額の利用履歴等の情報を、テストモードに移行する際の状態に復帰させる復帰処理を実施した後、Ｓｍ６に進んで、該通常モード移行時処理の完了後に会員遊技情報テーブルを初期状態に初期化して通常モードに移行し、多機能ランプ３０１の点灯状態を通常モードに対応する無点灯状態として通常モードに移行したことを報知する。
【０５９１】
次に、本実施例のカードユニット３が実施する通信状態検知処理について、図３８に基づいて説明すると、カードユニット３の制御ユニット３２８は、前述したように、管理コンピュータ１５０から定期的（本実施例では約１０秒毎）に送信されてくるオンライン確認要求の受信の有無により、管理コンピュータ１５０との通信状態がオンライン（通信可能）状態であるかオフライン（通信不能）状態であるかを検知し、これらオフライン（通信不能）状態の発生またはオンライン（通信可能）状態の発生がＳｃ１並びにＳｃ３のステップを巡回実施する待機状態にて検知される。
【０５９２】
オンライン状態の発生は、Ｓｃ３のステップにて検知されてＳｃ４のステップに進み、該発生した時点の通信状態がオフライン状態であるか否かを判定し、オフライン状態でない場合、つまり既にオンライン状態である場合にはＳｃ１のステップに戻る一方、オフライン状態である場合、つまり、新たにオンライン状態となった場合には、Ｓｃ８のステップに進んで、該オンライン状態が発生した時点のモードが、テストモード中であるか否かを判定する。
【０５９３】
そして、テストモード中でない場合、つまり、通常モード中或いは消去モード中である場合にはＳｃ１０のステップに進んでオンライン復帰処理を実施することで、多機能ランプ３０１によるオフライン報知が終了されるとともに、該オフライン期間における処理にて管理コンピュータ１５０やシステムコントローラ１００へ送信されるべき各種通知等の送信が実施される。
【０５９４】
一方、テストモード中である場合には、後述するテストモード中のオフラインの発生によりセットされる通常モード移行タイマがカウント中であれば、該通常モード移行タイマのタイマカウントを解除して当該処理を終了する。
【０５９５】
オフライン状態の発生は、Ｓｃ１のステップにて検知されてＳｃ２のステップに進み、該発生した時点の通信状態が既にオフライン状態であるか否かを判定し、既にオフライン状態である場合にはＳｃ１とＳｃ３のステップによる待機状態に戻る一方、既にオフライン状態でない場合、つまり、新たにオフライン状態となった場合には、Ｓｃ５のステップに進んで、該オフライン状態が発生した時点のモードが、テストモード中であるか否かを判定する。
【０５９６】
そして、テストモード中でない場合、つまり、通常モード中或いは消去モード中である場合にはＳｃ７のステップに進んでオフライン報知処理を実施することで、該オフラインの発生を多機能ランプ３０１の点灯状態にて報知する一方、テストモード中である場合には、予め定められた通常モード移行時間（例えば３時間）が経過したことを検知するための通常モード移行タイマをセットして当該処理を終了する。
【０５９７】
このようにしてテストモード中のオフライン状態の発生によりセットされる通常モード移行タイマがタイマアップした際には、図３９に示す移行タイマアップ処理が実施されることで、テストモードが解除されて通常モードに移行する。
【０５９８】
具体的には、まず、通常モード移行タイマがタイマアップした時点のモードがテストモード中であるか否かを判定し（Ｓｔ１）、テストモード中でない場合には該タイマアップを無効として当該処理を終了し、テストモード中である場合には、上述したモード移行制御における通常モードへの移行時と同様の処理が実施されて、通常モードへ移行する。
【０５９９】
つまり、移行に際してカード（会員カード、ビジターカード）を受付け中の場合には、当該カードの記録を消去することなく該受付け中のカードを排出するとともに（Ｓｔ２）、カードテーブルをリセットすることで（Ｓｔ３）、計数済玉数（持玉数）が存在する場合には、該計数済玉数（持玉数）もリセットされる。
【０６００】
そして、テストモードへの移行時に記憶した復帰用データの記憶（バックアップ）があるか否かを判定し（Ｓｔ４）、復帰用データの記憶（バックアップ）が無い場合には、Ｓｔ６のステップに移行する一方、復帰用データの記憶（バックアップ）が有る場合には、前述したＳｍ５のステップと同じく、該復帰用データを用いて遊技情報テーブルやプリペイド残額の利用履歴等の情報を、テストモードに移行する際の状態に復帰させる復帰処理を実施した後（Ｓｔ５）、通常モードに移行し（Ｓｔ６）、多機能ランプ３０１の点灯状態を通常モードに対応する無点灯状態として通常モードに移行したことを報知する。
【０６０１】
以上、上記実施例によれば、テストモードで使用されることでテストフラグに「１」が記録されている会員カードやビジターカードが、通常モード中において不正等に使用されてしまうことを防止できるとともに、通常モードにて使用可能なテストフラグに「０」が記録されているビジターカードを、テストモードで使用することにより該ビジターカードに記録された持玉数（計数遊技媒体数）並びにテストフラグデータを、該ビジターカードを景品カウンタ等に一々持参することなく、カードユニット３（遊技用装置）を消去モードとすることにより該カードユニット３において消去できるようになるので、これらテストモード（動作確認）にて使用したビジターカードに記録されている記録情報の消去作業の作業性を向上することができる。
【０６０２】
また、上記実施例によれば、通常モードが消去モードを兼ねているので、例えば、営業開始前にテストモードとして動作確認に使用したビジターカードのデータ消去を、いちいち消去モードに移行することなく、テストモードから直接通常モードに移行して実施できるようになるので、これら動作確認を伴う開店作業の作業性を向上できるとともに、これらの消去を営業開始後の営業中において任意に実施できるようになるので、これら消去作業の自由度を著しく向上できる。
【０６０３】
また、上記実施例によれば、消去モードに移行することで、ビジターカードに未記録の計数遊技媒体数としての計数済玉数（持玉数）についても消去できるので、これら未記録の計数遊技媒体数が通常モード中において不正等に使用されることを防止できる。
【０６０４】
また、上記実施例によれば、通常モード中、つまり実際の営業中に計数された計数遊技媒体数である計数済玉数（持玉数）がテストモード中において使用されてしまうことによる不利益の発生を防止できる一方、これら計数済玉数（持玉数）が記録されていない、つまり、計数済玉数（持玉数）が「０」であることで不利益が発生することのないビジターカードについては、いずれも受付けが継続されることでテストモードに使用することができる。
【０６０５】
また、上記実施例によれば、テストモードに移行する際に、通常モード中に計数されてビジターカードに未記録である計数済玉数（持玉数）が存在する場合には、ビジターカードに記録されて排出（発行）されるか、或いはテストモードへの移行が禁止されるので、これらビジターカードに未記録である計数済玉数（持玉数）がテストモード中において使用されたり、テストモードへの移行時に消去されてしまうことによる不利益の発生を防止できる。
【０６０６】
また、上記実施例によれば、管理コンピュータ１５０（管理装置）において、受信した動作情報となる各カードユニット３からの送信データに含まれるモードフラグ（モード種別情報）により、当該動作がテストモード中における動作であるか或いは通常モード中における動作であるかを識別できるので、これらテストモード中における動作に関する情報と、通常モード中における動作に関する情報とを正確に区別して管理することができる。
【０６０７】
また、上記実施例によれば、計数・端数払出ユニット３４０、４００にパチンコ玉を貯留する貯留部３３８，４１３を有し、該貯留部３３８，４１３に貯留されているパチンコ玉から端数のパチンコ玉が払出されるので、補給路を設けることによるカードユニット３の複雑化を解消することができる。
【０６０８】
また、上記実施例によれば、遊技用装置であるカードユニット３において、端数のパチンコ玉を遊技者に返却するための返却通路３３５が計数・端数払出ユニット３４０の内部に設けられているので、例えば、従来において良く実施されているカードユニットの中央部から排出されたパチンコ球をパチンコ機の上皿へ返却して供給する返却路を設けた場合に比較して、これら返却通路３３５が遊技の障害や邪魔となることを回避できる。
【０６０９】
また、上記実施例によれば、計数済玉数が端数のみとなった場合には、該端数の払出しが、払出ボタン３１１の操作に応じて実施されるので、遊技者は、これら端数のパチンコ玉を払出すことも、これら端数のパチンコ玉を払出さずに残すことも、これら払出ボタン３１１の操作の実施／非実施によって選択することができる。
【０６１０】
また、上記実施例によれば、貯留部３３８に貯留されているパチンコ玉を連結樋３４４に排出させることができるので、同じパチンコ玉が貯留部３３８に長期に渡り貯留され続けることによるパチンコ玉の変質等の不具合の発生を防止できるとともに、これら排出を実施することで貯留部３３８にパチンコ玉が貯留されていないカードユニット３を容易に特定して、これら貯留部３３８にパチンコ玉を的確に補充することができる。
【０６１１】
また、上記実施例によれば、貯留部３３８に貯留されているパチンコ玉の貯留期間が管理コンピュータ１５０の貯留玉排出設定画面にて設定されている貯留上限期間を超過した場合に、管理コンピュータ１５０から排出指示が送信されて確実に貯留部３３８に貯留されているパチンコ玉が排出されるようになるので、同じパチンコ玉が貯留部３３８に長期に渡り貯留され続けることによるパチンコ玉の変質等の不具合の発生を確実に防止できる。
【０６１２】
また、上記実施例によれば、振分けが、一般の遊技者が所有できる遊技用記録媒体であるビジターカードを受付けること、または、ビジターカードを発行することにより実施されるので、会員カードを所持していない一般の遊技者であっても、これらの振分けを受けることができるばかりか、これの振分けを簡便且つ正確に実施することができるとともに、当日前所有遊技媒体数となる貯玉数からの振分けを許容するか否かを、遊技場の営業形態に応じて設定することができる。
【０６１３】
また、上記実施例によれば、貯玉数（当日前所有遊技媒体数）からの振分けを実施する際に、持玉数（当日所有遊技媒体数）若しくは計数済玉数（振分け元当日所有遊技媒体数）が存在する場合には、持玉数若しくは計数済玉数が存在することが報知されるので、遊技者が、持玉数若しくは計数済玉数が存在することを知らずに貯玉数からの振分けを実施して、例えば、不必要に手数料が徴収されてしまうことを回避できる。
【０６１４】
また、上記実施例によれば、受付けた振分け玉数が持玉数よりも多い場合であっても、直接振分けの許諾が設定されている場合には、これら振分け玉数の受付けを有効として、不足分を自動的に貯玉から振分けられるようになるので、遊技者は、これら不足分の貯玉数からの振分けを実施するために、個別の振分け操作を実施する必要がなく、遊技者の利便性を向上できるばかりか、各カードユニット３や各振分け装置５において、振分け設定情報が記憶されているので、直接振分けの許諾が設定されているか否かを、各カードユニット３や振分け装置５において単独にて迅速に特定できるので、振分け設定手段となる管理コンピュータ１５０の振分け設定画面において非許容が設定されているにも拘わらずに、受付けた振分け玉数が持玉数よりも多い場合に、許容が設定されている場合と同様に振分け操作が無駄に受付けられ、更に、該振分け操作の受付けに応じて貯玉数からの振分けを要求する振分け要求が無駄に送信されて管理コンピュータ１５０やカードユニット３並びに振分け装置５においてエラーが発生してしまうことも回避できる。
【０６１５】
また、上記実施例によれば、貯玉数からの不足分の振分けを実施する際には、図３１（ｃ）に示す確認受付け画面を表示して、貯玉数からの不足分の振分けの可否を遊技者から受付けているので、遊技者は、振り分けの都度毎に、不足分の貯玉数からの振分けの実施・非実施を選択することができる。
【０６１６】
また、上記実施例によれば、図３２（ａ）に示す振分け玉数受付け画面を表示して、振分け玉数を受付けているので、遊技者は、所望する玉数（遊技媒体数）を振分けることができるとともに、振分け設定手段となる管理コンピュータ１５０の振分け設定画面において設定されている設定内容に応じた振分け可能玉数が報知されるので、遊技者は、これら振分け可能玉数を参照して振分け玉数を決定できるため、不適正な振分け玉数の受付けによるエラー等の不都合の発生を極力低減できる。
【０６１７】
また、上記実施例によれば、貯玉数から持玉数への振分けが為される際には、持玉数へ振分けされる玉数から手数料玉数が減算されずに、これら手数料玉数が別途、振分け元の貯玉数から減算されるので、振分けを受ける遊技者が所望する玉数を的確に振分けることができる。
【０６１８】
また、上記実施例によれば、所定期間となる例えば１日において振分けされる振分け玉数（遊技媒体数）を制限することができるので、過度に振分けが実施されることによる遊技場の不利益、例えば売上の減少等の発生を回避することができる。
【０６１９】
尚、上記した本実施例の説明では、集計対象期間を１日とした例を示したが、本発明はこれに限定されるものではなく、これら集計対象期間に例えば３日間が設定されている場合であれば、振分け総数（全体）、振分け総数（振分け元）、振分け総数（振分け先）の集計にあっては、これら対象期間であるその当日を含む最近３日間に該当する日付を含む振分け履歴を集計の対象とすれば良いし、これら集計対象期間に例えば１週間が設定されている場合であれば、振分け総数（全体）、振分け総数（振分け元）、振分け総数（振分け先）の集計にあっては、これら対象期間であるその当日を含む１週間に該当する日付を含む振分け履歴を集計の対象とすれば良く、つまり、集計方法としては、集計対象期間に該当する日時情報を含む振分け履歴を集計の対象とすれば良い。
【０６２０】
また、上記実施例によれば、ホールコンピュータ（遊技情報管理装置）において振分け履歴を確認することができる。
【０６２１】
以上、本発明の実施例を図面により説明してきたが、具体的な構成はこれら実施例に限られるものではなく、本発明の要旨を逸脱しない範囲における変更や追加があっても本発明に含まれる。
【０６２２】
例えば、前記実施例では、カード挿入口３０９を１つのみ有するカードユニット３を例示しているが、本発明はこれに限定されるものではなく、図３５に示すカードユニット３”のように、振分け装置５と同様に、２つのカード挿入口を有するようにして、振分け元のカードを受付け中のカード挿入口とは異なるカード挿入口に、振分け先のカードを受付けたり、或いは、振分け先のカードを発行するようにしても良い。
【０６２３】
また、前記実施例では、カードユニットにおいて、カードが挿入されていない状態において紙幣を受付けた際に、必ずビジターカードを発行してプリペイド残額を記録するようにしているが、本発明はこれに限定されるものではなく、たとえば、低額紙幣である１０００円を受付けた場合には、該１０００円に相当するパチンコ玉を全て、対応するパチンコ機２から払出させるようにすることで、ビジターカードを発行しないようにしても良い。
【０６２４】
尚、これらビジターカードを発行しない場合にあっては、ビジターカードが受付け中でない状態において、計数済玉数が存在し、該計数済玉数を振分けに使用することが考えられるが、この場合には、これら振分けの処理に際してビジターカードを発行し、該発行したビジターカードを振分け元のカードとするようにしても良いし、本実施例のように、管理コンピュータ１５０のユニット管理テーブルにおいて、各カードユニット３の装置ＩＤに対応付けて計数済玉数を記憶、管理している場合であれば、振分けの処理に際してビジターカードを発行せずに、該ユニット管理テーブルにおける計数済玉数から振分け玉数を減算更新して、振分け先のカードのカードＩＤを含む振分け履歴を振分け履歴に登録するようにしても良い。この場合においては、管理コンピュータ１５０においては、各所有遊技媒体数特定情報となる装置ＩＤに対応付けて所有遊技媒体数となる計数済玉数を管理しているので、該装置ＩＤが所有遊技媒体数特定情報に該当することとなる。
【０６２５】
また、前記実施例では、カードユニット３におけるビジター用発行振分け処理において、受付け中のビジターカードを振分け先のビジターカードとして使用し、カード貯留部３７０に貯留されているビジターカードを振分け元のカードとするように、カードの入替えを実施しているが、本発明はこれに限定されるものではなく、これら入替えを実施せずに、会員用発行振分け処理の場合と同じく、受付け中のビジターカードを振分け元のカードとし、カード貯留部３７０に貯留されているビジターカードを振分け先のカードとし、受付け中のビジターカードを一旦排出して、振分け先のビジターカードを発行し、再度、振分け元のビジターカードを受付けるようにしても良い。
【０６２６】
また、前記実施例では、カードユニット３のカードリーダライタ３２７として、受付け中のカードをカード挿入口３０９から排出することなく、カード挿入口３０９側に退避させた状態で、カード貯留部３７０に貯留しているビジターカードを所定の読み出し位置に移動させて、当該ビジターカードの読み出しを実施できるようにしており、このようにすることは、振分け先のビジターカードを発行する際に、該発行するビジターカードのカードＩＤを読み出すために、受付け中のカードがカード挿入口３０９から排出されてしまうことがなく、これら発行するビジターカードの読み出しやデータの更新記憶が完了した状態まで、カードを内部に保持していおくことができることから、これら排出することに伴う不都合の発生を回避できることから好ましいが、本発明はこれに限定されるものではなく、これら受付け中のカードをカード挿入口側に退避させる機能を有しないカードリーダライタとしても良い。
【０６２７】
また、前記実施例では、管理コンピュータ１５０において、会員の管理も実施するようにしているが、本発明はこれに限定されるものではなく、これら会員の管理については、個別のコンピュータにおいて実施するようにしても良い。
【０６２８】
また、前記実施例では、会員の貯蓄玉数として、当日に獲得した持玉数と当日前に獲得した貯玉数とを個別に管理する形態を例示しているが、本発明はこれに限定されるものではなく、これら、当日に獲得した玉数も一元的に貯玉数として管理するものであっても良い。
【０６２９】
また、前記実施例では、繰返し利用されるビジターカードについても振分け元総数制限や振分け先総数制限の対象とするために、最新発行日時を管理して、各ビジターカードの振分け総数（振分け元）や振分け総数（振分け先）を正確に集計できるようにしているが、本発明はこれに限定されるものではなく、これらビジターカードについては、振分け元総数制限や振分け先総数制限の対象としないようにしても良い。
【０６３０】
また、前記実施例では、振分け玉数が持玉数の範囲内であるか否かの判定を、各カードユニット３または振分け装置５側において実施し、該判定において振分け玉数が持玉数の範囲内であることを条件に送信される振分け要求の受信に応じて振分けとなる、振分け履歴への登録を実施するようにしており、このようにすることは、これら判定処理を分散して実施することで管理コンピュータ１５０の処理負荷を低減できることから好ましいが、本発明はこれに限定されるものではなく、これらの振分け玉数が持玉数の範囲内であるか否かの判定を、管理コンピュータ１５０において、一元的に実施するようにしても良い。
【０６３１】
また、前記実施例では、貯玉数を持玉数に移行する際に、手数料を徴収するようにしているが、本発明はこれに限定されるものではなく、これら手数料を徴収しない構成としても良い。また、振分けにおいて貯玉数を持玉数に移行する際の手数料を、振分けを伴わない通常の貯玉数から持玉数への移行における手数料と異なるものとしても良い。
【０６３２】
また、前記実施例では、各種制限における振分け総数として、振分け持玉数と振分け貯玉数との合計を用いるようにしているが、本発明はこれに限定されるものではなく、例えば、貯玉数からの振分けと、持玉数からの振分けと、貯玉数と持玉数との振分けとで、個別に制限数を設定しておき、貯玉数からの直接振分けであれば、振分け貯玉数のみの合計と制限数とに基づいて判断を実施し、持玉数からの振分けであれば、振分け持玉数のみの合計と制限数とに基づいて判断を実施し、貯玉数と持玉数との振分けであれば、振分け持玉数と振分け貯玉数との合計と制限数とに基づいて判断を実施するようにしても良い。
【０６３３】
また、前記実施例では、会員カードとビジターカードとの双方を使用する形態を例示したが、本発明はこれに限定されるものではなく、これら会員カードとビジターカードのいずれか一方のみを使用するシステムとしても良い。
【０６３４】
また、前記実施例では、会員カード並びにビジターカードにより、遊技用価値であるプリペイド度数が特定可能とされ、該特定したプリペイド度数を遊技に使用できるようにしているが、本発明はこれに限定されるものではなく、これら会員カードやビジターカードが、遊技用価値であるプリペイド度数が特定不能とされたもの、つまり、会員カードは持玉数や貯玉数のみを特定可能なものであり、ビジターカードは持玉数のを特定可能なものであっても良い。
【０６３５】
また、前記実施例では、振分け処理として、振分け元のカードユニット３における振分け時に、振分け元のビジターカードや会員カードの持玉数や貯玉数から振分け玉数を減算し、該振分け玉数を振分け履歴テーブルに記憶して、これら振分け玉数が使用されてしまわないようにするとともに、振分け先のビジターカードを新たに発行する場合には、ビジター貯蓄管理テーブルに該ビジターカードの持玉数を「０」として登録しておき、該振分け先のカードであることを示す振分けフラグが記録されているビジターカードや会員カードをカードユニット３に受付けた際に、振分け履歴テーブルに記憶している振分け玉数を、当該ビジターカードや会員カードの持玉数に加算更新するようにしているが、本発明はこれに限定されるものではなく、例えば、カードユニット３において計数済玉数（持玉数）として５０００玉を所有している遊技者が、ビジターカードを新規に発行して２０００玉の振分けを実施する場合であれば、該振分け玉数である２０００玉の払出し信号を疑似的に発生させて振分けする２０００玉を計数済玉数より減算させる一方、該２０００玉の計数情報を擬似的に発生させて、該擬似的に計数された２０００玉が記録されたビジターカードを発行する（この場合には、振分けフラグなし）とともに、振分けを実施したカードユニット３の装置ＩＤ、振分け元のビジターカードや会員カードの（会員）カードＩＤ、振分け先のビジターカードのカードＩＤと、振分け玉数とを含む振分け情報を管理コンピュータ１５０に送信して、これら振分け情報を記憶させておき、管理コンピュータ１５０は、該振分け先のビジターカードがカードユニット３に受付けられることにより該カードユニット３から送信されてくるカードＩＤと持玉数とを含む受付け通知を受信したときに、当該カードＩＤが振分け情報として登録されているカードあるかを判定し、振分け情報として登録されている場合において該振分け情報に含まれる振分け玉数と、受信した受付け通知に含まれる持玉数とが一致することを条件に、該持玉数を有効としてビジター貯蓄管理テーブルの当該カードＩＤに対応する持玉数に、該持玉数（振分け玉数）を加算更新することで、振分け先のビジターカードを所持する遊技者が、該振分け玉数を利用できるようにしても良い。
【０６３６】
また、前記実施例では、基本モードである通常モード、テストモード、消去モードへの移行を、管理コンピュータ１５０からのモード移行要求の受信により実施する、つまり、各カードユニット３のモード移行を、管理コンピュータ１５０にて一斉に実施できるようになっているが、本発明はこれに限定されるものではなく、これら基本モードである通常モード、テストモード、消去モードへの移行を、離席モード等への移行と同じく、場内の係員等が所持するリモコンにおいて所定の移行操作を実施することにより、カードユニット３から管理コンピュータ１５０に装置ＩＤを含む移行許諾要求を送信して、該管理コンピュータ１５０からの移行許諾の返信に応じて移行することで、個々のカードユニット３毎にモードを移行できるようにしても良い。
【０６３７】
また、前記実施例では、終了処理時処理の計数無効化処理において、Ｓｄ２並びにＳｄ６において計数済玉数や持玉数が有るか否かを判定して、これら計数済玉数や持玉数が有る場合においてのみ、計数済玉数の無効化（リセット）や持玉数並びに日付の消去を実施するようにしており、このようにすることは、計数済玉数や持玉数が無い場合において不必要に無効化（リセット）や消去が実施されることにより無駄に処理時間や処理負荷が消費されてしまうとともに、カードの書き換え回数も無駄に消費されてしまうことを防止できることから好ましいが、本発明はこれに限定されるものではなく、これらＳｄ２並びにＳｄ６において計数済玉数や持玉数が有るか否かを判定することなく、計数済玉数や持玉数が０であっても無効化（リセット）や消去を実施する、すなわち、営業終了時処理要求を受信したことに基づいて計数遊技媒体数を無効とするための無効化処理や、ビジターカードに記録されている持玉数の消去処理を、一義的に実施するようにしても良い。
【０６３８】
また、前記実施例では、テストモードフラグを「１」とすることで計数遊技媒体数となる持玉数をテストデータとしてビジターカードに記憶（記録）し、テストモードフラグを「０」とすることで計数遊技媒体数となる持玉数を通常モードにおけるデータとしてビジターカードに記憶（記録）するようにしているが、本発明はこれに限定されるものではなく、例えば、管理コンピュータ１５０と同様に、通常モードにおいてデータの記憶（記録）に使用する通常モード用記憶領域と、テストモードにおいてデータの記憶（記録）に使用するテストモード用記憶領域とを個別にビジターカードの記憶領域に予め設定して設けておき、これら通常モード用記憶領域とは個別とされた所定のテストモード用記憶領域に持玉数を記憶することで、計数遊技媒体数である持玉数をテストデータとして記録するとともに、これらテストモード用記憶領域に持玉数の記録が存在する場合には、前述の通常モード移行時処理におけるＳｊ３のステップや、消去モード処理におけるＳｙ７のステップにおける処理と同様に、該テストモード用記憶領域に記録されている持玉数等のデータを消去するようにしても良い。
【符号の説明】
【０６３９】
２              パチンコ機
３              カードユニット
５              振分け装置
１００          システムコントローラ
１０２          ＣＰＵ
１０５          記憶装置
１０６          入力装置
１０７          表示装置
１０９          通信部
１４０          ホールコンピュータ
１５０          管理コンピュータ
１５２          ＣＰＵ
１５５          記憶装置
１５６          入力装置
１５７          表示装置
１７０          景品交換ＰＯＳ端末
３０９          カード挿入口
３１２          表示部
３１４          透明タッチパネル
３１５          ＩＲ受光ユニット
３２１          紙幣識別ユニット
３２７          カードリーダライタ
３２８          制御ユニット
３３４          通信部
３３５          返却通路
３３７          排出流路
３３８          貯留部
３４０          計数・端数払出ユニット
３４１          制御基板
３４４          連結樋
３４５          投入部
３４７          計数流路
３５０          制御部
３５３          払出モータ
３５５          計数操作部
３５６          計数センサ
３７０          カード貯留部
【図１】
2010246747.tif 000003
【図２】
2010246747.tif 000004
【図３】
2010246747.tif 000005
【図４】
2010246747.tif 000006
【図５】
2010246747.tif 000007
【図６】
2010246747.tif 000008
【図７】
2010246747.tif 000009
【図８】
2010246747.tif 000010
【図９】
2010246747.tif 000011
【図１０】
2010246747.tif 000012
【図１１】
2010246747.tif 000013
【図１２】
2010246747.tif 000014
【図１３】
2010246747.tif 000015
【図１４】
2010246747.tif 000016
【図１５】
2010246747.tif 000017
【図１６】
2010246747.tif 000018
【図１７】
2010246747.tif 000019
【図１８】
2010246747.tif 000020
【図１９】
2010246747.tif 000021
【図２０】
2010246747.tif 000022
【図２１】
2010246747.tif 000023
【図２２】
2010246747.tif 000024
【図２３】
2010246747.tif 000025
【図２４】
2010246747.tif 000026
【図２５】
2010246747.tif 000027
【図２６】
2010246747.tif 000028
【図２７】
2010246747.tif 000029
【図２８】
2010246747.tif 000030
【図２９】
2010246747.tif 000031
【図３０】
2010246747.tif 000032
【図３１】
2010246747.tif 000033
【図３２】
2010246747.tif 000034
【図３３】
2010246747.tif 000035
【図３４】
2010246747.tif 000036
【図３５】
2010246747.tif 000037
【図３６】
2010246747.tif 000038
【図３７】
2010246747.tif 000039
【図３８】
2010246747.tif 000040
【図３９】
2010246747.tif 000041